(57)【要約】  符号化方式判定方法および装置が、提供される。本発明の実施形態において、基地局デバイスは、端末デバイスに、符号化方式指示情報を保持する、より上位層の制御シグナリング、物理層制御シグナリングまたは同期信号を送信し、または、端末デバイスは、基地局デバイスに、符号化方式指示情報を保持する能力情報報告メッセージを送信し、その結果、基地局デバイスまたは端末デバイスは、明確に且つ柔軟に、符号化方式を示すことができる。プリセットされた第１の指定値Ｘ以上である少なくとも１つの情報ブロックサイズＩＢＳが判定され、ビットの情報ブロックまたはビットの情報ブロックのコードブロックを符号化すべく、少なくとも１つのＩＢＳから、ＩＢＳが選択され、Ｘおよび符号化方式は、シナリオ、情報タイプおよび／またはサービスタイプによって判定される。このように、好適な符号化方式は、シナリオ、情報タイプ、および／またはサービスタイプに基づき判定されてよい。これに対応して、本発明の実施形態は、さらに、符号化方式判定装置およびデバイスを開示する。
2019537379.tif 000002
【特許請求の範囲】
【請求項１】
基地局デバイスによって、より上位層の制御シグナリング、物理層制御シグナリングまたは同期信号を、端末デバイスに送信する段階を備え、前記より上位層の制御シグナリング、前記物理層制御シグナリングまたは前記同期信号は、符号化方式指示情報を含み、前記符号化方式指示情報は、ビットの情報ブロックの符号化方式を示すために用いられ、前記符号化方式は、Ｐｏｌａｒ符号、ターボ符号、低密度パリティチェックＬＤＰＣ符号、畳み込み符号、ブロック符号および反復符号のうちの少なくとも１つの符号化タイプを含む、符号化方法。
【請求項２】
前記より上位層の制御シグナリングは、無線リソース制御ＲＲＣシグナリングを含み、前記物理層制御シグナリングは、ダウンリンク制御情報ＤＣＩおよびアップリンク制御情報ＵＣＩを含む、請求項１に記載の符号化方法。
【請求項３】
前記ビットの情報ブロックは、制御情報およびデータ情報のうちの少なくとも１つの情報タイプを含む、請求項１または２に記載の符号化方法。
【請求項４】
端末デバイスによって、基地局デバイスの能力ネゴシエーション要求メッセージを受信する段階と、
前記端末デバイスによって、能力情報報告メッセージを、前記基地局デバイスに送信する段階であって、前記能力情報報告メッセージは、符号化方式指示情報を含み、前記符号化方式指示情報は、ビットの情報ブロックの符号化方式を示すために用いられ、前記符号化方式は、Ｐｏｌａｒ符号、ターボ符号、低密度パリティチェックＬＤＰＣ符号、畳み込み符号、ブロック符号および反復符号のうちの少なくとも１つの符号化タイプを含む、段階と、を備える、符号化方法。
【請求項５】
前記ビットの情報ブロックは、制御情報およびデータ情報のうちの少なくとも１つの情報タイプを含む、請求項４に記載の符号化方法。
【請求項６】
プリセットされた第１の指定値Ｘ以上である少なくとも１つの情報ブロックサイズＩＢＳを判定する段階であって、Ｘは、対応するシナリオ、情報タイプおよび／またはサービスタイプに基づき設定されており、各シナリオ、情報タイプおよび／またはサービスタイプは、少なくとも１つのＩＢＳに対応している、段階と、
ビットの情報ブロックまたは前記ビットの情報ブロックのコードブロックを符号化すべく、前記少なくとも１つのＩＢＳから、ＩＢＳを選択する段階であって、前記選択されたＩＢＳは、前記ビットの情報ブロックのサイズ以上であり、前記ＩＢＳは、前記ビットの情報ブロックの前記サイズとの最も小さい差異を有し、または、前記選択されたＩＢＳは、前記コードブロックのコードブロックサイズＣＢＳ以上であり、前記ＩＢＳは、前記ＣＢＳとの最も小さい差異を有する、段階と、を備え、
符号化方式は、前記シナリオ、情報タイプおよび／またはサービスタイプによって判定され、前記符号化方式は、Ｐｏｌａｒ符号、ターボ符号、低密度パリティチェックＬＤＰＣ符号、畳み込み符号、ブロック符号および反復符号のうちの少なくとも１つの符号化タイプを含む、符号化方法。
【請求項７】
各符号化タイプは、１つのＩＢＳセットに対応しており、各ＩＢＳセットは、少なくとも１つのＩＢＳを含み、各ＩＢＳは、１つの符号化方式に対応している、請求項６に記載の符号化方法。
【請求項８】
前記符号化方法は、さらに、
前記ビットの情報ブロックの前記サイズが、プリセットされた第２の指定値Ｙより大きい場合、前記第２の指定値およびパディングされるビット量が最小であるという原理に基づき、前記ビットの情報ブロックをセグメント化して、同一サイズの複数のコードブロックを取得する段階であって、Ｙは、対応するシナリオ、情報タイプおよび／またはサービスタイプに基づき設定されている、段階を備え、
前記ビットの情報ブロックのコードブロックを符号化すべく、前記少なくとも１つのＩＢＳから、ＩＢＳを前記選択する段階は、
前記複数のコードブロックを符号化すべく、第１の情報ブロックサイズＩＢＳ１を選択する段階であって、前記ＩＢＳ１は、前記コードブロックのコードブロックサイズＣＢＳと、前記パディングされるビット量との和であり、前記パディングされるビット量は、０以上の整数である、段階、を含む、請求項６または７に記載の符号化方法。
【請求項９】
前記符号化方法は、さらに、
前記ビットの情報ブロックの前記サイズが、プリセットされた第３の指定値Ｚより大きい場合、前記第３の指定値およびパディングされるビット量が最小であるという原理に基づき、前記ビットの情報ブロックをセグメント化して、異なるサイズの複数のコードブロックを取得する段階であって、Ｚは対応するシナリオ、情報タイプおよび／またはサービスタイプに基づき設定されている、段階を備え、
前記ビットの情報ブロックのコードブロックを符号化すべく、前記少なくとも１つのＩＢＳから、ＩＢＳを前記選択する段階は、
前記複数のコードブロックを符号化すべく、複数の第２の情報ブロックサイズＩＢＳ２を選択する段階であって、各ＩＢＳ２は、各コードブロックのコードブロックサイズＣＢＳと、前記パディングされるビット量との和であり、前記パディングされるビット量は、０以上の整数である、段階、を含む、請求項６または７に記載の符号化方法。
【請求項１０】
前記符号化方法は、さらに、
選択されたＬＤＰＣ符号レートおよび前記選択されたＬＤＰＣ符号レートに対応するＬＤＰＣ符号の最大ＩＢＳを判定する段階であって、前記第２の指定値または前記第３の指定値は、前記選択されたＬＤＰＣ符号レートに対応する前記ＬＤＰＣ符号の前記最大ＩＢＳであり、前記符号化方式に対応する符号化タイプは、ＬＤＰＣ符号である、段階、を備える、請求項８または９に記載の符号化方法。
【請求項１１】
前記ビットの情報ブロックは、制御情報およびデータ情報のうちの少なくとも１つの情報タイプを含む、請求項６から１０のいずれか一項に記載の符号化方法。
【請求項１２】
より上位層の制御シグナリング、物理層制御シグナリング、または同期信号を端末デバイスに送信するように構成された送信ユニットを備え、前記より上位層の制御シグナリング、前記物理層制御シグナリング、または前記同期信号は、符号化方式指示情報を含み、前記符号化方式指示情報は、ビットの情報ブロックの符号化方式を示すために用いられ、前記符号化方式は、Ｐｏｌａｒ符号、ターボ符号、低密度パリティチェックＬＤＰＣ符号、畳み込み符号、ブロック符号、および反復符号のうちの少なくとも１つの符号化タイプを含む、基地局デバイス。
【請求項１３】
前記より上位層の制御シグナリングは、無線リソース制御ＲＲＣシグナリングを含み、前記物理層制御シグナリングは、ダウンリンク制御情報ＤＣＩおよびアップリンク制御情報ＵＣＩを含む、請求項１２に記載の基地局デバイス。
【請求項１４】
前記ビットの情報ブロックは、制御情報およびデータ情報のうちの少なくとも１つの情報タイプを含む、請求項１２または１３に記載の基地局デバイス。
【請求項１５】
基地局デバイスの能力ネゴシエーション要求メッセージを受信するように構成された受信ユニットと、
能力情報報告メッセージを、前記基地局デバイスに送信するように構成された送信ユニットであって、前記能力情報報告メッセージは、符号化方式指示情報を含み、前記符号化方式指示情報は、ビットの情報ブロックの符号化方式を示すために用いられ、前記符号化方式は、Ｐｏｌａｒ符号、ターボ符号、低密度パリティチェックＬＤＰＣ符号、畳み込み符号、ブロック符号および反復符号のうちの少なくとも１つの符号化タイプを含む、送信ユニットと、を備える、端末デバイス。
【請求項１６】
前記ビットの情報ブロックは、制御情報およびデータ情報のうちの少なくとも１つの情報タイプを含む、請求項１５に記載の端末デバイス。
【請求項１７】
プリセットされた第１の指定値Ｘ以上である少なくとも１つの情報ブロックサイズＩＢＳを判定するように構成された第１の判定ユニットであって、Ｘは、対応するシナリオ、情報タイプおよび／またはサービスタイプに基づき設定されており、各シナリオ、情報タイプおよび／またはサービスタイプは、少なくとも１つのＩＢＳに対応している、第１の判定ユニットと、
ビットの情報ブロックまたは前記ビットの情報ブロックのコードブロックを符号化すべく、前記少なくとも１つのＩＢＳから、ＩＢＳを選択するように構成された選択ユニットであって、前記選択されたＩＢＳは、前記ビットの情報ブロックのサイズ以上であり、前記ＩＢＳは、前記ビットの情報ブロックの前記サイズとの最も小さい差異を有し、または、前記選択されたＩＢＳは、前記コードブロックのコードブロックサイズＣＢＳ以上であり、前記ＩＢＳは、前記ＣＢＳとの最も小さい差異を有する、選択ユニットと、を備え、
符号化方式は、前記シナリオ、情報タイプおよび／またはサービスタイプによって判定され、前記符号化方式は、Ｐｏｌａｒ符号、ターボ符号、低密度パリティチェックＬＤＰＣ符号、畳み込み符号、ブロック符号および反復符号のうちの少なくとも１つの符号化タイプを含む、符号化装置。
【請求項１８】
各符号化タイプは、１つのＩＢＳセットに対応しており、各ＩＢＳセットは、少なくとも１つのＩＢＳを含み、各ＩＢＳは、１つの符号化方式に対応している、請求項１７に記載の符号化装置。
【請求項１９】
前記符号化装置は、さらに、第１のセグメント化ユニットを備え、前記第１のセグメント化ユニットは、前記ビットの情報ブロックの前記サイズが、プリセットされた第２の指定値Ｙより大きい場合、前記第２の指定値およびパディングされるビット量が最小であるという原理に基づき、前記ビットの情報ブロックをセグメント化して、同一サイズの複数のコードブロックを取得するように構成されており、Ｙは、対応するシナリオ、情報タイプおよび／またはサービスタイプに基づき設定されており、
前記選択ユニットは、特に、前記複数のコードブロックを符号化すべく、第１の情報ブロックサイズＩＢＳ１を選択するように構成されており、前記ＩＢＳ１は、前記コードブロックのコードブロックサイズＣＢＳと、前記パディングされるビット量との和であり、前記パディングされるビット量は、０以上の整数である、請求項１７または１８に記載の符号化装置。
【請求項２０】
前記符号化装置は、さらに、第２のセグメント化ユニットを備え、前記第２のセグメント化ユニットは、前記ビットの情報ブロックの前記サイズが、プリセットされた第３の指定値Ｚより大きい場合、前記第３の指定値およびパディングされるビット量が最小であるという原理に基づき、前記ビットの情報ブロックをセグメント化して、異なるサイズの複数のコードブロックを取得するように構成されており、Ｚは、対応するシナリオ、情報タイプおよび／またはサービスタイプに基づき設定されており、
前記選択ユニットは、特に、前記複数のコードブロックを符号化すべく、複数の第２の情報ブロックサイズＩＢＳ２を選択するように構成されており、各ＩＢＳ２は、各コードブロックのコードブロックサイズＣＢＳと、前記パディングされるビット量との和であり、前記パディングされるビット量は、０以上の整数である、請求項１７または１８に記載の符号化装置。
【請求項２１】
前記符号化装置は、さらに、第２の判定ユニットを備え、前記第２の判定ユニットは、選択されたＬＤＰＣ符号レートおよび前記選択されたＬＤＰＣ符号レートに対応するＬＤＰＣ符号の最大ＩＢＳを判定するように構成されており、
前記第２の指定値または前記第３の指定値は、前記選択されたＬＤＰＣ符号レートに対応する前記ＬＤＰＣ符号の前記最大ＩＢＳであり、前記符号化方式に対応する符号化タイプは、ＬＤＰＣ符号である、請求項１９または２０に記載の符号化装置。
【請求項２２】
前記ビットの情報ブロックは、制御情報およびデータ情報のうちの少なくとも１つの情報タイプを含む、請求項１７から２１のいずれか一項に記載の符号化装置。
【請求項２３】
より上位層の制御シグナリング、物理層制御シグナリング、または同期信号を端末デバイスに送信するように構成された送信機を備え、前記より上位層の制御シグナリング、前記物理層制御シグナリング、または前記同期信号は、符号化方式指示情報を含み、前記符号化方式指示情報は、ビットの情報ブロックの符号化方式を示すために用いられ、前記符号化方式は、Ｐｏｌａｒ符号、ターボ符号、低密度パリティチェックＬＤＰＣ符号、畳み込み符号、ブロック符号、および反復符号のうちの少なくとも１つの符号化タイプを含む、基地局デバイス。
【請求項２４】
前記より上位層の制御シグナリングは、無線リソース制御ＲＲＣシグナリングを含み、前記物理層制御シグナリングは、ダウンリンク制御情報ＤＣＩおよびアップリンク制御情報ＵＣＩを含む、請求項２３に記載の基地局デバイス。
【請求項２５】
前記ビットの情報ブロックは、制御情報およびデータ情報のうちの少なくとも１つの情報タイプを含む、請求項２３または２４に記載の基地局デバイス。
【請求項２６】
受信機と送信機とを備える、端末デバイスであって、
前記受信機は、基地局デバイスの能力ネゴシエーション要求メッセージを受信するように構成されており、
前記送信機は、能力情報報告メッセージを、前記基地局デバイスに送信するように構成されており、前記能力情報報告メッセージは、符号化方式指示情報を含み、前記符号化方式指示情報は、ビットの情報ブロックの符号化方式を示すために用いられ、前記符号化方式は、Ｐｏｌａｒ符号、ターボ符号、低密度パリティチェックＬＤＰＣ符号、畳み込み符号、ブロック符号および反復符号のうちの少なくとも１つの符号化タイプを含む、端末デバイス。
【請求項２７】
前記ビットの情報ブロックは、制御情報およびデータ情報のうちの少なくとも１つの情報タイプを含む、請求項２６に記載の端末デバイス。
【請求項２８】
入力装置、出力装置、メモリおよびプロセッサを備える符号化デバイスであって、
前記メモリは、プログラムコード群を格納し、前記プロセッサは、前記メモリ内に格納された前記プログラムコードを呼び出して、
プリセットされた第１の指定値Ｘ以上である少なくとも１つの情報ブロックサイズＩＢＳを判定する処理であって、Ｘは、対応するシナリオ、情報タイプおよび／またはサービスタイプに基づき設定されており、各シナリオ、情報タイプおよび／またはサービスタイプは、少なくとも１つのＩＢＳに対応している、処理と、
ビットの情報ブロックまたは前記ビットの情報ブロックのコードブロックを符号化すべく、少なくとも１つのＩＢＳから、ＩＢＳを選択する処理であって、前記選択されたＩＢＳは、前記ビットの情報ブロックのサイズ以上であり、前記ＩＢＳは、前記ビットの情報ブロックの前記サイズとの最も小さい差異を有し、または、前記選択されたＩＢＳは、前記コードブロックのコードブロックサイズＣＢＳ以上であり、前記ＩＢＳは、前記ＣＢＳとの最も小さい差異を有する、処理と、を実行するように構成されており、
符号化方式は、前記シナリオ、情報タイプおよび／またはサービスタイプによって判定され、前記符号化方式は、Ｐｏｌａｒ符号、ターボ符号、低密度パリティチェックＬＤＰＣ符号、畳み込み符号、ブロック符号および反復符号のうちの少なくとも１つの符号化タイプを含む、符号化デバイス。
【請求項２９】
各符号化タイプは、１つのＩＢＳセットに対応しており、各ＩＢＳセットは、少なくとも１つのＩＢＳを含み、各ＩＢＳは、１つの符号化方式に対応している、請求項２８に記載の符号化デバイス。
【請求項３０】
前記プロセッサは、さらに、
前記ビットの情報ブロックの前記サイズが、プリセットされた第２の指定値Ｙより大きい場合、前記第２の指定値およびパディングされるビット量が最小であるという原理に基づき、前記ビットの情報ブロックをセグメント化して、同一サイズの複数のコードブロックを取得する処理であって、Ｙは、対応するシナリオ、情報タイプおよび／またはサービスタイプに基づき設定されている、処理を実行するように構成されており、
前記ビットの情報ブロックのコードブロックを符号化すべく、前記少なくとも１つのＩＢＳから、ＩＢＳを選択する、前記プロセッサにより実行される前記処理は、
前記複数のコードブロックを符号化すべく、第１の情報ブロックサイズＩＢＳ１を選択する処理であって、前記ＩＢＳ１は、前記コードブロックのコードブロックサイズＣＢＳと、前記パディングされるビット量との和であり、前記パディングされるビット量は、０以上の整数である、処理を含む、請求項２８または２９に記載の符号化デバイス。
【請求項３１】
前記プロセッサは、さらに、
前記ビットの情報ブロックの前記サイズが、プリセットされた第３の指定値Ｚより大きい場合、前記第３の指定値およびパディングされるビット量が最小であるという原理に基づき、前記ビットの情報ブロックをセグメント化して、異なるサイズの複数のコードブロックを取得する処理であって、Ｚは、対応するシナリオ、情報タイプおよび／またはサービスタイプに基づき設定されている、処理を実行するように構成されており、
前記ビットの情報ブロックのコードブロックを符号化すべく、前記少なくとも１つのＩＢＳから、ＩＢＳを選択する、前記プロセッサにより実行される前記処理は、
前記複数のコードブロックを符号化すべく、複数の第２の情報ブロックサイズＩＢＳ２を選択する処理であって、各ＩＢＳ２は、各コードブロックのコードブロックサイズＣＢＳと、前記パディングされるビット量との和であり、前記パディングされるビット量は、０以上の整数である、処理を含む、請求項２８または２９に記載の符号化デバイス。
【請求項３２】
前記プロセッサは、さらに、
選択されたＬＤＰＣ符号レートおよび前記選択されたＬＤＰＣ符号レートに対応するＬＤＰＣ符号の最大ＩＢＳを判定する処理であって、前記第２の指定値または前記第３の指定値は、前記選択されたＬＤＰＣ符号レートに対応する前記ＬＤＰＣ符号の前記最大ＩＢＳであり、前記符号化方式に対応する符号化タイプは、ＬＤＰＣ符号である、処理を実行するように構成されている、請求項３０または３１に記載の符号化デバイス。
【請求項３３】
前記ビットの情報ブロックは、制御情報およびデータ情報のうち少なくとも１つの情報タイプを含む、請求項２８から３２のいずれか一項に記載の符号化デバイス。
【請求項３４】
プログラムを格納するコンピュータ可読記憶媒体であって、前記プログラムは、基地局デバイスが、請求項１から３、および６から１１のいずれか一項に記載の方法を実行することを可能にする、コンピュータ可読記憶媒体。
【請求項３５】
プログラムを格納するコンピュータ可読記憶媒体であって、前記プログラムは、端末デバイスが、請求項４から１１のいずれか一項に記載の方法を実行することを可能にする、コンピュータ可読記憶媒体。
【発明の詳細な説明】
【技術分野】
【０００１】
本願は、２０１６年１１月３０日に中国特許庁に出願された、発明の名称「符号化方式判定方法および装置」に係る中国特許出願第201611094694.5号に基づく優先権を主張し、当該出願は、参照により本明細書にその全体が援用される。
【０００２】
本発明は、通信技術分野に関し、具体的には、符号化方式判定方法および装置に関する。
【背景技術】
【０００３】
将来の第５世代（５ｔｈ‐Ｇｅｎｅｒａｔｉｏｎ：５Ｇ）は、大量モバイルデータトラフィックの発展、大量のデバイス接続並びに様々な新しいサービスおよびアプリケーションシナリオをサポートする必要がある。例えば、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ：第３世代パートナーシッププロジェクト）は、エンハンスドモバイルブロードバンド（Ｅｎｈａｎｃｅｄ  Ｍｏｂｉｌｅ  Ｂｒｏａｄｂａｎｄ：ｅＭＢＢ）、マッシブマシンタイプ通信（Ｍａｓｓｉｖｅ  Ｍａｃｈｉｎｅ  Ｔｙｐｅ  Ｃｏｍｍｕｎｉｃａｔｉｏｎｓ：ｍＭＴＣ）および超信頼性および低遅延通信（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎｓ：ＵＲＬＬＣ）を含む３つの典型的なアプリケーションシナリオを決定している。５Ｇシステムは、より優れた性能、例えば、より多くのシステム容量、より低い遅延性、より高いネットワーク信頼性、およびより高いネットワーク可用性を必要とする。５Ｇシステムは、人とあらゆるものとの間の知的な相互接続の目的を好都合に達成し得る。
【０００４】
将来の５Ｇ移動通信システムのより優れた性能は、高度なチャネル符号化技術の補助を得て実装され得る。例えば、３ＧＰＰは、Ｐｏｌａｒ符号、ターボ符号、低密度パリティチェック符号（Ｌｏｗ  Ｄｅｎｓｉｔｙ  Ｐａｒｉｔｙ  Ｃｈｅｃｋ  Ｃｏｄｅ：ＬＤＰＣ）、畳み込み符号（Ｃｏｎｖｏｌｕｔｉｏｎａｌ  Ｃｏｄｅｓ：ＣＣ）等を含む、５Ｇシステムの候補となる符号化タイプを決定している。
【０００５】
現在、ＬＤＰＣ符号には、複数のＬＤＰＣ符号化方式が存在する。例えば、図１に示すＬＤＰＣ符号化方式の概略図で、ＩＥＥＥ  Ｓｔｄ  ８０２．１１ｎ標準（２００９）は、４つの符号レート（１／２、２／３、３／４および５／６）に対し、１２個のＬＤＰＣ符号化方式を規定しており、各符号レートは、３つの情報ブロックサイズ（Ｉｎｆｏｒｍａｔｉｏｎ  Ｂｌｏｃｋ  Ｓｉｚｅ：ＩＢＳ）を有する。
【０００６】
また、ターボ符号にも、複数のターボ符号化方式が存在する。例えば、３ＧＰＰ  ＴＳ  ３６．２１２（２００９）標準において、ターボ符号化方式に対し、１つの符号レート（１／３）および１８８の情報ブロックサイズが、規定されている。
【０００７】
現在、Ｐｏｌａｒ符号および畳み込み符号のそれぞれについても、複数の符号化方式が存在する。
【０００８】
ｅＭＭＢ、ｍＭＴＣおよびＵＲＬＬＣ等の典型的なシナリオに対し、より優れた性能を実装すべく、好適な符号化タイプが選択される必要がある。例えば、図２中の典型的なシナリオに適用可能な符号化タイプの組み合わせの概略図に示される通り、３ＧＰＰ  ８６ｂｉｓ会議の提案（Ｒ１−１６１００５９）では、３つの組み合わせオプションを提供している。例えば、ｅＭＢＢに対応する符号化タイプには、ＬＤＰＣ符号、Ｐｏｌａｒ符号およびターボ符号が含まれ、ｍＭＴＣに対応する符号化タイプには、畳み込み符号，ＬＤＰＣ符号、Ｐｏｌａｒ符号およびターボ符号が含まれ、ＵＲＬＬＣに対応する符号化タイプには、畳み込み符号、ＬＤＰＣ符号、Ｐｏｌａｒ符号およびターボ符号が含まれる。
【０００９】
上記の５Ｇシステムには、多くの候補の符号化タイプが存在する。各組み合わせオプションには、複数の符号化タイプが含まれる。また、各候補の符号化タイプは、さらに複数の符号化方式に分類されてよい。しかしながら、データ送信中にこれらの符号化方式を選択および使用するための明確な方法はなく、また、データ送信中に、このような多数の符号化方式を柔軟に用いるための方法もない。
【発明の概要】
【００１０】
本発明の実施形態は、符号化方式が、明確且つ柔軟に示され、または、好適な符号化方式が、情報送信中に判定されるような、符号化方式判定方法および装置を提供する。
【００１１】
第１の態様によると、符号化方式判定方法が提供され、上記方法は、基地局デバイスによって、より上位層の制御シグナリング、物理層制御シグナリングまたは同期信号を、端末デバイスに送信する段階を備え、上記より上位層の制御シグナリング、上記物理層制御シグナリング、または上記同期信号は、符号化方式指示情報を含み、上記符号化方式指示情報は、ビットの情報ブロックの符号化方式を示すために用いられ、上記符号化方式は、Ｐｏｌａｒ符号、ターボ符号、低密度パリティチェックＬＤＰＣ符号、畳み込み符号、ブロック符号および反復符号のうちの少なくとも１つ符号化タイプを含む。
【００１２】
この実装において、上記基地局デバイスは、上記端末デバイスに対し、上記符号化方式指示情報を保持する、上記より上位層の制御シグナリング、上記物理層制御シグナリング、または上記同期信号を送信する。上記符号化方式指示情報は、上記ビットの情報ブロックの上記符号化方式を示すために用いられ、その結果、上記端末デバイスは、上記符号化方式を明確に且つ柔軟に示し得る。
【００１３】
第１の可能な実装において、上記より上位層の制御シグナリングは、無線リソース制御ＲＲＣシグナリングを含み、上記物理層制御シグナリングは、ダウンリンク制御情報ＤＣＩおよびアップリンク制御情報ＵＣＩを含む。
【００１４】
第２の可能な実装において、上記ビットの情報ブロックは、制御情報およびデータ情報のうちの少なくとも１つの情報タイプを含む。
【００１５】
この実装においては、上記制御情報および上記データ情報の符号化方式が示されてよい。
【００１６】
第３の可能な実装において、上記制御情報は、システム情報およびチャネル品質情報ＣＱＩを含む。
【００１７】
第２の態様によると、基地局デバイスが提供される。上記基地局デバイスは、上述の方法における上記基地局デバイスの挙動を実装する機能を有する。上記機能は、ハードウェアによって実装されてよく、または、対応するソフトウェアを実行するハードウェアによって実装されてよい。ハードウェアまたはソフトウェアは、上述の機能に対応する１または複数のモジュールを含む。
【００１８】
可能な実装において、上記基地局デバイスは、送信ユニットを含み、上記送信ユニットは、より上位層の制御シグナリング、物理層制御シグナリングまたは同期信号を端末デバイスに送信するように構成されており、上記より上位層の制御シグナリング、上記物理層制御シグナリングまたは上記同期信号は、符号化方式指示情報を含み、上記符号化方式指示情報は、ビットの情報ブロックの符号化方式を示すために用いられ、上記符号化方式は、Ｐｏｌａｒ符号、ターボ符号、低密度パリティチェックＬＤＰＣ符号、畳み込み符号、ブロック符号および反復符号のうちの少なくとも１つの符号化タイプを含む。
【００１９】
別の可能な実装において、上記基地局デバイスは、送信機を含み、上記送信機は、より上位層の制御シグナリング、物理層制御シグナリングまたは同期信号を端末デバイスに送信するように構成されており、上記より上位層の制御シグナリング、上記物理層制御シグナリングまたは上記同期信号は、符号化方式指示情報を含み、上記符号化方式指示情報は、ビットの情報ブロックの符号化方式を示すために用いられ、上記符号化方式は、Ｐｏｌａｒ符号、ターボ符号、低密度パリティチェックＬＤＰＣ符号、畳み込み符号、ブロック符号および反復符号のうちの少なくとも１つの符号化タイプを含む。
【００２０】
同一の発明概念に基づく、上記装置によって問題を解決する原理および上記装置の有利な効果については、第１の態様、第１の態様の可能な実装およびそれらの有利な効果を参照されたい。従って、上記装置の実装については、上記方法の実装を参照されたい。再度、繰り返しの説明は記載しない。
【００２１】
第３の態様によると、符号化方式判定方法が提供され、上記方法は、
端末デバイスによって、基地局デバイスの能力ネゴシエーション要求メッセージを受信する段階と、
上記端末デバイスによって、能力情報報告メッセージを、上記基地局デバイスに送信する段階であって、上記能力情報報告メッセージは、符号化方式指示情報を含み、上記符号化方式指示情報は、ビットの情報ブロックの符号化方式を示すために用いられ、上記符号化方式は、Ｐｏｌａｒ符号、ターボ符号、低密度パリティチェックＬＤＰＣ符号、畳み込み符号、ブロック符号および反復符号のうちの少なくとも１つの符号化タイプを含む、段階と、を備える。
【００２２】
この実装においては、上記端末デバイスは、上記基地局デバイスに対し、上記符号化方式指示情報を保持する上記能力情報報告メッセージを送信する。上記符号化方式指示情報は、上記ビットの情報ブロックの上記符号化方式を示すために用いられ、その結果、上記基地局デバイスは、上記符号化方式を明確に且つ柔軟に示し得る。
【００２３】
第１の可能な実装において、上記ビットの情報ブロックは、制御情報およびデータ情報のうちの少なくとも１つの情報タイプを含む。
【００２４】
この実装においては、上記制御情報および上記データ情報の符号化方式が示されてよい。
【００２５】
第２の可能な実装において、上記制御情報は、システム情報およびチャネル品質情報ＣＱＩを含む。
【００２６】
第４の態様によると、端末デバイスが提供される。上記端末デバイスは、上述の方法における上記端末デバイスの挙動を実装する機能を有する。上記機能は、ハードウェアによって実装されてよく、または、対応するソフトウェアを実行するハードウェアによって実装されてよい。ハードウェアまたはソフトウェアは、上述の機能に対応する１または複数のモジュールを含む。
【００２７】
可能な実装において、上記端末デバイスは、受信ユニットおよび送信ユニットを備え、上記受信ユニットは、基地局デバイスの能力ネゴシエーション要求メッセージを受信するように構成されており、上記送信ユニットは、能力情報報告メッセージを、上記基地局デバイスに送信するように構成されており、上記能力情報報告メッセージは、符号化方式指示情報を含み、上記符号化方式指示情報は、ビットの情報ブロックの符号化方式を示すために用いられ、上記符号化方式は、Ｐｏｌａｒ符号、ターボ符号、低密度パリティチェックＬＤＰＣ符号、畳み込み符号、ブロック符号、および反復符号のうちの少なくとも１つの符号化タイプを含む。
【００２８】
別の可能な実装において、上記端末デバイスは、受信機および送信機を備え、上記受信機は、基地局デバイスの能力ネゴシエーション要求メッセージを受信するように構成されており、上記送信機は、能力情報報告メッセージを、上記基地局デバイスに送信するように構成されており、上記能力情報報告メッセージは、符号化方式指示情報を含み、上記符号化方式指示情報は、ビットの情報ブロックの符号化方式を示すために用いられ、上記符号化方式は、Ｐｏｌａｒ符号、ターボ符号、低密度パリティチェックＬＤＰＣ符号、畳み込み符号、ブロック符号、および反復符号のうちの少なくとも１つの符号化タイプを含む。
【００２９】
同一の発明概念に基づく、上記装置によって問題を解決する原理および上記装置の有利な効果については、第３の態様、第３の態様の可能な実装およびそれらの有利な効果を参照されたい。従って、上記装置の実装については、上記方法の実装を参照されたい。再度、繰り返しの説明は記載しない。
【００３０】
第５の態様によると、符号化方式判定方法が提供され、上記方法は、
プリセットされた第１の指定値Ｘ以上である少なくとも１つの情報ブロックサイズＩＢＳを判定する段階であって、Ｘは、対応するシナリオ、情報タイプおよび／またはサービスタイプに基づき設定されており、各シナリオ、情報タイプおよび／またはサービスタイプは、少なくとも１つのＩＢＳに対応している、段階と、
ビットの情報ブロックまたは上記ビットの情報ブロックのコードブロックを符号化すべく、上記少なくとも１つのＩＢＳから、ＩＢＳを選択する段階であって、上記選択されたＩＢＳは、上記ビットの情報ブロックのサイズ以上であり、上記ＩＢＳは、上記ビットの情報ブロックの上記サイズとの最も小さい差異を有し、または、上記選択されたＩＢＳは、上記コードブロックのコードブロックサイズＣＢＳ以上であり、上記ＩＢＳは、上記ＣＢＳとの最も小さい差異を有し、
符号化方式は、上記シナリオ、情報タイプおよび／またはサービスタイプによって判定され、上記符号化方式は、Ｐｏｌａｒ符号、ターボ符号、低密度パリティチェックＬＤＰＣ符号、畳み込み符号、ブロック符号および反復符号のうちの少なくとも１つの符号化タイプを含む、段階と、を備える。
【００３１】
この実装においては、情報ブロックサイズのより低い閾値は、対応するシナリオ、情報タイプおよび／またはサービスタイプに基づき判定される。その後、情報ブロックサイズが、情報ブロックサイズと、ビットの情報ブロックのサイズまたはコードブロックのサイズとの間の制約条件に基づき、Ｘ以上である少なくとも１つの情報ブロックサイズから選択され、上記選択された情報ブロックサイズに基づき、上記ビットの情報ブロックまたは上記コードブロックを符号化する。上記選択された情報ブロックサイズに対応する符号化方式は、シナリオ、情報タイプ、および／またはサービスタイプに基づき判定されるので、好適な符号化方式は、上記シナリオ、情報タイプ、および／またはサービスタイプに基づいて判定されてよい。
【００３２】
第１の可能な実装において、各符号化タイプは、１つのＩＢＳセットに対応しており、各ＩＢＳセットは、少なくとも１つのＩＢＳを含み、各ＩＢＳは、１つの符号化方式に対応する。
【００３３】
この実装においては、ＩＢＳは、符号化タイプによるセットで分類されている。各ＩＢＳは、１つの符号化方式に対応しており、その結果、ＩＢＳは、符号化タイプに基づき選択されてよい。
【００３４】
第２の可能な実装において、上記方法は、さらに、
上記ビットの情報ブロックの上記サイズが、プリセットされた第２の指定値Ｙより大きい場合、上記第２の指定値、および、パディングされるビット量が最小であるという原理に基づき、上記ビットの情報ブロックをセグメント化して、同一サイズの複数のコードブロックを取得する段階であって、Ｙは、対応するシナリオ、情報タイプおよび／またはサービスタイプに基づき設定されている、段階を備え、
上記ビットの情報ブロックのコードブロックを符号化すべく、上記少なくとも１つのＩＢＳから、ＩＢＳを上記選択する段階は、
上記複数のコードブロックを符号化すべく、第１の情報ブロックサイズＩＢＳ１を選択する段階であって、上記ＩＢＳ１は、上記コードブロックのコードブロックサイズＣＢＳと、上記パディングされるビット量との和であり、上記パディングされるビット量は、０以上の整数である、段階、を含む。
【００３５】
この実装においては、上記ビットの情報ブロックは、同一サイズの上記複数のコードブロックにセグメント化され、セグメント化により取得された上記複数のコードブロックを符号化するために、１つの情報ブロックサイズを用いる。セグメント化態様は単純であり、且つ、パディングされるビット量は最小であるので、ビットパディングオーバーデッドを低減させる。
【００３６】
第３の可能な実装において、上記方法は、さらに、
上記ビットの情報ブロックの上記サイズが、プリセットされた第３の指定値Ｚより大きい場合、上記第３の指定値、および、パディングされるビット量が最小であるという原理に基づき、上記ビットの情報ブロックをセグメント化して、異なるサイズの複数のコードブロックを取得する段階であって、Ｚは、対応するシナリオ、情報タイプおよび／またはサービスタイプに基づき設定されている、段階を備え、
上記ビットの情報ブロックのコードブロックを符号化すべく、上記少なくとも１つのＩＢＳから、ＩＢＳを上記選択する段階は、
上記複数のコードブロックを符号化すべく、複数の第２の情報ブロックサイズＩＢＳ２を選択する段階であって、各ＩＢＳ２は、各コードブロックのコードブロックサイズＣＢＳと、上記パディングされるビット量との和であり、上記パディングされるビット量は、０以上の整数である、段階、を含む。
【００３７】
この実装においては、上記ビットの情報ブロックは、異なるサイズの上記複数のコードブロックにセグメント化され、上記複数のコードブロックを符号化するために、複数のＩＢＳを用いる。このように、符号化方式が多様であり、符号化は、柔軟に行われてよく、上記パディングされるビット量は、最小であるので、ビットパディングオーバーデッドを低減させる。
【００３８】
第４の可能な実装において、上記方法は、さらに、
選択されたＬＤＰＣ符号レートおよび上記選択されたＬＤＰＣ符号レートに対応するＬＤＰＣ符号の最大ＩＢＳを判定する段階であって、上記第２の指定値または上記第３の指定値は、上記選択されたＬＤＰＣ符号レートに対応する上記ＬＤＰＣ符号の上記最大ＩＢＳであり、上記符号化方式に対応する符号化タイプは、ＬＤＰＣ符号である、段階を含む。
【００３９】
この実装においては、上記符号化タイプは、ＬＤＰＣ符号であると判定され、上記ＬＤＰＣ符号レートが選択される。１つの符号レートが、１つの最大ＩＢＳを有し、上記ビットの情報ブロックは、上記最大ＩＢＳに基づき、セグメント化される。
【００４０】
第５の可能な実装において、上記ビットの情報ブロックは、制御情報およびデータ情報のうちの少なくとも１つの情報タイプを含む。
【００４１】
この実装においては、上記制御情報および上記データ情報の符号化方式が示されてよい。
【００４２】
第６の可能な実装において、上記制御情報は、システム情報およびチャネル品質情報ＣＱＩを含む。
【００４３】
第６の態様によると、符号化方式判定装置が、提供される。上記装置は、上述の方法における上記装置の挙動を実装する機能を有する。上記機能は、ハードウェアによって実装されてよく、または、対応するソフトウェアを実行するハードウェアによって実装されてよい。ハードウェアまたはソフトウェアは、上述の機能に対応する１または複数のモジュールを含む。
【００４４】
可能な実装において、上記符号化方式判定装置は、判定ユニットおよび選択ユニットを備え、上記判定ユニットは、プリセットされた第１の指定値Ｘ以上である少なくとも１つの情報ブロックサイズ（ＩＢＳ）を判定するように構成されており、Ｘは、対応するシナリオ、情報タイプ、および／またはサービスタイプに基づき設定されており、各シナリオ、情報タイプおよび／またはサービスタイプは、少なくとも１つのＩＢＳに対応しており、
上記選択ユニットは、ビットの情報ブロックまたは上記ビットの情報ブロックのコードブロックを符号化すべく、上記少なくとも１つのＩＢＳから、ＩＢＳを選択するように構成されており、上記選択されたＩＢＳは、上記ビットの情報ブロックのサイズ以上であり、上記ＩＢＳは、上記ビットの情報ブロックの上記サイズとの最も小さい差異を有し、または、上記選択されたＩＢＳは、上記コードブロックのコードブロックサイズＣＢＳ以上であり、上記ＩＢＳは、上記ＣＢＳとの最も小さい差異を有し、
符号化方式は、上記シナリオ、情報タイプおよび／またはサービスタイプによって判定され、上記符号化方式は、Ｐｏｌａｒ符号、ターボ符号、低密度パリティチェックＬＤＰＣ符号、畳み込み符号、ブロック符号および反復符号のうちの少なくとも１つの符号化タイプを含む。
【００４５】
別の可能な実装において、上記符号化方式判定装置は、プロセッサを備え、上記プロセッサは、プリセットされた第１の指定値Ｘ以上である少なくとも１つの情報ブロックサイズＩＢＳを判定するように構成されており、Ｘは、対応するシナリオ、情報タイプおよび／またはサービスタイプに基づき設定されており、各シナリオ、情報タイプおよび／またはサービスタイプは、少なくとも１つのＩＢＳに対応しており、
上記プロセッサは、さらに、ビットの情報ブロックまたは上記ビットの情報ブロックのコードブロックを符号化すべく、上記少なくとも１つのＩＢＳから、ＩＢＳを選択するように構成されており、上記選択されたＩＢＳは、上記ビットの情報ブロックのサイズ以上であり、上記ＩＢＳは、上記ビットの情報ブロックの上記サイズとの最も小さい差異を有し、または、上記選択されたＩＢＳは、上記コードブロックのコードブロックサイズＣＢＳ以上であり、上記ＩＢＳは、上記ＣＢＳとの最も小さい差異を有し、
符号化方式は、上記シナリオ、情報タイプおよび／またはサービスタイプによって判定され、上記符号化方式は、Ｐｏｌａｒ符号、ターボ符号、低密度パリティチェックＬＤＰＣ符号、畳み込み符号、ブロック符号および反復符号のうちの少なくとも１つの符号化タイプを含む。
【００４６】
同一の発明概念に基づく、上記装置によって問題を解決する原理および上記装置の有利な効果については、第５の態様、第５の態様の可能な実装およびそれらの有利な効果を参照されたい。従って、上記装置の実装については、上記方法の実装を参照されたい。再度、繰り返しの説明は記載しない。
【図面の簡単な説明】
【００４７】
本発明の実施形態または先行技術における技術的解決手段をよりわかりやすく説明するために、以下に、当該実施形態または先行技術を説明するために必要な添付図面について簡単に説明する。以下の説明中の添付図面は、本発明のいくつかの実施形態を示すに過ぎず、当業者であれば、これらの添付図面から、創造的努力なしに、その他の図面を導き出し得ることは明らかである。
【００４８】
【図１】例示的なＬＤＰＣ符号化方式の概略図である。
【００４９】
【図２】典型的なシナリオに適用可能な符号化タイプの組み合わせの概略図である。
【００５０】
【図３】本発明の第１実施形態による符号化方式判定方法の概略相互作用図である。
【００５１】
【図４】無線リソース制御シグナリングを用いることで実行される例示的な符号化方式判定の概略相互作用図である。
【００５２】
【図５】ダウンリンク制御情報／アップリンク制御情報を用いることで実行される例示的な符号化方式判定の概略相互作用図である。
【００５３】
【図６】同期信号を用いることで実行される例示的な符号化方式判定の概略相互作用図である。
【００５４】
【図７】本発明の第２実施形態による符号化方式判定方法の概略相互作用図である。
【００５５】
【図８】本発明の第３実施形態による符号化方式判定方法の概略フローチャートである。
【００５６】
【図９】異なるシナリオ、情報タイプおよび／またはサービスタイプのケースにおける様々な符号化タイプに対応する例示的なＩＢＳセットの概略図である。
【００５７】
【図１０】将来の国際モバイル通信の例示的な予測される使用ソリューションの概略図である。
【００５８】
【図１１】本発明の第４実施形態による符号化方式判定方法の概略フローチャートである。
【００５９】
【図１２】例示的なリソースブロック上でのパディングされるビット量が最小であるという原理の概略図である。
【００６０】
【図１３】本発明の第５実施形態による符号化方式判定方法の概略フローチャートである。
【００６１】
【図１４】本発明の第６実施形態による符号化方式判定方法の概略フローチャートである。
【００６２】
【図１５】本発明の第７実施形態による基地局デバイスの概略構造図である。
【００６３】
【図１６】本発明の第８実施形態による端末デバイスの概略構造図である。
【００６４】
【図１７】本発明の第９実施形態による符号化方式判定装置の概略構造図である。
【００６５】
【図１８】本発明の第１０実施形態による符号化方式判定装置の概略構造図である。
【００６６】
【図１９】本発明の第１１実施形態による符号化方式判定装置の概略構造図である。
【００６７】
【図２０】本発明の第１２実施形態による符号化方式判定装置の概略構造図である。
【００６８】
【図２１】本発明の第１３実施形態による基地局デバイスの概略構造図である。
【００６９】
【図２２】本発明の第１４実施形態による端末デバイスの概略構造図である。
【００７０】
【図２３】本発明の第１５実施形態による符号化方式判定デバイスの概略構造図である。
【発明を実施するための形態】
【００７１】
以下に、本発明の実施形態について、添付図面を参照して詳細に説明する。
【００７２】
図３は、本発明の第１実施形態による符号化方式判定方法の概略相互作用図である。方法は、以下の段階を含む。
【００７３】
Ｓ１０１：基地局デバイスが、より上位層の制御シグナリング、物理層制御シグナリング、または同期信号を端末デバイスに送信し、より上位層の制御シグナリング、物理層制御シグナリング、または同期信号は、符号化方式指示情報を含み、符号化方式指示情報は、ビットの情報ブロックの符号化方式を示すために用いられる。
【００７４】
この実施形態においては、符号化方式は、Ｐｏｌａｒ符号、ターボ符号、ＬＤＰＣ符号、畳み込み符号、ブロック符号および反復符号のうちの少なくとも１つの符号化タイプを含む。ビットの情報ブロックは、制御情報およびデータ情報のうちの少なくとも１つの情報タイプを含む。具体的に言うと、示された符号化方式を用いて、制御情報またはデータ情報が符号化される。制御情報は、さらに、システム情報、チャネル品質情報（Ｃｈａｎｎｅｌ  Ｑｕａｌｉｔｙ  Ｉｎｆｏｒｍａｔｉｏｎ／Ｉｎｄｉｃａｔｉｏｎ：ＣＱＩ）等を含んでよい。
【００７５】
基地局デバイスは、端末デバイスに、基地局デバイスと端末デバイスとの間での通信中に通常送信される特定のシグナリングまたは信号である、より上位層の制御シグナリング、物理層制御シグナリング、または同期信号を送信する。この実施形態においては、より上位層の制御シグナリング、物理層制御シグナリングまたは同期信号は、符号化方式指示情報を保持し、符号化方式指示情報は、端末デバイスによって使用されるべき符号化方式を明確に示すべく、ビットの情報ブロックの符号化方式を示すために用いられる。
【００７６】
随意に、より上位層の制御シグナリングは、無線リソース制御（Ｒａｄｉｏ  Ｒｅｓｏｕｒｃｅ  Ｃｏｎｔｒｏｌ：ＲＲＣ）シグナリングであってよい。図４中の無線リソース制御シグナリングを用いることにより実行される例示的な符号化方式判定の概略相互作用図に示される通り、ＲＲＣシグナリングは、符号化方式指示情報を保持し、符号化方式指示情報は、符号化方式を示すために用いられる。端末デバイスと、基地局デバイスとの間で、ビットの情報ブロックが送信されるとき、端末デバイスおよび／または基地局デバイスは、示された符号化方式を用いて、ビットの情報ブロックを符号化する。
【００７７】
随意に、物理層制御シグナリングは、ダウンリンク制御情報（Ｄｏｗｎｌｉｎｋ  Ｃｏｎｔｒｏｌ  Ｉｎｆｏｒｍａｔｉｏｎ：ＤＣＩ）およびアップリンク制御情報（Ｕｐｌｉｎｋ  Ｃｏｎｔｒｏｌ  Ｉｎｆｏｒｍａｔｉｏｎ：ＵＣＩ）を含む。図５中のダウンリンク制御情報／アップリンク制御情報を用いることにより実行される例示的な符号化方式判定の概略相互作用図に示される通り、ＤＣＩ／ＵＣＩは、符号化方式指示情報を保持し、符号化方式指示情報は、符号化方式を示すために用いられる。端末デバイスと、基地局デバイスとの間で、ビットの情報ブロックが送信されるとき、端末デバイスおよび／または基地局デバイスは、示された符号化方式を用いて、ビットの情報ブロックを符号化する。
【００７８】
図６は、同期信号を用いることにより実行される例示的な符号化方式判定の概略相互作用図である。同期信号は、プライマリ同期信号（Ｐｒｉｍａｒｙ  Ｓｙｎｃｈｒｏｎｉｚａｔｉｏｎ  Ｓｉｇｎａｌ：ＰＳＳ）、セカンダリ同期信号（Ｓｅｃｏｎｄａｒｙ  Ｓｙｎｃｈｒｏｎｉｚａｔｉｏｎ  Ｓｉｇｎａｌ：ＳＳＳ）等であってよい。同期信号は、符号化方式指示情報を保持し、符号化方式指示情報は、符号化方式を示すために用いられる。端末デバイスと、基地局デバイスとの間で、ビットの情報ブロックが送信されるとき、端末デバイスおよび／または基地局デバイスは、示された符号化方式を用いて、ビットの情報ブロックを符号化する。
【００７９】
本発明のこの実施形態で提供される符号化方式判定方法によると、基地局デバイスは、ビットの情報ブロックの符号化方式を示すべく、端末デバイスに、符号化方式指示情報を保持する、より上位層の制御シグナリング、物理層制御シグナリングまたは同期信号を送信する。端末デバイスおよび／または基地局デバイスは、示された符号化方式に基づき、ビットの情報ブロックを符号化し、その結果、基地局デバイスは、符号化方式を明確且つ柔軟に示してよく、これにより、符号化方式を別々に示すことによって生じるシグナリングオーバーヘッドを低減させる。
【００８０】
図７は、本発明の第２実施形態による符号化方式判定方法の概略相互作用図である。上記方法は、以下の段階を含む。
【００８１】
Ｓ２０１：端末デバイスは、基地局デバイスの能力ネゴシエーション要求メッセージを受信する。
【００８２】
Ｓ２０２：端末デバイスは、能力情報報告メッセージを基地局デバイスに送信し、能力情報報告メッセージは、符号化方式指示情報を含み、符号化方式指示情報は、ビットの情報ブロックの符号化方式を示すために用いられる。
【００８３】
この実施形態においては、符号化方式は、Ｐｏｌａｒ符号、ターボ符号、ＬＤＰＣ符号、畳み込み符号、ブロック符号および反復符号のうちの少なくとも１つの符号化タイプを含む。ビットの情報ブロックは、制御情報およびデータ情報のうちの少なくとも１つの情報タイプを含む。制御情報は、さらに、システム情報、チャネル品質情報ＣＱＩ等を含んでよい。
【００８４】
端末デバイスが、基地局デバイスにアクセスすると、基地局デバイスは、端末デバイスの能力を認識する。これは、必要なプロセスのうちの１つである。具体的には、端末デバイスは、基地局デバイスの能力ネゴシエーション要求（ＵＥ  Ｃａｐａｂｉｌｉｔｙ  Ｅｎｑｕｉｒｙ）メッセージを受信し、端末デバイスは、能力情報（ＵＥ  Ｃａｐａｂｉｌｉｔｙ  Ｉｎｆｏｒｍａｔｉｏｎ）報告メッセージを、基地局デバイスに送信する。この実施形態においては、能力情報報告メッセージは、符号化方式指示情報を含み、符号化方式指示情報は、符号化方式を示すために用いられ、その結果、基地局デバイスによって用いられるべき符号化方式は、明確に示されてよく、符号化方式を示すべく、別のシグナリングが用いられる必要がなく、これにより、シグナリングオーバーヘッドを低減させる。
【００８５】
本発明のこの実施形態で提供される符号化方式判定方法によると、端末デバイスは、符号化方式を示すべく、符号化方式指示情報を保持する能力情報報告メッセージを、基地局デバイスに返す。基地局デバイスおよび／または端末デバイスは、示された符号化方式に基づき、ビットの情報ブロックを符号化し、その結果、端末デバイスは、符号化方式を明確且つ柔軟に示してよく、これにより、符号化方式を別々に示すことによって生じるシグナリングオーバーヘッドを低減させる。
【００８６】
図８は、本発明の第３実施形態による、符号化方式判定方法の概略フローチャートである。方法は、以下の段階を含む。
【００８７】
Ｓ３０１：プリセットされた第１の指定値Ｘ以上である少なくとも１つのＩＢＳを判定し、Ｘは、対応するシナリオ、情報タイプ、および／またはサービスタイプに基づいて設定されており、各シナリオ、情報タイプ、および／またはサービスタイプは、少なくとも１つのＩＢＳに対応する。
【００８８】
図１の例示的なＬＤＰＣ符号化方式の概略図に示される通り、１２個のＩＢＳが提供されている。また、ターボ符号に対しては、１８８のＩＢＳが提供されており、Ｐｏｌａｒ符号、畳み込み符号、ブロック符号および反復符号等のその他については、複数のＩＢＳが含まれる。この実施形態においては、シナリオ、情報タイプおよび／またはサービスタイプに基づき、好適な符号化方式が、判定される必要がある。各符号化方式は、１つのＩＢＳに対応する。もちろん、随意に、１つのＩＢＳは、複数の符号化方式に対応してもよい。このような多数のＩＢＳにおいて、１つのＩＢＳを判定すべく、ＩＢＳ選択のためのより低い閾値、すなわち、第１の指定値Ｘが、まず設定される。Ｘは、対応するシナリオ、情報タイプおよび／またはサービスタイプに基づいて設定される。これは、シナリオ、情報タイプおよび／またはサービスタイプに基づき、好適な符号化方式を判定するための第１の段階である。すなわち、Ｘ以上である１または複数のＩＢＳが判定される。判定された１または複数のＩＢＳは予め、シナリオ、情報タイプおよび／またはサービスタイプに対応している。換言すると、各シナリオ、情報タイプおよび／またはサービスタイプは、１または複数のＩＢＳに対応している。
【００８９】
Ｓ３０２：ビットの情報ブロックまたは上記ビットの情報ブロックのコードブロックを符号化すべく、少なくとも１つのＩＢＳから、ＩＢＳを選択し、選択されたＩＢＳは、ビットの情報ブロックのサイズ以上であり、ＩＢＳは、ビットの情報ブロックのサイズとの最も小さい差異を有し、または、選択されたＩＢＳは、コードブロックのコードブロックサイズＣＢＳ以上であり、ＩＢＳは、ＣＢＳとの最も小さい差異を有する。
【００９０】
この実施形態においては、符号化方式は、シナリオ、情報タイプ、および／またはサービスタイプによって判定され、符号化方式は、Ｐｏｌａｒ符号、ターボ符号、ＬＤＰＣ符号、畳み込み符号、ブロック符号および反復符号のうちの少なくとも１つの符号化タイプを含む。
【００９１】
シナリオ、情報タイプ、および／またはサービスタイプに基づき、好適な符号化方式を判定するための第２の段階において、ＩＢＳが判定された１または複数のＩＢＳから選択される。１または複数のＩＢＳから、ＩＢＳを選択することは、以下の２つの条件の両方を満たす必要がある。すなわち、（１）選択されたＩＢＳは、ビットの情報ブロックのサイズ以上であること、および（２）ＩＢＳは、ビットの情報ブロックのサイズに最も近似している、すなわち、ＩＢＳは、ビットの情報ブロックのサイズとの最も小さい差異を有すること、または、（１）'選択されたＩＢＳは、コードブロックのコードブロックサイズ以上であること、および（２）'ＩＢＳは、ＣＢＳに最も近似している、すなわち、ＩＢＳは、ＣＢＳとの最も小さい差異を有すること、である。本明細書では、コードブロックは、ビットの情報ブロックをセグメント化した後に取得される。ビットの情報ブロックのサイズが、比較的大きい場合、ビットの情報ブロックは、一般にセグメント化される必要がある。情報ブロックサイズとは、ビットの情報ブロックまたはコードブロックを符号化するために用いられる、情報ブロックのサイズである。
【００９２】
Ｓ３０１およびＳ３０２により取得されたＩＢＳは、シナリオ、情報タイプ、および／またはサービスタイプに基づき、判定および選択される。また、ＩＢＳは、ビットの情報ブロックのサイズ、またはビットの情報ブロックのコードブロックのコードブロックサイズに最も近似しており、従って、好適なＩＢＳである。この情報ブロックサイズは符号化に用いられ、従って、また、その符号化方式も、シナリオ、情報タイプおよび／またはサービスタイプに対応している。本明細書では、シナリオは、例えば、ｅＭＢＢ、ｍＭＴＣまたはＵＲＬＬＣといったサービスアプリケーションシナリオであり、情報タイプは、制御情報およびデータ情報を含み、サービスタイプは、音声、３Ｄビデオ、自動運転車等を含む。
【００９３】
随意に、各符号化タイプは、１つのＩＢＳセットに対応していてよく、各ＩＢＳセットは、少なくとも１つのＩＢＳを含み、各ＩＢＳは、１つの符号化方式に対応している。図９の（ａ）のシナリオ、情報タイプおよび／またはサービスタイプのケースにおける様々な符号化タイプに対応する例示的なＩＢＳセットの概略図に示される通り、畳み込み符号のためのＩＢＳセットは｛２０，３０，３１，...｝であり、ターボ符号のためのＩＢＳセットは｛４０，４８，６４，...｝であり、Ｐｏｌａｒ符号のためのＩＢＳセットは｛１２８，２５６，...｝であり、ＬＤＰＣ符号のためのＩＢＳセットは｛３２４，４３２，...１６２０...｝であると仮定する。符号化方式は、この実施形態を用いることにより判定される。例えば、現在のシナリオはｅＭＢＢであり、サービスタイプは３Ｄビデオであり、送信されるべきデータ量は比較的大量であり、ＣＢＳは３２３に等しいと仮定する。従って、Ｘは４０に設定され、４０以上のＩＢＳを持つセットは、ターボ符号、Ｐｏｌａｒ符号およびＬＤＰＣ符号に対応するＩＢＳセットを含む。ＣＢＳは３２３に等しいので、選択される必要のあるＩＢＳは３２３以上であり、ＩＢＳは、ＣＢＳに最も近似する。従って、３２４に等しいＩＢＳが最終的に選択され、符号化タイプはＬＤＰＣである。ＩＢＳを符号化タイプによって、セットに分類する態様においては、ＩＢＳおよび符号化方式を判定することが、より簡便である。さらに、図９の異なるシナリオ、情報タイプおよび／またはサービスタイプのケースにおける様々な符号化タイプに対応する例示的なＩＢＳセットの概略図に示される通り、同一のシナリオ、情報タイプおよび／またはサービスタイプについては、各符号化タイプは、１つのＩＢＳセットに対応し、各符号化タイプに対応するＩＢＳセットは、重複するＩＢＳを有していない。しかしながら、異なるシナリオ、情報タイプおよび／またはサービスタイプについては、符号化タイプに対応するＩＢＳセットは、重複するＩＢＳを有してよい。図９に示される通り、図の（ａ）は，シナリオ、情報タイプおよび／またはサービスタイプにおけるケースの様々な符号化タイプに対応するＩＢＳセットの概略図であり、図の（ｂ）は、別のシナリオ、情報タイプ、および／またはサービスタイプにおけるケースの様々な符号化タイプに対応するＩＢＳセットの概略図である。図の（ａ）および図の（ｂ）中、ＬＤＰＣ符号のＩＢＳセットは、１６２０に等しい同一のＩＢＳを有し、Ｐｏｌａｒ符号のためのＩＢＳセットは、２５６に等しい同一のＩＢＳを有する等である。また、図（ａ）中のＬＤＰＣ符号のＩＢＳセットおよび図（ｂ）中のＰｏｌａｒ符号のＩＢＳセットは、４３２に等しい同一のＩＢＳセットを有する等である。上述内容は、例示を用いて、本発明のこの実施形態における様々な符号化タイプに対応するＩＢＳセットを説明している。しかしながら、この実施形態は、上述の特定例に限定はされない。
【００９４】
図１０は、将来の国際モバイル通信（Ｉｎｔｅｒｎａｔｉｏｎａｌ  Ｍｏｂｉｌｅ  Ｔｅｌｅｃｏｍｍｕｎｉｃａｔｉｏｎ：ＩＭＴ）の例示的な予測される使用ソリューションの概略図である。この図には、ｅＭＢＢ、ｍＭＴＣおよびＵＲＬＬＣの３つの典型的なアプリケーションシナリオ、スマートシティ（Ｓｍａｒｔ  ｃｉｔｙ）、音声（Ｖｏｉｃｅ）、スマートホーム／ビル（Ｓｍａｒｔ  ｈｏｍｅ／ｂｕｉｌｄｉｎｇ）、１秒当たり数ギガバイト（Ｇｉｇａｂｙｔｅｓ  ｉｎ  ａ  ｓｅｃｏｎｄ）、３Ｄビデオ、ＵＨＤスクリーン（３Ｄ  ｖｉｄｅｏ，  ＵＨＤ  ｓｃｒｅｅｎｓ）、クラウドにおける仕事および遊び（Ｗｏｒｋ  ａｎｄ  ｐｌａｙ  ｉｎ  ｔｈｅ  ｃｌｏｕｄ）、拡張現実（Ａｕｇｍｅｎｔｅｄ  ｒｅａｌｉｔｙ）、産業オートメーション（Ｉｎｄｕｓｔｒｙ  ａｕｔｏｍａｔｉｏｎ）、ミッションクリティカルアプリケーション（Ｍｉｓｓｉｏｎ  ｃｒｉｔｉｃａｌ  ａｐｐｌｉｃａｔｉｏｎ）および自動運転車（Ｓｅｌｆ  ｄｒｉｖｉｎｇ  ｃａｒ）等の複数の使用ソリューションが含まれる。当該図から、一部の使用ソリューションは、複数のシナリオに適用可能であることが判明してよい。例えば、中でも、音声、スマートホーム／ビル、３Ｄビデオ、ＵＨＤスクリーン、クラウドにおける仕事および遊び並びに拡張現実等の使用ソリューションは、これらの３つのシナリオに適用可能である。しかしながら、いくつかの使用ソリューションは、特定のシナリオにより適用可能である。例えば、１秒当たり数ギガバイトの使用ソリューションは、ｅＭＢＢシナリオにより適用可能であり、スマートシティの使用ソリューションは、ｍＭＴＣシナリオにより適用可能であり、ミッションクリティカルアプリケーションおよび自動運転車の使用ソリューションは、ＵＲＬＬＣシナリオにより適用可能である。異なる使用ソリューションは、異なるサービスは、異なる性能要件に対応していること、または、異なるシナリオにおける同一サービスは、異なる性能要件に対応してこと、および選択されたチャネル符号化方式は異なること、を意味する。本発明のこの実施形態で提供される符号化方式判定方法は、好適なチャネル符号化方式を判定するために適用されて、最適な性能を達成してよい。
【００９５】
本発明のこの実施形態で提供される符号化方式判定方法によると、プリセットされた第１の指定値Ｘ以上である少なくとも１つのＩＢＳが判定され、ビットの情報ブロックまたはビットの情報ブロックのコードブロックを符号化すべく、当該少なくとも１つのＩＢＳから、ＩＢＳが選択される。Ｘおよび符号化方式は、シナリオ、情報タイプおよび／またはサービスタイプによって判定される。このように、シナリオ、情報タイプおよび／またはサービスタイプに基づき、好適な符号化方式が、判定されてよい。
【００９６】
図１１は、本発明の第４実施形態による符号化方式判定方法の概略フローチャートである。上記方法は、以下の段階を含む。
【００９７】
Ｓ４０１：プリセットされた第１の指定値Ｘ以上である少なくとも１つのＩＢＳを判定する。
【００９８】
この段階は、上述の実施形態における段階Ｓ３０１と同一であり、本明細書において詳細について、再度説明はしない。
【００９９】
Ｓ４０２：ビットの情報ブロックのサイズが、プリセットされた第２の指定値Ｙより大きいかを判定する。ビットの情報ブロックのサイズが、プリセットされた第２の指定値Ｙより大きい場合、段階Ｓ４０３に進む。あるいは、ビットの情報ブロックのサイズが、プリセットされた第２の指定値Ｙより大きくない場合、段階Ｓ４０５に進む。
【０１００】
この段階は、ビットの情報ブロックをセグメント化するかどうかの判定に用いられる。本明細書では、Ｙは、セグメント化の基準値であり、対応するシナリオ、情報タイプおよび／またはサービスタイプに基づき設定される。例えば、サービスタイプが３Ｄビデオであり、且つ、データ情報量が比較的大きい、具体的に言うと、ビットの情報ブロックのサイズが比較的大きい場合、一般に、セグメント化が行われる必要があり、Ｙを過度に小さい値に設定することは不適切である。
【０１０１】
Ｓ４０３：第２の指定値およびパディングされるビット量が最小であるという原理に基づき、ビットの情報ブロックをセグメント化して、同一サイズの複数のコードブロックを取得する。
【０１０２】
この実施形態においては、ビットの情報ブロックがセグメント化され、同一サイズの複数のコードブロックが取得される。例えば、ビットの情報ブロックのサイズが、３２００ビットであり、Ｙが１６００ビットに等しい場合、セグメント化により、同一サイズの２つのコードブロックが取得され、各コードブロックのサイズは、１６００ビットである。セグメント化により、同一のコードブロックが取得される場合、パディングされるビット量が最小であるという原理は、パディングされるビット量が最小になるように、ＣＢＳに最も近似するＩＢＳを選択することを意味する。
【０１０３】
Ｓ４０４：複数のコードブロックを符号化すべく、第１の情報ブロックサイズ（ＩＢＳ１）を選択する。
【０１０４】
セグメント化により取得された複数のコードブロックに対し、当該複数のコードブロックを符号化すべく、ＩＢＳ１が選択される。ＩＢＳ１は、コードブロックのコードブロックサイズＣＢＳおよびパディングされるビット量の和であり、パディングされるビット量は０以上の整数である。従って、ＩＢＳ１は、ＣＢＳ以上である。パディングされるビット量が最小である場合、ＩＢＳ１は、ＣＢＳに最も近似する。上述の例においては、各コードブロックのサイズは、１６００ビットであり、１６２０ビットに等しいＩＢＳ１が選択されてよく、各コードブロックに対し、２０ビットがパディングされる必要がある。
【０１０５】
ビットの情報ブロックは、同一サイズの複数のコードブロックにセグメント化され、セグメント化により取得された当該複数のコードブロックを符号化すべく、１つの情報ブロックサイズを用いる。セグメント化態様は単純であり、且つ、パディングされるビット量は最小であるので、ビットパディングオーバーデッドを低減させる。
【０１０６】
Ｓ４０５：ビットの情報ブロックを符号化すべく、第３の情報ブロックサイズＩＢＳ３を選択する。
【０１０７】
ビットの情報ブロックがセグメント化される必要がない場合、ビットの情報ブロックを符号化すべく、ＩＢＳ３が用いられる。同様に、ＩＢＳ３は、ビットの情報ブロックのサイズ以上であり、ＩＢＳ３は、ビットの情報ブロックのサイズに最も近似する。
【０１０８】
本発明のこの実施形態で提供される符号化方式判定方法により、第１の指定値Ｘ以上である少なくとも１つのＩＢＳが判定される。セグメント化される必要があるビットの情報ブロックが、同一サイズの複数のコードブロックにセグメント化される。ビットの情報ブロックのコードブロックを符号化すべく、当該少なくとも１つのＩＢＳからＩＢＳが選択される。ＩＢＳは、コードブロックのコードブロックサイズと、パディングされるビット量との和である。Ｘおよび符号化方式は、シナリオ、情報タイプおよび／またはサービスタイプによって判定される。このように、シナリオ、情報タイプおよび／またはサービスタイプに基づき、好適な符号化方式が、判定されてよい。また、ビットの情報ブロックは、同一サイズの複数のコードブロックにセグメント化され、セグメント化により取得された当該複数のコードブロックを符号化すべく、１つの情報ブロックサイズが用いられる。セグメント化態様は単純であり、且つ、パディングされるビット量は最小であるので、ビットパディングオーバーデッドを低減させる。
【０１０９】
図１３は、本発明の第５実施形態による符号化方式判定方法の概略フローチャートである。上記方法は、以下の段階を含む。
【０１１０】
Ｓ５０１：プリセットされた第１の指定値Ｘ以上である少なくとも１つのＩＢＳを判定する。
【０１１１】
この段階は、上述の実施形態における段階Ｓ３０１またはＳ４０１と同一であり、詳細について、本明細書において再度説明はしない。
【０１１２】
Ｓ５０２：ビットの情報ブロックのサイズが、プリセットされた第３の指定値Ｚより大きいかどうかを判定する。ビットの情報ブロックのサイズが、プリセットされた第３の指定値Ｚより大きい場合、段階Ｓ５０３に進む。または、ビットの情報ブロックのサイズが、プリセットされた第３の指定値Ｚより大きくない場合、段階Ｓ５０５に進む。
【０１１３】
この段階は、ビットの情報ブロックをセグメント化するかどうかの判定に用いられる。本明細書では、Ｚは、セグメント化の基準値であり、対応するシナリオ、情報タイプおよび／またはサービスタイプに基づき設定される。例えば、サービスタイプが３Ｄビデオであり、且つ、データ情報量が比較的大きい、具体的に言うと、ビットの情報ブロックのサイズが比較的大きい場合、一般に、セグメント化が行われる必要があり、Ｚを過度に小さい値に設定することは不適切である。
【０１１４】
Ｓ５０３：第３の指定値およびパディングされるビット量が最小であるという原理に基づき、ビットの情報ブロックをセグメント化して、異なるサイズの複数のコードブロックを取得する。
【０１１５】
しばしば、ビットの情報ブロックは、同一サイズの複数のコードブロックにきっかりセグメント化できない。あるいは、多様な符号化方式を考慮して、この段階において、異なるサイズの複数のコードブロックを取得すべく、ビットの情報ブロックは、セグメント化される。例えば、ビットの情報ブロックの情報タイプが、データ情報であり、且つ、トランスポートブロックのサイズが１５０００ビットである場合、パディングされるビット量が最小であるという原理に従い、トランスポートブロックは、１００８０ビットのサイズおよび４９２０の残りのビットのサイズを持つコードブロックにセグメント化される。
【０１１６】
Ｓ５０４：複数のコードブロックを符号化すべく、複数の第２の情報ブロックサイズＩＢＳ２を選択する。
【０１１７】
各コードブロックを符号化すべく、１つのＩＢＳ２が選択される。各ＩＢＳ２は、各コードブロックのコードブロックサイズＣＢＳと、パディングされるビット量との和であり、パディングされるビット量は、０以上である。上述の例においては、１００８０ビットのコードブロックに対し、１００８０ビットに等しい１つのＩＢＳ２が存在するので、パディングされるビット量は０であり、１００８０ビットのＩＢＳ２が選択され、コードブロックが符号化される。４９２０ビットのコードブロックに対しては、５０４０ビットに等しいＩＢＳが当該コードブロックに最も近似し、６０ビットがパディングされ、５０４０ビットのＩＢＳ２が用いられて、当該コードブロックを符号化する。
【０１１８】
パディングされるビット量が最小であるという原理の１つの態様は、以下のようであってよい。すなわち、コードブロックは、セグメント化によりシーケンシャルに取得される。セグメント化により取得される第１のコードブロックは、最小のパディングされるビット量を有し、次は第２のコードブロックである。随意に、最も大きい情報ブロックサイズに等しいコードブロックサイズを持つコードブロックが、セグメント化により、まず取得される。その後、コードブロックは、セグメント化によりシーケンシャルに取得され、パディングされるビット量は、最小となる必要がある。例えば、トランスポートブロックが、１５０００ビットのサイズを有し、１００８０ビットのサイズを持つコードブロックおよび残り４９２０ビットのサイズを持つコードブロックにセグメント化される。１００８０ビットのサイズを持つコードブロックおよび５０４０ビットのサイズを持つコードブロックが符号化のために用いられるように、５０４０ビットのサイズが選択され、６０ビットがパディングされる。別の態様は、以下の通りである。すなわち、図１２中の例示的なリソースブロック上のパディングされるビット量が最小であるという原理の概略図に示される通り、すべてのサブキャリアおよびＲＢのＯＦＤＭシンボルで可及的多くの利用可能な送信ビットが用いられるように、比較的大きなコードブロックサイズが、まず判定される。残存する利用可能な送信ビットがまだ存在する場合、すべてのサブキャリアおよびＲＢのＯＦＤＭシンボルで可及的多くの残存する利用可能な送信ビットが用いられるように、前のサイズ以下の１つのコードブロックサイズが、さらに判定され、以下、同様である。
【０１１９】
随意に、比較的小さいコードブロックサイズＣＢＳを持つコードブロックＣＢが、変調信号点において、高（低）信頼性を持つビットにマッピングされる。例えば、１６ＱＡＭ変調方式においては、１つの信号点は、４ビットを含む１つの１６ＱＡＭ変調シンボルに対応しており、当該４ビットは、異なる送信信頼性を有する。従って、本発明のこの実施形態においては、比較的高い信頼性を持つビットが用いられて、比較的小さいコードブロックサイズＣＢＳを持つコードブロックＣＢを送信してよい。また、本発明のこの実施形態においては、代替的に、比較的低い信頼性を持つビットが用いられて、比較的小さいコードブロックサイズＣＢＳを持つコードブロックＣＢを送信してよい。
【０１２０】
Ｓ５０５：ビットの情報ブロックを符号化すべく、第４の情報ブロックサイズＩＢＳ４を選択する。
【０１２１】
ビットの情報ブロックがセグメント化される必要がない場合、ビットの情報ブロックを符号化すべく、ＩＢＳ４が用いられる。同様に、ＩＢＳ４は、ビットの情報ブロックのサイズ以上であり、ＩＢＳ４は、ビットの情報ブロックのサイズに最も近似する。
【０１２２】
本発明のこの実施形態で提供される符号化方式判定方法によると、プリセットされた第１の指定値Ｘ以上である少なくとも１つのＩＢＳが判定される。異なるサイズの複数のコードブロックを取得すべく、ビットの情報ブロックが、セグメント化される。各コードブロックを符号化すべく、当該少なくとも１つのＩＢＳから１つのＩＢＳが選択される。選択されたＩＢＳは、コードブロックとパディングされるビット量との和である。Ｘおよび符号化方式は、シナリオ、情報タイプおよび／またはサービスタイプによって判定される。このように、シナリオ、情報タイプおよび／またはサービスタイプに基づき、好適な符号化方式が判定されてよい。また、ビットの情報ブロックは、異なるサイズの複数のコードブロックにセグメント化され、複数のコードブロックを符号化すべく、複数の情報ブロックサイズが用いられる。このように、符号化方式が多様であり、符号化は、柔軟に行われてよく、パディングされるビット量は、最小であるので、ビットパディングオーバーデッドを低減させる。
【０１２３】
図１４は、本発明の第６実施形態による符号化方式判定方法の概略フローチャートである。上記方法は、以下の段階を含む。
【０１２４】
Ｓ６０１：選択された低密度パリティチェックＬＤＰＣ符号レートおよび選択されたＬＤＰＣ符号レートに対応するＬＤＰＣ符号の最大ＩＢＳを判定する。
【０１２５】
この実施形態においては、ＬＤＰＣ符号の符号化タイプが、既定で選択される。従って、Ｘ以上である少なくとも１つのＩＢＳが、判定される。例えば、ＬＤＰＣ符号の最小のＩＢＳは、３２４であり、従って、Ｘは３２４に設定されてよい。
【０１２６】
図１の例示的なＬＤＰＣ符号化方式の概略図に示される通り、ＬＤＰＣ符号は、４つの符号レート（１／２、２／３、３／４および５／６）を有し、１２個のＩＢＳが提供され、すなわち、１２個の符号化方式が提供される。ＩＢＳを選択すべく、ＬＤＰＣ符号レートが、まず判定される必要がある。当該符号レートが選択された後、当該符号レートに対応するＬＤＰＣ符号の最大ＩＢＳが、判定されてよい。図１に示される通り、符号レート１／２に対応する最大ＩＢＳは、９７２ビットに等しく、符号レート２／３に対応する最大ＩＢＳは、１２９６ビットに等しく、符号レート３／４に対応する最大ＩＢＳは、１４５８ビットに等しく、符号レート５／６に対応する最大ＩＢＳは、１６２０ビットに等しい。
【０１２７】
ＬＤＰＣ符号の２つのＩＢＳ、すなわち、符号レート１／２に対応する９７２ビットに等しい最大ＩＢＳ、および、符号レート３／４に対応する９７２ビットに等しい中間ＩＢＳは、同一である。符号レートを選択することにより、当該符号レートに対応する最大ＩＢＳが判定されてよく、符号化方式が判定されてよい。
【０１２８】
Ｓ６０２：ビットの情報ブロックのサイズが、最大ＩＢＳより大きいかどうかを判定する。ビットの情報ブロックのサイズが、最大ＩＢＳより大きい場合、段階Ｓ６０３に進む。または、ビットの情報ブロックのサイズが、最大ＩＢＳより大きくない場合、段階Ｓ６０５に進む。
【０１２９】
この段階は、セグメント化を実行するかどうかの判定に用いられてよい。本明細書において、セグメント化のための基準値は、最大ＩＢＳである。
【０１３０】
Ｓ６０３：最大ＩＢＳ、およびパディングされるビット量が最小であるという原理に基づき、ビットの情報ブロックをセグメント化して、同一サイズの複数のコードブロックを取得する。
【０１３１】
この実施形態においては、ビットの情報ブロックは、同一サイズのコードブロックにセグメント化され、このプロセスは、上述の実施形態における段階Ｓ４０３と同一である。詳細について、本明細書において再度説明はしない。もちろん、代替的に、ビットの情報ブロックは、異なるサイズのコードブロックにセグメント化されてよく、このプロセスは、上述の実施形態における段階Ｓ５０３と同一である。
【０１３２】
Ｓ４０４：複数のコードブロックを符号化すべく、第１の情報ブロックサイズＩＢＳ１を選択する。
【０１３３】
同一サイズの複数のコードブロックが、セグメント化により取得される場合、最大ＩＢＳが、セグメント化のための基準値として用いられるので、ＩＢＳ１は一般に最大ＩＢＳである。
【０１３４】
もちろん、代替的に、セグメント化のための基準値が、符号レートに対応する最小のＩＢＳに設定されてもよい。
【０１３５】
Ｓ４０５：ビットの情報ブロックを符号化すべく、第３の情報ブロックサイズＩＢＳ３を選択する。
【０１３６】
ビットの情報ブロックが、セグメント化される必要がない場合、ビットの情報ブロックを符号化すべく、ＩＢＳ３が用いられる。同様に、ＩＢＳ３は、ビットの情報ブロックのサイズ以上であり、ＩＢＳ３は、ビットの情報ブロックのサイズに最も近似する。
【０１３７】
本発明のこの実施形態で提供される符号化方式判定方法によると、ビットの情報ブロックまたはビットの情報ブロックのコードブロックを符号化すべく、ＬＤＰＣ符号の少なくとも１つのＩＢＳから、ＩＢＳが選択される。Ｘおよび符号化方式は、シナリオ、情報タイプおよび／またはサービスタイプによって判定される。このように、シナリオ、情報タイプおよび／またはサービスタイプに基づき、好適なＬＤＰＣ符号化方式が、判定されてよい。
【０１３８】
図１５は、本発明の第７実施形態による、基地局デバイスの概略構造図である。基地局デバイス１０００は、送信ユニット１１を含む。
【０１３９】
送信ユニット１１は、より上位層の制御シグナリング、物理層制御シグナリング、または同期信号を端末デバイスに送信するように構成され、より上位層の制御シグナリング、物理層制御シグナリング、または同期信号は、符号化方式指示情報を含み、符号化方式指示情報は、ビットの情報ブロックの符号化方式を示すために用いられる。
【０１４０】
この実施形態においては、符号化方式は、Ｐｏｌａｒ符号、ターボ符号、ＬＤＰＣ符号、畳み込み符号、ブロック符号および反復符号のうちの少なくとも１つの符号化タイプを含む。ビットの情報ブロックは、制御情報およびデータ情報のうちの少なくとも１つの情報タイプを含む。具体的に言うと、示された符号化方式を用いて、制御情報またはデータ情報が符号化される。制御情報は、さらに、システム情報、チャネル品質情報等を含んでよい。
【０１４１】
基地局デバイスは、端末デバイスに、基地局デバイスと端末デバイスとの間での通信中に通常送信される特定のシグナリングまたはいくつかの信号である、より上位層の制御シグナリング、物理層制御シグナリング、または同期信号を送信する。この実施形態においては、より上位層の制御シグナリング、物理層制御シグナリングまたは同期信号は、符号化方式指示情報を保持し、符号化方式指示情報は、端末デバイスによって使用されるべき符号化方式を明確に示すべく、ビットの情報ブロックの符号化方式を示すために用いられる。
【０１４２】
随意に、より上位層の制御シグナリングは、無線リソース制御シグナリングであってよい。図４中の無線リソース制御シグナリングを用いることにより実行される例示的な符号化方式判定の概略相互作用図に示される通り、ＲＲＣシグナリングは、符号化方式指示情報を保持し、符号化方式指示情報は、符号化方式を示すために用いられる。端末デバイスと、基地局デバイスとの間で、ビットの情報ブロックが送信されるとき、端末デバイスおよび／または基地局デバイスは、示された符号化方式を用いて、ビットの情報ブロックを符号化する。
【０１４３】
随意に、物理層制御シグナリングは、ダウンリンク制御情報およびアップリンク制御情報を含む。図５中のダウンリンク制御情報／アップリンク制御情報を用いることにより実行される例示的な符号化方式判定の概略相互作用図に示される通り、ＤＣＩ／ＵＣＩは、符号化方式指示情報を保持し、符号化方式指示情報は、符号化方式を示すために用いられる。端末デバイスと、基地局デバイスとの間で、ビットの情報ブロックが送信されるとき、端末デバイスおよび／または基地局デバイスは、示された符号化方式を用いて、ビットの情報ブロックを符号化する。
【０１４４】
図６は、同期信号を用いて実行される例示的な符号化方式判定の概略相互作用図である。同期信号は、プライマリ同期信号、セカンダリ同期信号等であってよい。同期信号は、符号化方式指示情報を保持し、符号化方式指示情報は、符号化方式を示すために用いられる。端末デバイスと、基地局デバイスとの間で、ビットの情報ブロックが送信されるとき、端末デバイスおよび／または基地局デバイスは、示された符号化方式を用いて、ビットの情報ブロックを符号化する。
【０１４５】
本発明のこの実施形態で提供される基地局デバイスによると、基地局デバイスは、ビットの情報ブロックの符号化方式を示すべく、端末デバイスに、符号化方式指示情報を保持する、より上位層の制御シグナリング、物理層制御シグナリング、または同期信号を送信する。端末デバイスおよび／または基地局デバイスは、示された符号化方式に基づき、ビットの情報ブロックを符号化し、その結果、基地局デバイスは、符号化方式を明確且つ柔軟に示してよく、これにより、符号化方式を別々に示すことによって生じるシグナリングオーバーヘッドを低減させる。
【０１４６】
図１６は、本発明の第８実施形態による、端末デバイスの概略構造図である。端末デバイス２０００は、受信ユニット２１および送信ユニット２２を含む。
【０１４７】
受信ユニット２１は、基地局デバイスの能力ネゴシエーション要求メッセージを受信するように構成されている。
【０１４８】
送信ユニット２２は、能力情報報告メッセージを基地局デバイスに送信するように構成され、能力情報報告メッセージは、符号化方式指示情報を含み、符号化方式指示情報は、ビットの情報ブロックの符号化方式を示すために用いられる。
【０１４９】
この実施形態においては、符号化方式は、Ｐｏｌａｒ符号、ターボ符号、ＬＤＰＣ符号、畳み込み符号、ブロック符号および反復符号のうちの少なくとも１つの符号化タイプを含む。ビットの情報ブロックは、制御情報およびデータ情報のうちの少なくとも１つの情報タイプを含む。制御情報は、さらに、システム情報、チャネル品質情報ＣＱＩ等を含んでよい。
【０１５０】
端末デバイスが、基地局デバイスにアクセスすると、基地局デバイスは、端末デバイスの能力を認識する。これは、必要なプロセスのうちの１つである。具体的には、端末デバイスは、基地局デバイスの能力ネゴシエーション要求メッセージを受信し、端末デバイスは、能力情報報告メッセージを、基地局デバイスに送信する。この実施形態においては、能力情報報告メッセージは、符号化方式指示情報を含み、符号化方式指示情報は、符号化方式を示すために用いられ、その結果、基地局デバイスによって用いられるべき符号化方式は、明確に示されてよく、符号化方式を示すべく、別のシグナリングが用いられる必要がなく、これにより、シグナリングオーバーヘッドを低減させる。
【０１５１】
本発明のこの実施形態で提供される端末デバイスによると、端末デバイスは、符号化方式を示すべく、符号化方式指示情報を保持する能力情報報告メッセージを、基地局デバイスに返す。基地局デバイスおよび／または端末デバイスは、示された符号化方式に基づき、ビットの情報ブロックを符号化し、その結果、端末デバイスは、符号化方式を明確且つ柔軟に示してよく、これにより、符号化方式を別々に示すことによって生じるシグナリングオーバーヘッドを低減させる。
【０１５２】
図１７は、本発明の第９実施形態による符号化方式判定装置の概略構造図である。装置３０００は、第１の判定ユニット３１および選択ユニット３２を含む。
【０１５３】
第１の判定ユニット３１は、プリセットされた第１の指定値Ｘ以上である少なくとも１つのＩＢＳを判定するように構成されており、Ｘは、対応するシナリオ、情報タイプ、および／またはサービスタイプに基づいて設定されており、各シナリオ、情報タイプ、および／またはサービスタイプは、少なくとも１つのＩＢＳに対応する。
【０１５４】
図１の例示的なＬＤＰＣ符号化方式の概略図に示される通り、１２個のＩＢＳが提供されている。また、ターボ符号に対しては、１８８のＩＢＳが提供されており、Ｐｏｌａｒ符号、畳み込み符号、ブロック符号および反復符号等のその他については、複数のＩＢＳが含まれる。この実施形態においては、シナリオ、情報タイプおよび／またはサービスタイプに基づき、好適な符号化方式が、判定される必要がある。各符号化方式は、１つのＩＢＳに対応する。もちろん、随意に、１つのＩＢＳは、複数の符号化方式に対応してもよい。このような多数のＩＢＳにおいて、１つのＩＢＳを判定すべく、ＩＢＳ選択のためのより低い閾値、すなわち、第１の指定値Ｘが、まず設定される。Ｘは、対応するシナリオ、情報タイプおよび／またはサービスタイプに基づいて設定される。これは、シナリオ、情報タイプおよび／またはサービスタイプに基づき、好適な符号化方式を判定するための第１の段階である。すなわち、Ｘ以上である１または複数のＩＢＳが判定される。判定された１または複数のＩＢＳは予め、シナリオ、情報タイプおよび／またはサービスタイプに対応している。換言すると、各シナリオ、情報タイプおよび／またはサービスタイプは、１または複数のＩＢＳに対応している。
【０１５５】
選択ユニット３２は、ビットの情報ブロックまたはビットの情報ブロックのコードブロックを符号化すべく、少なくとも１つのＩＢＳから、ＩＢＳを選択するように構成されており、選択されたＩＢＳは、ビットの情報ブロックのサイズ以上であり、ＩＢＳは、ビットの情報ブロックのサイズとの最も小さい差異を有し、または、選択されたＩＢＳは、コードブロックのコードブロックサイズＣＢＳ以上であり、ＩＢＳは、ＣＢＳとの最も小さい差異を有する。
【０１５６】
この実施形態においては、符号化方式は、シナリオ、情報タイプ、および／またはサービスタイプによって判定され、符号化方式は、Ｐｏｌａｒ符号、ターボ符号、ＬＤＰＣ符号、畳み込み符号、ブロック符号および反復符号のうちの少なくとも１つの符号化タイプを含む。
【０１５７】
シナリオ、情報タイプ、および／またはサービスタイプに基づき、好適な符号化方式を判定するための第２の段階において、ＩＢＳが判定された１または複数のＩＢＳから選択される。１または複数のＩＢＳからＩＢＳを選択することは、以下の２つの条件の両方を満たす必要がある。すなわち、（１）選択されたＩＢＳは、ビットの情報ブロックのサイズ以上であること、および（２）ＩＢＳは、ビットの情報ブロックのサイズに最も近似している、すなわち、ＩＢＳは、ビットの情報ブロックのサイズとの最も小さい差異を有すること、または、（１）'選択されたＩＢＳは、コードブロックのコードブロックサイズ以上であること、および（２）'ＩＢＳは、ＣＢＳに最も近似している、すなわち、ＩＢＳは、ＣＢＳとの最も小さい差異を有すること、である。本明細書では、コードブロックは、ビットの情報ブロックをセグメント化した後に取得される。ビットの情報ブロックのサイズが、比較的大きい場合、ビットの情報ブロックは、一般にセグメント化される必要がある。情報ブロックサイズとは、ビットの情報ブロックまたはコードブロックを符号化するために用いられる、情報ブロックのサイズである。
【０１５８】
この実施形態により取得されたＩＢＳは、シナリオ、情報タイプ、および／またはサービスタイプに基づき、判定および選択される。また、ＩＢＳは、ビットの情報ブロックのサイズ、またはビットの情報ブロックのコードブロックのコードブロックサイズに最も近似しており、従って、好適なＩＢＳである。この情報ブロックサイズは符号化に用いられ、従って、また、その符号化方式も、シナリオ、情報タイプおよび／またはサービスタイプに対応している。本明細書では、シナリオは、例えば、ｅＭＢＢ、ｍＭＴＣまたはＵＲＬＬＣといったサービスアプリケーションシナリオであり、情報タイプは、制御情報およびデータ情報を含み、サービスタイプは、音声、３Ｄビデオ、自動運転車等を含む。
【０１５９】
随意に、各符号化タイプは、１つのＩＢＳセットに対応していてよく、各ＩＢＳセットは、少なくとも１つのＩＢＳを含み、各ＩＢＳは、１つの符号化方式に対応している。図９の（ａ）のシナリオ、情報タイプおよび／またはサービスタイプのケースにおける様々な符号化タイプに対応する例示的なＩＢＳセットの概略図に示される通り、畳み込み符号のためのＩＢＳセットは｛２０，３０，３１，...｝であり、ターボ符号のためのＩＢＳセットは｛４０，４８，６４，...｝であり、Ｐｏｌａｒ符号のためのＩＢＳセットは｛１２８，２５６，...｝であり、ＬＤＰＣ符号のためのＩＢＳセットは｛３２４，４３２，...１６２０...｝であると仮定する。符号化方式は、この実施形態を用いることにより判定される。例えば、現在のシナリオはｅＭＢＢであり、サービスタイプは３Ｄビデオであり、送信されるべきデータ量は比較的大量であり、ＣＢＳは３２３に等しいと仮定する。従って、Ｘは４０に設定され、４０以上のＩＢＳを持つセットは、ターボ符号、Ｐｏｌａｒ符号およびＬＤＰＣ符号に対応するＩＢＳセットを含む。ＣＢＳは３２３に等しいので、選択される必要のあるＩＢＳは３２３以上であり、ＩＢＳは、ＣＢＳに最も近似する。従って、３２４に等しいＩＢＳが最終的に選択され、符号化タイプはＬＤＰＣである。ＩＢＳを符号化タイプによって、セットに分類する態様においては、ＩＢＳおよび符号化方式を判定することが、より簡便である。さらに、図９の異なるシナリオ、情報タイプおよび／またはサービスタイプのケースにおける様々な符号化タイプに対応する例示的なＩＢＳセットの概略図に示される通り、同一のシナリオ、情報タイプおよび／またはサービスタイプについては、各符号化タイプは、１つのＩＢＳセットに対応し、各符号化タイプに対応するＩＢＳセットは、重複するＩＢＳを有していない。しかしながら、異なるシナリオ、情報タイプおよび／またはサービスタイプについては、符号化タイプに対応するＩＢＳセットは、重複するＩＢＳを有してよい。図９に示される通り、図の（ａ）は，シナリオ、情報タイプおよび／またはサービスタイプにおけるケースの様々な符号化タイプに対応するＩＢＳセットの概略図であり、図の（ｂ）は、別のシナリオ、情報タイプ、および／またはサービスタイプのケースにおける様々な符号化タイプに対応するＩＢＳセットの概略図である。図の（ａ）および図の（ｂ）中、ＬＤＰＣ符号のＩＢＳセットは、１６２０に等しい同一のＩＢＳを有し、Ｐｏｌａｒ符号のＩＢＳセットは、２５６に等しい同一のＩＢＳを有する等である。また、図（ａ）中のＬＤＰＣ符号のＩＢＳセットおよび図（ｂ）中のＰｏｌａｒ符号のＩＢＳセットは、４３２に等しい同一のＩＢＳセットを有する等である。上述内容は、例示を用いて、本発明のこの実施形態における様々な符号化タイプに対応するＩＢＳセットを説明している。しかしながら、この実施形態は、上述の特定例に限定はされない。
【０１６０】
図１０は、将来の国際モバイル通信（Ｉｎｔｅｒｎａｔｉｏｎａｌ  Ｍｏｂｉｌｅ  Ｔｅｌｅｃｏｍｍｕｎｉｃａｔｉｏｎ：ＩＭＴ）の例示的な予測される使用ソリューションの概略図である。この図には、ｅＭＢＢ、ｍＭＴＣおよびＵＲＬＬＣの３つの典型的なアプリケーションシナリオ、スマートシティ（Ｓｍａｒｔ  ｃｉｔｙ）、ボイス（Ｖｏｉｃｅ）、スマートホーム／ビル（Ｓｍａｒｔ  ｈｏｍｅ／ｂｕｉｌｄｉｎｇ）、１秒当たり数ギガバイト（Ｇｉｇａｂｙｔｅｓ  ｉｎ  ａ  ｓｅｃｏｎｄ）、３Ｄビデオ、ＵＨＤスクリーン（３Ｄ  ｖｉｄｅｏ，  ＵＨＤ  ｓｃｒｅｅｎｓ）、クラウドにおける仕事および遊び（Ｗｏｒｋ  ａｎｄ  ｐｌａｙ  ｉｎ  ｔｈｅ  ｃｌｏｕｄ）、拡張現実（Ａｕｇｍｅｎｔｅｄ  ｒｅａｌｉｔｙ）、産業オートメーション（Ｉｎｄｕｓｔｒｙ  ａｕｔｏｍａｔｉｏｎ）、ミッションクリティカルアプリケーション（Ｍｉｓｓｉｏｎ  ｃｒｉｔｉｃａｌ  ａｐｐｌｉｃａｔｉｏｎ）および自動運転車（Ｓｅｌｆ  ｄｒｉｖｉｎｇ  ｃａｒ）等の複数の使用ソリューションが含まれる。当該図から、一部の使用ソリューションは、複数のシナリオに適用可能であることが判明してよい。例えば、中でも、音声、スマートホーム／ビル、３Ｄビデオ、ＵＨＤスクリーン、クラウドにおける仕事および遊び並びに拡張現実等の使用ソリューションは、これらの３つのシナリオに適用可能である。しかしながら、いくつかの使用ソリューションは、特定のシナリオにより適用可能である。例えば、１秒当たり数ギガバイトの使用ソリューションは、ｅＭＢＢシナリオにより適用可能であり、スマートシティの使用ソリューションは、ｍＭＴＣシナリオにより適用可能であり、ミッションクリティカルアプリケーションおよび自動運転車の使用ソリューションは、ＵＲＬＬＣシナリオにより適用可能である。異なる使用ソリューションは、異なるサービスは、異なる性能要件に対応していること、または、異なるシナリオにおける同一サービスは、異なる性能要件に対応してこと、および選択されたチャネル符号化方式は異なること、を意味する。本発明のこの実施形態で提供される符号化方式判定方法は、好適なチャネル符号化方式を判定するために適用されて、最適な性能を達成してよい。
【０１６１】
本発明のこの実施形態で提供される符号化方式判定装置によると、プリセットされた第１の指定値Ｘ以上である少なくとも１つのＩＢＳが判定され、ビットの情報ブロックまたはビットの情報ブロックのコードブロックを符号化すべく、当該少なくとも１つのＩＢＳから、ＩＢＳが選択される。Ｘおよび符号化方式は、シナリオ、情報タイプおよび／またはサービスタイプに基づいて判定される。このように、シナリオ、情報タイプおよび／またはサービスタイプに基づき、好適な符号化方式が判定されてよい。
【０１６２】
図１８は、本発明の第１０実施形態による符号化方式判定装置の概略構造図である。装置４０００は、第１の判定ユニット４１、第１のセグメント化ユニット４２および選択ユニット４３を含む。
【０１６３】
第１の判定ユニット４１は、プリセットされた第１の指定値Ｘ以上である少なくとも１つのＩＢＳを判定するように構成されている。
【０１６４】
第１の判定ユニット４１の機能は、上述の実施形態における第１の判定ユニット３１の機能と同一であり、詳細について、本明細書においてここで再び説明しない。
【０１６５】
第１のセグメント化ユニット４２は、ビットの情報ブロックのサイズが、プリセットされた第２の指定値Ｙより大きい場合、第２の指定値およびパディングされるビット量が最小であるという原理に基づき、同一サイズの複数のコードブロックを取得すべく、ビットの情報ブロックをセグメント化するように構成されており、Ｙは、対応するシナリオ、情報タイプおよび／またはサービスタイプに基づき設定される。
【０１６６】
第１のセグメント化ユニット４２は、ビットの情報ブロックをセグメント化するかどうかを、まず判定する。本明細書では、Ｙは、セグメント化の基準値であり、対応するシナリオ、情報タイプおよび／またはサービスタイプに基づき設定される。例えば、サービスタイプが３Ｄビデオであり、且つ、データ情報量が比較的大きい、具体的に言うと、ビットの情報ブロックのサイズが比較的大きい場合、一般に、セグメント化が行われる必要があり、Ｙを過度に小さい値に設定することは不適切である。
【０１６７】
次に、第１のセグメント化ユニット４２は、第２の指定値およびパディングされるビット量が最小であるという原理に基づき、ビットの情報ブロックをセグメント化して、同一サイズの複数のコードブロックを取得するように構成されている。この実施形態においては、ビットの情報ブロックがセグメント化され、同一サイズの複数のコードブロックが取得される。例えば、ビットの情報ブロックのサイズが、３２００ビットであり、Ｙが１６００ビットに等しい場合、セグメント化により、同一サイズの２つのコードブロックが取得され、各コードブロックのサイズは、１６００ビットである。セグメント化により、同一のコードブロックが取得される場合、パディングされるビット量が最小であるという原理は、パディングされるビット量が最小になるように、ＣＢＳに最も近似するＩＢＳを選択することを意味する。
【０１６８】
選択ユニット４３は、複数のコードブロックを符号化すべく、第１の情報ブロックサイズＩＢＳ１を選択するように構成されている。
【０１６９】
セグメント化により取得された複数のコードブロックに対し、当該複数のコードブロックを符号化すべく、ＩＢＳ１が選択される。ＩＢＳ１は、コードブロックのコードブロックサイズＣＢＳおよびパディングされるビット量の和であり、パディングされるビット量は０以上の整数である。従って、ＩＢＳ１は、ＣＢＳ以上である。パディングされるビット量が最小である場合、ＩＢＳ１は、ＣＢＳに最も近似する。上述の例においては、各コードブロックのサイズは、１６００ビットであり、１６２０ビットに等しいＩＢＳ１が選択されてよく、各コードブロックに対し、２０ビットがパディングされる必要がある。
【０１７０】
ビットの情報ブロックは、同一サイズの複数のコードブロックにセグメント化され、セグメント化により取得された当該複数のコードブロックを符号化すべく、１つの情報ブロックサイズを用いる。セグメント化態様は単純であり、且つ、パディングされるビット量は最小であるので、ビットパディングオーバーデッドを低減させる。
【０１７１】
選択ユニット４３は、さらに、ビットの情報ブロックのサイズが、プリセットされた第２の指定値Ｙ以下である場合、ビットの情報ブロックを符号化すべく、第３の情報ブロックサイズＩＢＳ３を選択するように構成されている。
【０１７２】
ビットの情報ブロックがセグメント化される必要がない場合、ビットの情報ブロックを符号化すべく、ＩＢＳ３が用いられる。同様に、ＩＢＳ３は、ビットの情報ブロックのサイズ以上であり、ＩＢＳ３は、ビットの情報ブロックのサイズに最も近似する。
【０１７３】
本発明のこの実施形態で提供される符号化方式判定装置により、プリセットされた第１の指定値Ｘ以上である少なくとも１つのＩＢＳが判定される。セグメント化される必要があるビットの情報ブロックが、同一サイズの複数のコードブロックにセグメント化される。ビットの情報ブロックのコードブロックを符号化すべく、当該少なくとも１つのＩＢＳからＩＢＳが選択される。ＩＢＳは、コードブロックのコードブロックサイズと、パディングされるビット量との和である。Ｘおよび符号化方式は、シナリオ、情報タイプおよび／またはサービスタイプによって判定される。このように、シナリオ、情報タイプおよび／またはサービスタイプに基づき、好適な符号化方式が、判定されてよい。また、ビットの情報ブロックは、同一サイズの複数のコードブロックにセグメント化され、セグメント化により取得された当該複数のコードブロックを符号化すべく、１つの情報ブロックサイズが用いられる。セグメント化態様は単純であり、且つ、パディングされるビット量は最小であるので、ビットパディングオーバーデッドを低減させる。
【０１７４】
図１９は、本発明の第１１実施形態による符号化方式判定装置の概略構造図である。装置５０００は、第１の判定ユニット５１、第２のセグメント化ユニット５２および選択ユニット５３を含む。
【０１７５】
第１の判定ユニット５１は、プリセットされた第１の指定値Ｘ以上である少なくとも１つのＩＢＳを判定するように構成されている。
【０１７６】
第１の判定ユニット５１の機能は、上述の実施形態における第１の判定ユニット３１または第１の判定ユニット４１の機能と同一であり、詳細について、本明細書においてここで再び説明しない。
【０１７７】
第２のセグメント化ユニット５２は、ビットの情報ブロックのサイズが、プリセットされた第３の指定値Ｚより大きい場合、第３の指定値およびパディングされるビット量が最小であるという原理に基づき、異なるサイズの複数のコードブロックを取得すべく、ビットの情報ブロックをセグメント化するように構成されており、Ｚは、対応するシナリオ、情報タイプおよび／またはサービスタイプに基づき設定される。
【０１７８】
第２のセグメント化ユニット５２は、ビットの情報ブロックをセグメント化するかどうかを、まず判定する。本明細書では、Ｚは、セグメント化の基準値であり、対応するシナリオ、情報タイプおよび／またはサービスタイプに基づき設定される。例えば、サービスタイプが３Ｄビデオであり、且つ、データ情報量が比較的大きい、具体的に言うと、ビットの情報ブロックのサイズが比較的大きい場合、一般に、セグメント化が行われる必要があり、Ｚを過度に小さい値に設定することは不適切である。
【０１７９】
次に、第２のセグメント化ユニット５２は、第３の指定値およびパディングされるビット量が最小であるという原理に基づき、ビットの情報ブロックをセグメント化して、異なるサイズの複数のコードブロックを取得する。
【０１８０】
しばしば、ビットの情報ブロックは、同一サイズの複数のコードブロックにきっかりセグメント化できない。あるいは、多様な符号化方式を考慮して、この実施形態においては、異なるサイズの複数のコードブロックを取得すべく、ビットの情報ブロックは、セグメント化される。例えば、ビットの情報ブロックの情報タイプが、データ情報であり、且つ、トランスポートブロックのサイズが１５０００ビットである場合、パディングされるビット量が最小であるという原理に従い、トランスポートブロックは、１００８０ビットのサイズを持つコードブロックおよび４９２０の残りのビットのサイズを持つコードブロックにセグメント化される。
【０１８１】
選択ユニット５３は、複数のコードブロックを符号化すべく、複数の第２の情報ブロックサイズＩＢＳ２を選択するように構成されている。
【０１８２】
各コードブロックを符号化すべく、１つのＩＢＳ２が選択される。各ＩＢＳ２は、各コードブロックのコードブロックサイズＣＢＳと、パディングされるビット量との和であり、パディングされるビット量は、０以上である。上述の例においては、１００８０ビットのコードブロックに対し、１００８０ビットに等しい１つのＩＢＳ２が存在するので、パディングされるビット量は０であり、１００８０ビットのＩＢＳ２が選択され、コードブロックが符号化される。４９２０ビットのコードブロックに対しては、５０４０ビットに等しいＩＢＳが当該コードブロックに最も近似し、６０ビットがパディングされ、５０４０ビットのＩＢＳ２が用いられて、当該コードブロックを符号化する。
【０１８３】
パディングされるビット量が最小であるという原理の１つの態様は、以下のようであってよい。すなわち、コードブロックは、セグメント化によりシーケンシャルに取得される。セグメント化により取得される第１のコードブロックは、最小のパディングされるビット量を有し、次は第２のコードブロックである。随意に、最も大きい情報ブロックサイズに等しいコードブロックサイズを持つコードブロックが、セグメント化により、まず取得される。その後、コードブロックは、セグメント化によりシーケンシャルに取得され、パディングされるビット量は、最小となる必要がある。例えば、トランスポートブロックが、１５０００ビットのサイズを有し、１００８０ビットのサイズを持つコードブロックおよび残り４９２０ビットを持つコードブロックにセグメント化される。１００８０ビットのサイズを持つコードブロックおよび５０４０ビットのサイズを持つコードブロックが符号化のために用いられるように、５０４０ビットのサイズが選択され、６０ビットがパディングされる。別の態様は、以下の通りである。すなわち、図１２中の例示的なリソースブロック上のパディングされるビット量が最小であるという原理の概略図に示される通り、すべてのサブキャリアおよびＲＢのＯＦＤＭシンボルで可及的多くの利用可能な送信ビットが用いられるように、比較的大きなコードブロックサイズが、まず判定される。残存する利用可能な送信ビットがまだ存在する場合、すべてのサブキャリアおよびＲＢのＯＦＤＭシンボルで可及的多くの残存する利用可能な送信ビットが用いられるように、前のサイズ以下の１つのコードブロックサイズが、さらに判定され、以下、同様である。
【０１８４】
随意に、比較的小さいコードブロックサイズＣＢＳを持つコードブロックＣＢが、変調信号点において、高（低）信頼性を持つビットにマッピングされる。例えば、１６ＱＡＭ変調方式においては、１つの信号点は、４ビットを含む１つの１６ＱＡＭ変調シンボルに対応しており、当該４ビットは、異なる送信信頼性を有する。従って、本発明のこの実施形態においては、比較的高い信頼性を持つビットが用いられて、比較的小さいコードブロックサイズＣＢＳを持つコードブロックＣＢを送信してよい。また、本発明のこの実施形態においては、代替的に、比較的低い信頼性を持つビットが用いられて、比較的小さいコードブロックサイズＣＢＳを持つコードブロックＣＢを送信してよい。
【０１８５】
選択ユニット５３は、さらに、ビットの情報ブロックのサイズが、プリセットされた第３の指定値Ｚより大きい場合、ビットの情報ブロックを符号化すべく、第４の情報ブロックサイズＩＢＳ４を選択するように構成されている。
【０１８６】
ビットの情報ブロックがセグメント化される必要がない場合、ビットの情報ブロックを符号化すべく、ＩＢＳ４が用いられる。同様に、ＩＢＳ４は、ビットの情報ブロックのサイズ以上であり、ＩＢＳ４は、ビットの情報ブロックのサイズに最も近似する。
【０１８７】
本発明のこの実施形態で提供される符号化方式判定装置により、プリセットされた第１の指定値Ｘ以上である少なくとも１つのＩＢＳが判定される。異なるサイズの複数のコードブロックを取得すべく、ビットの情報ブロックが、セグメント化される。各コードブロックを符号化すべく、当該少なくとも１つのＩＢＳから１つのＩＢＳが選択される。選択されたＩＢＳは、コードブロックとパディングされるビット量との和である。Ｘおよび符号化方式は、シナリオ、情報タイプおよび／またはサービスタイプによって判定される。このように、シナリオ、情報タイプおよび／またはサービスタイプに基づき、好適な符号化方式が、判定されてよい。また、ビットの情報ブロックは、異なるサイズの複数のコードブロックにセグメント化され、複数のコードブロックを符号化すべく、複数の情報ブロックサイズが用いられる。このように、符号化方式が多様であり、符号化は、柔軟に行われてよく、パディングされるビット量は、最小であるので、ビットパディングオーバーデッドを低減させる。
【０１８８】
図２０は、本発明の第１２実施形態による符号化方式判定装置の概略構造図である。装置６０００は、第２の判定ユニット６１、第１のセグメント化ユニット６２および選択ユニット６３を含む。
【０１８９】
第２の判定ユニット６１は、選択された低密度パリティチェックＬＤＰＣ符号レートおよび選択されたＬＤＰＣ符号レートに対応するＬＤＰＣ符号の最大ＩＢＳを判定するように構成されている。
【０１９０】
この実施形態においては、ＬＤＰＣ符号の符号化タイプが、既定で選択される。従って、Ｘ以上である少なくとも１つのＩＢＳが、判定される。例えば、ＬＤＰＣ符号の最小のＩＢＳは、３２４であり、従って、Ｘは３２４に設定されてよい。
【０１９１】
図１の例示的なＬＤＰＣ符号化方式の概略図に示される通り、ＬＤＰＣ符号は、４つの符号レート（１／２、２／３、３／４および５／６）を有し、１２個のＩＢＳが提供され、すなわち、１２個の符号化方式が提供される。ＩＢＳを選択すべく、ＬＤＰＣ符号レートが、まず判定される必要がある。当該符号レートが選択された後、当該符号レートに対応するＬＤＰＣ符号の最大ＩＢＳが、判定されてよい。図１に示される通り、符号レート１／２に対応する最大ＩＢＳは、９７２ビットに等しく、符号レート２／３に対応する最大ＩＢＳは、１２９６ビットに等しく、符号レート３／４に対応する最大ＩＢＳは、１４５８ビットに等しく、符号レート５／６に対応する最大ＩＢＳは、１６２０ビットに等しい。
【０１９２】
ＬＤＰＣ符号の２つのＩＢＳ、すなわち、符号レート１／２に対応する９７２ビットに等しい最大ＩＢＳ、および、符号レート３／４に対応する９７２ビットに等しい中間ＩＢＳは、同一である。符号レートを選択することにより、当該符号レートに対応する最大ＩＢＳが判定されてよく、符号化方式が判定されてよい。
【０１９３】
第１のセグメント化ユニット６２は、ビットの情報ブロックのサイズが最大ＩＢＳより大きい場合、最大ＩＢＳおよびパディングされるビット量が最小であるという原理に基づき、ビットの情報ブロックをセグメント化して、同一サイズの複数のコードブロックを取得するように構成されている。
【０１９４】
第１のセグメント化ユニット６２は、まず、セグメント化を実行するかどうかを判定する。本明細書において、セグメント化のための基準値は、最大ＩＢＳである。  次に、第１のセグメント化ユニット６２は、最大ＩＢＳおよびパディングされるビット量が最小であるという原理に基づき、ビットの情報ブロックをセグメント化して、同一サイズの複数のコードブロックを取得する。
【０１９５】
この実施形態におけるビットの情報ブロックを、同一サイズのコードブロックにセグメント化する機能は、上述の実施形態における第１のセグメント化ユニット４２の機能と同一であり、詳細について、本明細書においてここで再び説明しない。もちろん、代替的に、ビットの情報ブロックは、異なるサイズのコードブロックにセグメント化されてよい。
【０１９６】
選択ユニット６３は、複数のコードブロックを符号化すべく、第１の情報ブロックサイズＩＢＳ１を選択するように構成されている。
【０１９７】
同一サイズの複数のコードブロックが、セグメント化により取得される場合、最大ＩＢＳが、セグメント化のための基準値として用いられるので、ＩＢＳ１は一般に最大ＩＢＳである。
【０１９８】
もちろん、代替的に、セグメント化のための基準値が、符号レートに対応する最小のＩＢＳに設定されてもよい。
【０１９９】
選択ユニット６３は、さらに、ビットの情報ブロックのサイズが、最大ＩＢＳ以下である場合、ビットの情報ブロックを符号化すべく、第３の情報ブロックサイズＩＢＳ３を選択するように構成されている。
【０２００】
ビットの情報ブロックがセグメント化される必要がない場合、ビットの情報ブロックを符号化すべく、ＩＢＳ３が用いられる。同様に、ＩＢＳ３は、ビットの情報ブロックのサイズ以上であり、ＩＢＳ３は、ビットの情報ブロックのサイズに最も近似する。
【０２０１】
本発明のこの実施形態で提供される符号化方式判定装置によると、ビットの情報ブロックまたはビットの情報ブロックのコードブロックを符号化すべく、ＬＤＰＣ符号の少なくとも１つのＩＢＳから、ＩＢＳが選択される。Ｘおよび符号化方式は、シナリオ、情報タイプおよび／またはサービスタイプによって判定される。このように、シナリオ、情報タイプおよび／またはサービスタイプに基づき、好適なＬＤＰＣ符号化方式が、判定されてよい。
【０２０２】
図２１は、本発明の第１３実施形態による基地局デバイスの概略構造図である。基地局デバイスは、上述の符号化方式判定機能を実装するように構成されている。図２１に示される通り、基地局デバイス７０００は、送信機７１を含む。
【０２０３】
送信機７１は、より上位層の制御シグナリング、物理層制御シグナリングまたは同期信号を端末デバイスに送信するように構成されており、より上位層の制御シグナリング、物理層制御シグナリングまたは同期信号は、符号化方式指示情報を含み、符号化方式指示情報は、ビットの情報ブロックの符号化方式を示すために用いられ、符号化方式は、Ｐｏｌａｒ符号、ターボ符号、低密度パリティチェックＬＤＰＣ符号、畳み込み符号、ブロック符号および反復符号のうちの少なくとも１つの符号化タイプを含む。
【０２０４】
一実装として、より上位層の制御シグナリングは、無線リソース制御ＲＲＣシグナリングを含み、物理層制御シグナリングは、ダウンリンク制御情報ＤＣＩおよびアップリンク制御情報ＵＣＩを含む。
【０２０５】
別の実装として、ビットの情報ブロックは、制御情報およびデータ情報のうち少なくとも１つの情報タイプを含む。
【０２０６】
本発明のこの実施形態で提供される基地局デバイスによると、基地局デバイスは、ビットの情報ブロックの符号化方式を示すべく、端末デバイスに、符号化方式指示情報を保持する、より上位層の制御シグナリング、物理層制御シグナリング、または同期信号を送信する。端末デバイスおよび／または基地局デバイスは、示された符号化方式に基づき、ビットの情報ブロックを符号化し、その結果、基地局デバイスは、符号化方式を明確且つ柔軟に示してよく、これにより、符号化方式を別々に示すことによって生じるシグナリングオーバーヘッドを低減させる。
【０２０７】
図２２は、本発明の第１４実施形態による端末デバイスの概略構造図である。端末デバイスは、上述の符号化方式判定機能を実装するように構成されている。図２２に示される通り、端末デバイス８０００は、受信機８１および送信機８２を含む。
【０２０８】
受信機８１は、基地局デバイスの能力ネゴシエーション要求メッセージを受信するように構成されている。
【０２０９】
送信機８２は、能力情報報告メッセージを基地局デバイスに送信するように構成されており、能力情報報告メッセージは、符号化方式指示情報を含み、符号化方式指示情報は、ビットの情報ブロックの符号化方式を示すために用いられ、符号化方式は、Ｐｏｌａｒ符号、ターボ符号、低密度パリティチェックＬＤＰＣ符号、畳み込み符号、ブロック符号および反復符号のうちの少なくとも１つの符号化タイプを含む。
【０２１０】
一実装において、ビットの情報ブロックは、制御情報およびデータ情報のうちの少なくとも１つの情報タイプを含む。
【０２１１】
本発明のこの実施形態で提供される端末デバイスによると、端末デバイスは、符号化方式を示すべく、符号化方式指示情報を保持する能力情報報告メッセージを、基地局デバイスに返す。基地局デバイスおよび／または端末デバイスは、示された符号化方式に基づき、ビットの情報ブロックを符号化し、その結果、端末デバイスは、符号化方式を明確且つ柔軟に示してよく、これにより、符号化方式を別々に示すことによって生じるシグナリングオーバーヘッドを低減させる。
【０２１２】
図２３は、本発明の第１５実施形態による符号化方式判定デバイスの概略構造図である。符号化方式判定デバイスは、上述の符号化方式判定機能を実装するように構成されている。図２３に示される通り、デバイス９０００は、プロセッサ９１、メモリ９２、入力デバイス９３、出力デバイス９４、およびバスシステム９５を含む。
【０２１３】
プロセッサ９１は、符号化方式判定デバイス９０００の動作を制御し、プロセッサ９１は、中央処理装置（Ｃｅｎｔｒａｌ  Ｐｒｏｃｅｓｓｉｎｇ  Ｕｎｉｔ：ＣＰＵ）とも称されてよい。プロセッサ９１は、集積回路チップであってよく、信号処理能力を有する。プロセッサ９１は、汎用プロセッサ、デジタル信号プロセッサ（Ｄｉｇｉｔａｌ  Ｓｉｇｎａｌ  Ｐｒｏｃｅｓｓｉｎｇ：ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、フィールドプログラマブルゲートアレイ（Ｆｉｅｌｄ−Ｐｒｏｇｒａｍｍａｂｌｅ  Ｇａｔｅ  Ａｒｒａｙ：ＦＰＧＡ）または別のプログラマブルロジックコンポーネント、ディスクリートゲートまたはトランジスタロジックコンポーネント、またはディスクリートハードウェアコンポーネントであってよい。汎用プロセッサは、マイクロプロセッサであってよく、プロセッサは、任意の従来のプロセッサ等であってよい。
【０２１４】
メモリ９２は、リードオンリメモリおよびランダムアクセスメモリを含んでよく、命令およびデータを、プロセッサ９１に提供してよい。メモリ９２の一部は、さらに、不揮発性ランダムアクセスメモリ（ＮＶＲＡＭ）を含んでよい。
【０２１５】
符号化方式判定デバイス９０００の様々なコンポーネントは、バスシステム９５を用いることで連結され、バスは、業界標準アーキテクチャ（Ｉｎｄｕｓｔｒｙ  Ｓｔａｎｄａｒｄ  Ａｒｃｈｉｔｅｃｔｕｒｅ：ＩＳＡ）バス、ペリフェラルコンポーネントインターコネクト（Ｐｅｒｉｐｈｅｒａｌ  Ｃｏｍｐｏｎｅｎｔ  Ｉｎｔｅｒｃｏｎｎｅｃｔ：ＰＣＩ）バス、拡張業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ：ＥＩＳＡ）バス等であってよい。バスは、１または複数の物理的な回線であってよく、バスが複数の回線である場合、バスは、アドレスバス、データバス、制御バス等に分類されてよい。本発明のいくつかの他の実装において、プロセッサ９１、メモリ９２、入力デバイス９３、および出力デバイス９４は、また、通信回線を用いることで、直接接続されてもよい。
【０２１６】
入力デバイス９３は、具体的に、マウス、キーボード、マイク等として実装されてよい。出力デバイス９４は、具体的に、ディスプレイ、オーディオデバイスまたはビデオデバイスとして実装されてよい。もちろん、入力デバイス９３および出力デバイス９４の機能は、また、入力／出力デバイスを用いることで実装されてもよく、例えば、入力デバイス９３および出力デバイス９４は、タッチスクリーンとして実装される。
【０２１７】
プロセッサ９１は、メモリ９２内のコンピュータプログラムを読み取って、
プリセットされた第１の指定値Ｘ以上である少なくとも１つの情報ブロックサイズＩＢＳを判定するステップであって、Ｘは、対応するシナリオ、情報タイプおよび／またはサービスタイプに基づき設定されており、各シナリオ、情報タイプおよび／またはサービスタイプは、少なくとも１つのＩＢＳに対応している、ステップと、
ビットの情報ブロックまたはビットの情報ブロックのコードブロックを符号化すべく、少なくとも１つのＩＢＳから、ＩＢＳを選択するステップであって、選択されたＩＢＳは、ビットの情報ブロックのサイズ以上であり、ＩＢＳは、ビットの情報ブロックのサイズとの最も小さい差異を有し、または、選択されたＩＢＳは、コードブロックのコードブロックサイズＣＢＳ以上であり、ＩＢＳは、上記ＣＢＳとの最も小さい差異を有し、
符号化方式は、シナリオ、情報タイプおよび／またはサービスタイプによって判定され、符号化方式は、Ｐｏｌａｒ符号、ターボ符号、低密度パリティチェックＬＤＰＣ符号、畳み込み符号、ブロック符号および反復符号のうちの少なくとも１つの符号化タイプを含む、ステップと、を実行する。
【０２１８】
一実装において、各符号化タイプは、１つのＩＢＳセットに対応しており、各ＩＢＳセットは、少なくとも１つのＩＢＳを含み、各ＩＢＳは、１つの符号化方式に対応する。
【０２１９】
別の実装において、プロセッサ９１は、さらに、
ビットの情報ブロックのサイズが、プリセットされた第２の指定値Ｙより大きい場合、第２の指定値、およびパディングされるビット量が最小であるという原理に基づき、ビットの情報ブロックをセグメント化して、同一サイズの複数のコードブロックを取得するステップであって、Ｙは、対応するシナリオ、情報タイプおよび／またはサービスタイプに基づき設定されている、ステップを実行するように構成されており、
ビットの情報ブロックのコードブロックを符号化すべく、少なくとも１つのＩＢＳから、ＩＢＳを選択する、プロセッサ９１により実行されるステップは、
複数のコードブロックを符号化すべく、第１の情報ブロックサイズＩＢＳ１を選択するステップであって、ＩＢＳ１は、コードブロックのコードブロックサイズＣＢＳと、パディングされるビット量との和であり、パディングされるビット量は、０以上の整数である、ステップ、を含む。
【０２２０】
さらなる別の実装において、プロセッサ９１は、さらに、
ビットの情報ブロックのサイズが、プリセットされた第３の指定値Ｚより大きい場合、第３の指定値およびパディングされるビット量が最小であるという原理に基づき、ビットの情報ブロックをセグメント化して、異なるサイズの複数のコードブロックを取得するステップであって、Ｚは、対応するシナリオ、情報タイプおよび／またはサービスタイプに基づき設定されている、ステップを実行するように構成されており、
ビットの情報ブロックのコードブロックを符号化すべく、少なくとも１つのＩＢＳから、ＩＢＳを選択する、プロセッサ９１により実行されるステップは、
複数のコードブロックを符号化すべく、複数の第２の情報ブロックサイズＩＢＳ２を選択するステップであって、各ＩＢＳ２は、各コードブロックのコードブロックサイズＣＢＳと、パディングされるビット量との和であり、パディングされるビット量は、０以上の整数である、ステップ、を含む。
【０２２１】
さらなる別の実装において、プロセッサ９１は、さらに
選択されたＬＤＰＣ符号レートおよび選択されたＬＤＰＣ符号レートに対応するＬＤＰＣ符号の最大ＩＢＳを判定するステップであって、第２の指定値または第３の指定値は、選択されたＬＤＰＣ符号レートに対応するＬＤＰＣ符号の最大ＩＢＳであり、符号化方式に対応する符号化タイプは、ＬＤＰＣ符号である、ステップを実行するように構成されている。
【０２２２】
さらなる別の実装においては、ビットの情報ブロックは、制御情報およびデータ情報のうち少なくとも１つの情報タイプを含む。
【０２２３】
本発明のこの実施形態で提供される符号化方式判定デバイスによると、プリセットされた第１の指定値Ｘ以上である少なくとも１つのＩＢＳが判定され、ビットの情報ブロックまたはビットの情報ブロックのコードブロックを符号化すべく、少なくとも１つのＩＢＳから、ＩＢＳが選択される。Ｘおよび符号化方式は、シナリオ、情報タイプおよび／またはサービスタイプによって判定される。このように、シナリオ、情報タイプおよび／またはサービスタイプに基づき、好適な符号化方式が、判定されてよい。ビットの情報ブロックは、同一サイズの複数のコードブロックにさらにセグメント化されてよく、セグメント化により取得された複数のコードブロックを符号化すべく、１つの情報ブロックサイズが用いられる。セグメント化態様は単純であり、且つ、パディングされるビット量は最小であるので、ビットパディングオーバーデッドを低減させる。代替的に、ビットの情報ブロックは、異なるサイズの複数のコードブロックにセグメント化されてよく、複数のコードブロックを符号化すべく、複数の情報ブロックサイズが用いられる。このように、符号化方式が多様であり、符号化は、柔軟に行われてよく、パディングされるビット量は、最小であるので、ビットパディングオーバーデッドを低減させる。
【０２２４】
本発明の明細書、特許請求の範囲および添付図面において、「第１」、「第２」、「第３」、「第４」等の用語は、異なるオブジェクト間を区別することを意図しており、特定の順序を示してはいない。また、「含む（ｉｎｃｌｕｄｉｎｇ）」および「有する（ｈａｖｉｎｇ）」といった用語およびこれらの任意の他の派生語は、非排他的包含に及ぶことが意図されている。例えば、一連のステップまたはユニットを含むプロセス、方法、システム、製品またはデバイスは、列挙されたステップまたはユニットに限定されず、随意で、さらに、列挙されていないステップまたはユニットを含み、または、随意に、さらに、当該プロセス、当該方法、当該システム、当該製品または当該デバイスに係る別の内在的なステップまたはユニットを含む。
【０２２５】
当業者は、実施形態における方法のプロセスの全部または一部は、関連するハードウェアに命令するコンピュータプログラムによって実装されてよいことを理解し得る。プログラムは、コンピュータ可読記憶媒体に格納されてよい。プログラムが実行されると、実施形態における方法のプロセスが実行される。上述の記憶媒体は、磁気ディスク、光ディスク、リードオンリメモリ（Ｒｅａｄ−Ｏｎｌｙ  Ｍｅｍｏｒｙ：ＲＯＭ）またはランダムアクセスメモリ（Ｒａｎｄｏｍ  Ａｃｃｅｓｓ  Ｍｅｍｏｒｙ：ＲＡＭ）を含んでよい。
【０２２６】
上記開示内容は、本発明の例示的実施形態に過ぎず、本発明の保護範囲を限定する意図はまったくない。従って、本発明に係る特許請求の範囲によりなされた均等な変形例は、本発明の範囲内に属するものとする。
【図１】
2019537379.tif 000003
【図２】
2019537379.tif 000004
【図３】
2019537379.tif 000005
【図４】
2019537379.tif 000006
【図５】
2019537379.tif 000007
【図６】
2019537379.tif 000008
【図７】
2019537379.tif 000009
【図８】
2019537379.tif 000010
【図９】
2019537379.tif 000011
【図１０】
2019537379.tif 000012
【図１１】
2019537379.tif 000013
【図１２】
2019537379.tif 000014
【図１３】
2019537379.tif 000015
【図１４】
2019537379.tif 000016
【図１５】
2019537379.tif 000017
【図１６】
2019537379.tif 000018
【図１７】
2019537379.tif 000019
【図１８】
2019537379.tif 000020
【図１９】
2019537379.tif 000021
【図２０】
2019537379.tif 000022
【図２１】
2019537379.tif 000023
【図２２】
2019537379.tif 000024
【図２３】
2019537379.tif 000025
【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
基地局デバイスによって、より上位層の制御シグナリング、物理層制御シグナリングまたは同期信号を、端末デバイスに送信する段階を備え、前記より上位層の制御シグナリング、前記物理層制御シグナリングまたは前記同期信号は、符号化方式指示情報を含み、前記符号化方式指示情報は、ビットの情報ブロックの符号化方式を示すために用いられ、前記符号化方式は、Ｐｏｌａｒ符号、ターボ符号、低密度パリティチェック（ＬＤＰＣ）符号、畳み込み符号、ブロック符号および反復符号のうちの少なくとも１つの符号化タイプを含む、符号化方法。
【請求項２】
前記より上位層の制御シグナリングは、無線リソース制御（ＲＲＣ）シグナリングを含み、前記物理層制御シグナリングは、ダウンリンク制御情報（ＤＣＩ）およびアップリンク制御情報（ＵＣＩ）を含む、請求項１に記載の符号化方法。
【請求項３】
前記ビットの情報ブロックは、制御情報およびデータ情報のうちの少なくとも１つの情報タイプを含む、請求項１または２に記載の符号化方法。
【請求項４】
端末デバイスによって、基地局デバイスの能力ネゴシエーション要求メッセージを受信する段階と、
前記端末デバイスによって、能力情報報告メッセージを、前記基地局デバイスに送信する段階であって、前記能力情報報告メッセージは、符号化方式指示情報を含み、前記符号化方式指示情報は、ビットの情報ブロックの符号化方式を示すために用いられ、前記符号化方式は、Ｐｏｌａｒ符号、ターボ符号、低密度パリティチェック（ＬＤＰＣ）符号、畳み込み符号、ブロック符号および反復符号のうちの少なくとも１つの符号化タイプを含む、段階と、を備える、符号化方法。
【請求項５】
前記ビットの情報ブロックは、制御情報およびデータ情報のうちの少なくとも１つの情報タイプを含む、請求項４に記載の符号化方法。
【請求項６】
プリセットされた第１の指定値Ｘ以上である少なくとも１つの情報ブロックサイズ（ＩＢＳ）を判定する段階であって、Ｘは、対応するシナリオ、情報タイプおよび／またはサービスタイプに基づき設定されており、各シナリオ、情報タイプおよび／またはサービスタイプは、少なくとも１つのＩＢＳに対応している、段階と、
ビットの情報ブロックまたは前記ビットの情報ブロックのコードブロックを符号化すべく、前記少なくとも１つのＩＢＳから、ＩＢＳを選択する段階であって、前記選択されたＩＢＳは、前記ビットの情報ブロックのサイズ以上であり、前記ＩＢＳは、前記ビットの情報ブロックの前記サイズとの最も小さい差異を有し、または、前記選択されたＩＢＳは、前記コードブロックのコードブロックサイズ（ＣＢＳ）以上であり、前記ＩＢＳは、前記ＣＢＳとの最も小さい差異を有する、段階と、を備え、
符号化方式は、前記シナリオ、情報タイプおよび／またはサービスタイプによって判定され、前記符号化方式は、Ｐｏｌａｒ符号、ターボ符号、低密度パリティチェック（ＬＤＰＣ）符号、畳み込み符号、ブロック符号および反復符号のうちの少なくとも１つの符号化タイプを含む、符号化方法。
【請求項７】
各符号化タイプは、１つのＩＢＳセットに対応しており、各ＩＢＳセットは、少なくとも１つのＩＢＳを含み、各ＩＢＳは、１つの符号化方式に対応している、請求項６に記載の符号化方法。
【請求項８】
前記符号化方法は、さらに、
前記ビットの情報ブロックの前記サイズが、プリセットされた第２の指定値Ｙより大きい場合、前記第２の指定値およびパディングされるビット量が最小であるという原理に基づき、前記ビットの情報ブロックをセグメント化して、同一サイズの複数のコードブロックを取得する段階であって、Ｙは、対応するシナリオ、情報タイプおよび／またはサービスタイプに基づき設定されている、段階を備え、
前記ビットの情報ブロックのコードブロックを符号化すべく、前記少なくとも１つのＩＢＳから、ＩＢＳを前記選択する段階は、
前記複数のコードブロックを符号化すべく、第１の情報ブロックサイズ（ＩＢＳ１）を選択する段階であって、前記ＩＢＳ１は、前記コードブロックのコードブロックサイズ（ＣＢＳ）と、前記パディングされるビット量との和であり、前記パディングされるビット量は、０以上の整数である、段階、を含む、請求項６または７に記載の符号化方法。
【請求項９】
前記符号化方法は、さらに、
前記ビットの情報ブロックの前記サイズが、プリセットされた第３の指定値Ｚより大きい場合、前記第３の指定値およびパディングされるビット量が最小であるという原理に基づき、前記ビットの情報ブロックをセグメント化して、異なるサイズの複数のコードブロックを取得する段階であって、Ｚは対応するシナリオ、情報タイプおよび／またはサービスタイプに基づき設定されている、段階を備え、
前記ビットの情報ブロックのコードブロックを符号化すべく、前記少なくとも１つのＩＢＳから、ＩＢＳを前記選択する段階は、
前記複数のコードブロックを符号化すべく、複数の第２の情報ブロックサイズ（ＩＢＳ２）を選択する段階であって、各ＩＢＳ２は、各コードブロックのコードブロックサイズ（ＣＢＳ）と、前記パディングされるビット量との和であり、前記パディングされるビット量は、０以上の整数である、段階、を含む、請求項６または７に記載の符号化方法。
【請求項１０】
前記符号化方法は、さらに、
選択されたＬＤＰＣ符号レートおよび前記選択されたＬＤＰＣ符号レートに対応するＬＤＰＣ符号の最大ＩＢＳを判定する段階であって、前記第２の指定値は、前記選択されたＬＤＰＣ符号レートに対応する前記ＬＤＰＣ符号の前記最大ＩＢＳであり、前記符号化方式に対応する符号化タイプは、ＬＤＰＣ符号である、段階、を備える、請求項８に記載の符号化方法。
【請求項１１】
前記符号化方法は、さらに、
選択されたＬＤＰＣ符号レートおよび前記選択されたＬＤＰＣ符号レートに対応するＬＤＰＣ符号の最大ＩＢＳを判定する段階であって、前記第３の指定値は、前記選択されたＬＤＰＣ符号レートに対応する前記ＬＤＰＣ符号の前記最大ＩＢＳであり、前記符号化方式に対応する符号化タイプは、ＬＤＰＣ符号である、段階、を備える、請求項９に記載の符号化方法。
【請求項１２】
前記ビットの情報ブロックは、制御情報およびデータ情報のうちの少なくとも１つの情報タイプを含む、請求項６から１１のいずれか一項に記載の符号化方法。
【請求項１３】
請求項１から１２のいずれか一項に記載の符号化方法を実行するように構成された、装置。
【請求項１４】
プログラムを格納するコンピュータ可読記憶媒体であって、前記プログラムは、コンピュータが、請求項１から１２のいずれか一項に記載の符号化方法を実行することを可能にする、コンピュータ可読記憶媒体。
【請求項１５】
プロセッサに、請求項１から１２のいずれか一項に記載の符号化方法を実行させるための、プログラム。
【手続補正２】
【補正対象書類名】明細書
【補正対象項目名】全文
【補正方法】変更
【補正の内容】
【発明の詳細な説明】
【技術分野】
【０００１】
本願は、２０１６年１１月３０日に中国特許庁に出願された、発明の名称「符号化方式判定方法および装置」に係る中国特許出願第201611094694.5号に基づく優先権を主張し、当該出願は、参照により本明細書にその全体が援用される。
【０００２】
本発明は、通信技術分野に関し、具体的には、符号化方式判定方法および装置に関する。
【背景技術】
【０００３】
将来の第５世代（５ｔｈ‐Ｇｅｎｅｒａｔｉｏｎ：５Ｇ）は、大量モバイルデータトラフィックの発展、大量のデバイス接続並びに様々な新しいサービスおよびアプリケーションシナリオをサポートする必要がある。例えば、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ：第３世代パートナーシッププロジェクト）は、エンハンスドモバイルブロードバンド（Ｅｎｈａｎｃｅｄ  Ｍｏｂｉｌｅ  Ｂｒｏａｄｂａｎｄ：ｅＭＢＢ）、マッシブマシンタイプ通信（Ｍａｓｓｉｖｅ  Ｍａｃｈｉｎｅ  Ｔｙｐｅ  Ｃｏｍｍｕｎｉｃａｔｉｏｎｓ：ｍＭＴＣ）および超信頼性および低遅延通信（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎｓ：ＵＲＬＬＣ）を含む３つの典型的なアプリケーションシナリオを決定している。５Ｇシステムは、より優れた性能、例えば、より多くのシステム容量、より低い遅延性、より高いネットワーク信頼性、およびより高いネットワーク可用性を必要とする。５Ｇシステムは、人とあらゆるものとの間の知的な相互接続の目的を好都合に達成し得る。
【０００４】
将来の５Ｇ移動通信システムのより優れた性能は、高度なチャネル符号化技術の補助を得て実装され得る。例えば、３ＧＰＰは、Ｐｏｌａｒ符号、ターボ符号、低密度パリティチェック符号（Ｌｏｗ  Ｄｅｎｓｉｔｙ  Ｐａｒｉｔｙ  Ｃｈｅｃｋ  Ｃｏｄｅ：ＬＤＰＣ）、畳み込み符号（Ｃｏｎｖｏｌｕｔｉｏｎａｌ  Ｃｏｄｅｓ：ＣＣ）等を含む、５Ｇシステムの候補となる符号化タイプを決定している。
【０００５】
現在、ＬＤＰＣ符号には、複数のＬＤＰＣ符号化方式が存在する。例えば、図１に示すＬＤＰＣ符号化方式の概略図で、ＩＥＥＥ  Ｓｔｄ  ８０２．１１ｎ標準（２００９）は、４つの符号レート（１／２、２／３、３／４および５／６）に対し、１２個のＬＤＰＣ符号化方式を規定しており、各符号レートは、３つの情報ブロックサイズ（Ｉｎｆｏｒｍａｔｉｏｎ  Ｂｌｏｃｋ  Ｓｉｚｅ：ＩＢＳ）を有する。
【０００６】
また、ターボ符号にも、複数のターボ符号化方式が存在する。例えば、３ＧＰＰ  ＴＳ  ３６．２１２（２００９）標準において、ターボ符号化方式に対し、１つの符号レート（１／３）および１８８の情報ブロックサイズが、規定されている。
【０００７】
現在、Ｐｏｌａｒ符号および畳み込み符号のそれぞれについても、複数の符号化方式が存在する。
【０００８】
ｅＭＭＢ、ｍＭＴＣおよびＵＲＬＬＣ等の典型的なシナリオに対し、より優れた性能を実装すべく、好適な符号化タイプが選択される必要がある。例えば、図２中の典型的なシナリオに適用可能な符号化タイプの組み合わせの概略図に示される通り、３ＧＰＰ  ８６ｂｉｓ会議の提案（Ｒ１−１６１００５９）では、３つの組み合わせオプションを提供している。例えば、ｅＭＢＢに対応する符号化タイプには、ＬＤＰＣ符号、Ｐｏｌａｒ符号およびターボ符号が含まれ、ｍＭＴＣに対応する符号化タイプには、畳み込み符号，ＬＤＰＣ符号、Ｐｏｌａｒ符号およびターボ符号が含まれ、ＵＲＬＬＣに対応する符号化タイプには、畳み込み符号、ＬＤＰＣ符号、Ｐｏｌａｒ符号およびターボ符号が含まれる。
【０００９】
上記の５Ｇシステムには、多くの候補の符号化タイプが存在する。各組み合わせオプションには、複数の符号化タイプが含まれる。また、各候補の符号化タイプは、さらに複数の符号化方式に分類されてよい。しかしながら、データ送信中にこれらの符号化方式を選択および使用するための明確な方法はなく、また、データ送信中に、このような多数の符号化方式を柔軟に用いるための方法もない。
【発明の概要】
【００１０】
本発明の実施形態は、符号化方式が、明確且つ柔軟に示され、または、好適な符号化方式が、情報送信中に判定されるような、符号化方式判定方法および装置を提供する。
【００１１】
第１の態様によると、符号化方式判定方法が提供され、上記方法は、基地局デバイスによって、より上位層の制御シグナリング、物理層制御シグナリングまたは同期信号を、端末デバイスに送信する段階を備え、上記より上位層の制御シグナリング、上記物理層制御シグナリング、または上記同期信号は、符号化方式指示情報を含み、上記符号化方式指示情報は、ビットの情報ブロックの符号化方式を示すために用いられ、上記符号化方式は、Ｐｏｌａｒ符号、ターボ符号、低密度パリティチェック（ＬＤＰＣ）符号、畳み込み符号、ブロック符号および反復符号のうちの少なくとも１つ符号化タイプを含む。
【００１２】
この実装において、上記基地局デバイスは、上記端末デバイスに対し、上記符号化方式指示情報を保持する、上記より上位層の制御シグナリング、上記物理層制御シグナリング、または上記同期信号を送信する。上記符号化方式指示情報は、上記ビットの情報ブロックの上記符号化方式を示すために用いられ、その結果、上記端末デバイスは、上記符号化方式を明確に且つ柔軟に示し得る。
【００１３】
第１の可能な実装において、上記より上位層の制御シグナリングは、無線リソース制御（ＲＲＣ）シグナリングを含み、上記物理層制御シグナリングは、ダウンリンク制御情報（ＤＣＩ）およびアップリンク制御情報（ＵＣＩ）を含む。
【００１４】
第２の可能な実装において、上記ビットの情報ブロックは、制御情報およびデータ情報のうちの少なくとも１つの情報タイプを含む。
【００１５】
この実装においては、上記制御情報および上記データ情報の符号化方式が示されてよい。
【００１６】
第３の可能な実装において、上記制御情報は、システム情報およびチャネル品質情報（ＣＱＩ）を含む。
【００１７】
第２の態様によると、基地局デバイスが提供される。上記基地局デバイスは、上述の方法における上記基地局デバイスの挙動を実装する機能を有する。上記機能は、ハードウェアによって実装されてよく、または、対応するソフトウェアを実行するハードウェアによって実装されてよい。ハードウェアまたはソフトウェアは、上述の機能に対応する１または複数のモジュールを含む。
【００１８】
可能な実装において、上記基地局デバイスは、送信ユニットを含み、上記送信ユニットは、より上位層の制御シグナリング、物理層制御シグナリングまたは同期信号を端末デバイスに送信するように構成されており、上記より上位層の制御シグナリング、上記物理層制御シグナリングまたは上記同期信号は、符号化方式指示情報を含み、上記符号化方式指示情報は、ビットの情報ブロックの符号化方式を示すために用いられ、上記符号化方式は、Ｐｏｌａｒ符号、ターボ符号、低密度パリティチェック（ＬＤＰＣ）符号、畳み込み符号、ブロック符号および反復符号のうちの少なくとも１つの符号化タイプを含む。
【００１９】
別の可能な実装において、上記基地局デバイスは、送信機を含み、上記送信機は、より上位層の制御シグナリング、物理層制御シグナリングまたは同期信号を端末デバイスに送信するように構成されており、上記より上位層の制御シグナリング、上記物理層制御シグナリングまたは上記同期信号は、符号化方式指示情報を含み、上記符号化方式指示情報は、ビットの情報ブロックの符号化方式を示すために用いられ、上記符号化方式は、Ｐｏｌａｒ符号、ターボ符号、低密度パリティチェック（ＬＤＰＣ）符号、畳み込み符号、ブロック符号および反復符号のうちの少なくとも１つの符号化タイプを含む。
【００２０】
同一の発明概念に基づく、上記装置によって問題を解決する原理および上記装置の有利な効果については、第１の態様、第１の態様の可能な実装およびそれらの有利な効果を参照されたい。従って、上記装置の実装については、上記方法の実装を参照されたい。再度、繰り返しの説明は記載しない。
【００２１】
第３の態様によると、符号化方式判定方法が提供され、上記方法は、
端末デバイスによって、基地局デバイスの能力ネゴシエーション要求メッセージを受信する段階と、
上記端末デバイスによって、能力情報報告メッセージを、上記基地局デバイスに送信する段階であって、上記能力情報報告メッセージは、符号化方式指示情報を含み、上記符号化方式指示情報は、ビットの情報ブロックの符号化方式を示すために用いられ、上記符号化方式は、Ｐｏｌａｒ符号、ターボ符号、低密度パリティチェック（ＬＤＰＣ）符号、畳み込み符号、ブロック符号および反復符号のうちの少なくとも１つの符号化タイプを含む、段階と、を備える。
【００２２】
この実装においては、上記端末デバイスは、上記基地局デバイスに対し、上記符号化方式指示情報を保持する上記能力情報報告メッセージを送信する。上記符号化方式指示情報は、上記ビットの情報ブロックの上記符号化方式を示すために用いられ、その結果、上記基地局デバイスは、上記符号化方式を明確に且つ柔軟に示し得る。
【００２３】
第１の可能な実装において、上記ビットの情報ブロックは、制御情報およびデータ情報のうちの少なくとも１つの情報タイプを含む。
【００２４】
この実装においては、上記制御情報および上記データ情報の符号化方式が示されてよい。
【００２５】
第２の可能な実装において、上記制御情報は、システム情報およびチャネル品質情報（ＣＱＩ）を含む。
【００２６】
第４の態様によると、端末デバイスが提供される。上記端末デバイスは、上述の方法における上記端末デバイスの挙動を実装する機能を有する。上記機能は、ハードウェアによって実装されてよく、または、対応するソフトウェアを実行するハードウェアによって実装されてよい。ハードウェアまたはソフトウェアは、上述の機能に対応する１または複数のモジュールを含む。
【００２７】
可能な実装において、上記端末デバイスは、受信ユニットおよび送信ユニットを備え、上記受信ユニットは、基地局デバイスの能力ネゴシエーション要求メッセージを受信するように構成されており、上記送信ユニットは、能力情報報告メッセージを、上記基地局デバイスに送信するように構成されており、上記能力情報報告メッセージは、符号化方式指示情報を含み、上記符号化方式指示情報は、ビットの情報ブロックの符号化方式を示すために用いられ、上記符号化方式は、Ｐｏｌａｒ符号、ターボ符号、低密度パリティチェック（ＬＤＰＣ）符号、畳み込み符号、ブロック符号、および反復符号のうちの少なくとも１つの符号化タイプを含む。
【００２８】
別の可能な実装において、上記端末デバイスは、受信機および送信機を備え、上記受信機は、基地局デバイスの能力ネゴシエーション要求メッセージを受信するように構成されており、上記送信機は、能力情報報告メッセージを、上記基地局デバイスに送信するように構成されており、上記能力情報報告メッセージは、符号化方式指示情報を含み、上記符号化方式指示情報は、ビットの情報ブロックの符号化方式を示すために用いられ、上記符号化方式は、Ｐｏｌａｒ符号、ターボ符号、低密度パリティチェック（ＬＤＰＣ）符号、畳み込み符号、ブロック符号、および反復符号のうちの少なくとも１つの符号化タイプを含む。
【００２９】
同一の発明概念に基づく、上記装置によって問題を解決する原理および上記装置の有利な効果については、第３の態様、第３の態様の可能な実装およびそれらの有利な効果を参照されたい。従って、上記装置の実装については、上記方法の実装を参照されたい。再度、繰り返しの説明は記載しない。
【００３０】
第５の態様によると、符号化方式判定方法が提供され、上記方法は、
プリセットされた第１の指定値Ｘ以上である少なくとも１つの情報ブロックサイズ（ＩＢＳ）を判定する段階であって、Ｘは、対応するシナリオ、情報タイプおよび／またはサービスタイプに基づき設定されており、各シナリオ、情報タイプおよび／またはサービスタイプは、少なくとも１つのＩＢＳに対応している、段階と、
ビットの情報ブロックまたは上記ビットの情報ブロックのコードブロックを符号化すべく、上記少なくとも１つのＩＢＳから、ＩＢＳを選択する段階であって、上記選択されたＩＢＳは、上記ビットの情報ブロックのサイズ以上であり、上記ＩＢＳは、上記ビットの情報ブロックの上記サイズとの最も小さい差異を有し、または、上記選択されたＩＢＳは、上記コードブロックのコードブロックサイズ（ＣＢＳ）以上であり、上記ＩＢＳは、上記ＣＢＳとの最も小さい差異を有し、
符号化方式は、上記シナリオ、情報タイプおよび／またはサービスタイプによって判定され、上記符号化方式は、Ｐｏｌａｒ符号、ターボ符号、低密度パリティチェック（ＬＤＰＣ）符号、畳み込み符号、ブロック符号および反復符号のうちの少なくとも１つの符号化タイプを含む、段階と、を備える。
【００３１】
この実装においては、情報ブロックサイズのより低い閾値は、対応するシナリオ、情報タイプおよび／またはサービスタイプに基づき判定される。その後、情報ブロックサイズが、情報ブロックサイズと、ビットの情報ブロックのサイズまたはコードブロックのサイズとの間の制約条件に基づき、Ｘ以上である少なくとも１つの情報ブロックサイズから選択され、上記選択された情報ブロックサイズに基づき、上記ビットの情報ブロックまたは上記コードブロックを符号化する。上記選択された情報ブロックサイズに対応する符号化方式は、シナリオ、情報タイプ、および／またはサービスタイプに基づき判定されるので、好適な符号化方式は、上記シナリオ、情報タイプ、および／またはサービスタイプに基づいて判定されてよい。
【００３２】
第１の可能な実装において、各符号化タイプは、１つのＩＢＳセットに対応しており、各ＩＢＳセットは、少なくとも１つのＩＢＳを含み、各ＩＢＳは、１つの符号化方式に対応する。
【００３３】
この実装においては、ＩＢＳは、符号化タイプによるセットで分類されている。各ＩＢＳは、１つの符号化方式に対応しており、その結果、ＩＢＳは、符号化タイプに基づき選択されてよい。
【００３４】
第２の可能な実装において、上記方法は、さらに、
上記ビットの情報ブロックの上記サイズが、プリセットされた第２の指定値Ｙより大きい場合、上記第２の指定値、および、パディングされるビット量が最小であるという原理に基づき、上記ビットの情報ブロックをセグメント化して、同一サイズの複数のコードブロックを取得する段階であって、Ｙは、対応するシナリオ、情報タイプおよび／またはサービスタイプに基づき設定されている、段階を備え、
上記ビットの情報ブロックのコードブロックを符号化すべく、上記少なくとも１つのＩＢＳから、ＩＢＳを上記選択する段階は、
上記複数のコードブロックを符号化すべく、第１の情報ブロックサイズ（ＩＢＳ１）を選択する段階であって、上記ＩＢＳ１は、上記コードブロックのコードブロックサイズ（ＣＢＳ）と、上記パディングされるビット量との和であり、上記パディングされるビット量は、０以上の整数である、段階、を含む。
【００３５】
この実装においては、上記ビットの情報ブロックは、同一サイズの上記複数のコードブロックにセグメント化され、セグメント化により取得された上記複数のコードブロックを符号化するために、１つの情報ブロックサイズを用いる。セグメント化態様は単純であり、且つ、パディングされるビット量は最小であるので、ビットパディングオーバーデッドを低減させる。
【００３６】
第３の可能な実装において、上記方法は、さらに、
上記ビットの情報ブロックの上記サイズが、プリセットされた第３の指定値Ｚより大きい場合、上記第３の指定値、および、パディングされるビット量が最小であるという原理に基づき、上記ビットの情報ブロックをセグメント化して、異なるサイズの複数のコードブロックを取得する段階であって、Ｚは、対応するシナリオ、情報タイプおよび／またはサービスタイプに基づき設定されている、段階を備え、
上記ビットの情報ブロックのコードブロックを符号化すべく、上記少なくとも１つのＩＢＳから、ＩＢＳを上記選択する段階は、
上記複数のコードブロックを符号化すべく、複数の第２の情報ブロックサイズ（ＩＢＳ２）を選択する段階であって、各ＩＢＳ２は、各コードブロックのコードブロックサイズ（ＣＢＳ）と、上記パディングされるビット量との和であり、上記パディングされるビット量は、０以上の整数である、段階、を含む。
【００３７】
この実装においては、上記ビットの情報ブロックは、異なるサイズの上記複数のコードブロックにセグメント化され、上記複数のコードブロックを符号化するために、複数のＩＢＳを用いる。このように、符号化方式が多様であり、符号化は、柔軟に行われてよく、上記パディングされるビット量は、最小であるので、ビットパディングオーバーデッドを低減させる。
【００３８】
第４の可能な実装において、上記方法は、さらに、
選択されたＬＤＰＣ符号レートおよび上記選択されたＬＤＰＣ符号レートに対応するＬＤＰＣ符号の最大ＩＢＳを判定する段階であって、上記第２の指定値または上記第３の指定値は、上記選択されたＬＤＰＣ符号レートに対応する上記ＬＤＰＣ符号の上記最大ＩＢＳであり、上記符号化方式に対応する符号化タイプは、ＬＤＰＣ符号である、段階を含む。
【００３９】
この実装においては、上記符号化タイプは、ＬＤＰＣ符号であると判定され、上記ＬＤＰＣ符号レートが選択される。１つの符号レートが、１つの最大ＩＢＳを有し、上記ビットの情報ブロックは、上記最大ＩＢＳに基づき、セグメント化される。
【００４０】
第５の可能な実装において、上記ビットの情報ブロックは、制御情報およびデータ情報のうちの少なくとも１つの情報タイプを含む。
【００４１】
この実装においては、上記制御情報および上記データ情報の符号化方式が示されてよい。
【００４２】
第６の可能な実装において、上記制御情報は、システム情報およびチャネル品質情報（ＣＱＩ）を含む。
【００４３】
第６の態様によると、符号化方式判定装置が、提供される。上記装置は、上述の方法における上記装置の挙動を実装する機能を有する。上記機能は、ハードウェアによって実装されてよく、または、対応するソフトウェアを実行するハードウェアによって実装されてよい。ハードウェアまたはソフトウェアは、上述の機能に対応する１または複数のモジュールを含む。
【００４４】
可能な実装において、上記符号化方式判定装置は、判定ユニットおよび選択ユニットを備え、上記判定ユニットは、プリセットされた第１の指定値Ｘ以上である少なくとも１つの情報ブロックサイズ（ＩＢＳ）を判定するように構成されており、Ｘは、対応するシナリオ、情報タイプ、および／またはサービスタイプに基づき設定されており、各シナリオ、情報タイプおよび／またはサービスタイプは、少なくとも１つのＩＢＳに対応しており、
上記選択ユニットは、ビットの情報ブロックまたは上記ビットの情報ブロックのコードブロックを符号化すべく、上記少なくとも１つのＩＢＳから、ＩＢＳを選択するように構成されており、上記選択されたＩＢＳは、上記ビットの情報ブロックのサイズ以上であり、上記ＩＢＳは、上記ビットの情報ブロックの上記サイズとの最も小さい差異を有し、または、上記選択されたＩＢＳは、上記コードブロックのコードブロックサイズ（ＣＢＳ）以上であり、上記ＩＢＳは、上記ＣＢＳとの最も小さい差異を有し、
符号化方式は、上記シナリオ、情報タイプおよび／またはサービスタイプによって判定され、上記符号化方式は、Ｐｏｌａｒ符号、ターボ符号、低密度パリティチェック（ＬＤＰＣ）符号、畳み込み符号、ブロック符号および反復符号のうちの少なくとも１つの符号化タイプを含む。
【００４５】
別の可能な実装において、上記符号化方式判定装置は、プロセッサを備え、上記プロセッサは、プリセットされた第１の指定値Ｘ以上である少なくとも１つの情報ブロックサイズ（ＩＢＳ）を判定するように構成されており、Ｘは、対応するシナリオ、情報タイプおよび／またはサービスタイプに基づき設定されており、各シナリオ、情報タイプおよび／またはサービスタイプは、少なくとも１つのＩＢＳに対応しており、
上記プロセッサは、さらに、ビットの情報ブロックまたは上記ビットの情報ブロックのコードブロックを符号化すべく、上記少なくとも１つのＩＢＳから、ＩＢＳを選択するように構成されており、上記選択されたＩＢＳは、上記ビットの情報ブロックのサイズ以上であり、上記ＩＢＳは、上記ビットの情報ブロックの上記サイズとの最も小さい差異を有し、または、上記選択されたＩＢＳは、上記コードブロックのコードブロックサイズ（ＣＢＳ）以上であり、上記ＩＢＳは、上記ＣＢＳとの最も小さい差異を有し、
符号化方式は、上記シナリオ、情報タイプおよび／またはサービスタイプによって判定され、上記符号化方式は、Ｐｏｌａｒ符号、ターボ符号、低密度パリティチェック（ＬＤＰＣ）符号、畳み込み符号、ブロック符号および反復符号のうちの少なくとも１つの符号化タイプを含む。
【００４６】
同一の発明概念に基づく、上記装置によって問題を解決する原理および上記装置の有利な効果については、第５の態様、第５の態様の可能な実装およびそれらの有利な効果を参照されたい。従って、上記装置の実装については、上記方法の実装を参照されたい。再度、繰り返しの説明は記載しない。
【図面の簡単な説明】
【００４７】
本発明の実施形態または先行技術における技術的解決手段をよりわかりやすく説明するために、以下に、当該実施形態または先行技術を説明するために必要な添付図面について簡単に説明する。以下の説明中の添付図面は、本発明のいくつかの実施形態を示すに過ぎず、当業者であれば、これらの添付図面から、創造的努力なしに、その他の図面を導き出し得ることは明らかである。
【００４８】
【図１】例示的なＬＤＰＣ符号化方式の概略図である。
【００４９】
【図２】典型的なシナリオに適用可能な符号化タイプの組み合わせの概略図である。
【００５０】
【図３】本発明の第１実施形態による符号化方式判定方法の概略相互作用図である。
【００５１】
【図４】無線リソース制御シグナリングを用いることで実行される例示的な符号化方式判定の概略相互作用図である。
【００５２】
【図５】ダウンリンク制御情報／アップリンク制御情報を用いることで実行される例示的な符号化方式判定の概略相互作用図である。
【００５３】
【図６】同期信号を用いることで実行される例示的な符号化方式判定の概略相互作用図である。
【００５４】
【図７】本発明の第２実施形態による符号化方式判定方法の概略相互作用図である。
【００５５】
【図８】本発明の第３実施形態による符号化方式判定方法の概略フローチャートである。
【００５６】
【図９】異なるシナリオ、情報タイプおよび／またはサービスタイプのケースにおける様々な符号化タイプに対応する例示的なＩＢＳセットの概略図である。
【００５７】
【図１０】将来の国際モバイル通信の例示的な予測される使用ソリューションの概略図である。
【００５８】
【図１１】本発明の第４実施形態による符号化方式判定方法の概略フローチャートである。
【００５９】
【図１２】例示的なリソースブロック上でのパディングされるビット量が最小であるという原理の概略図である。
【００６０】
【図１３】本発明の第５実施形態による符号化方式判定方法の概略フローチャートである。
【００６１】
【図１４】本発明の第６実施形態による符号化方式判定方法の概略フローチャートである。
【００６２】
【図１５】本発明の第７実施形態による基地局デバイスの概略構造図である。
【００６３】
【図１６】本発明の第８実施形態による端末デバイスの概略構造図である。
【００６４】
【図１７】本発明の第９実施形態による符号化方式判定装置の概略構造図である。
【００６５】
【図１８】本発明の第１０実施形態による符号化方式判定装置の概略構造図である。
【００６６】
【図１９】本発明の第１１実施形態による符号化方式判定装置の概略構造図である。
【００６７】
【図２０】本発明の第１２実施形態による符号化方式判定装置の概略構造図である。
【００６８】
【図２１】本発明の第１３実施形態による基地局デバイスの概略構造図である。
【００６９】
【図２２】本発明の第１４実施形態による端末デバイスの概略構造図である。
【００７０】
【図２３】本発明の第１５実施形態による符号化方式判定デバイスの概略構造図である。
【発明を実施するための形態】
【００７１】
以下に、本発明の実施形態について、添付図面を参照して詳細に説明する。
【００７２】
図３は、本発明の第１実施形態による符号化方式判定方法の概略相互作用図である。方法は、以下の段階を含む。
【００７３】
Ｓ１０１：基地局デバイスが、より上位層の制御シグナリング、物理層制御シグナリング、または同期信号を端末デバイスに送信し、より上位層の制御シグナリング、物理層制御シグナリング、または同期信号は、符号化方式指示情報を含み、符号化方式指示情報は、ビットの情報ブロックの符号化方式を示すために用いられる。
【００７４】
この実施形態においては、符号化方式は、Ｐｏｌａｒ符号、ターボ符号、ＬＤＰＣ符号、畳み込み符号、ブロック符号および反復符号のうちの少なくとも１つの符号化タイプを含む。ビットの情報ブロックは、制御情報およびデータ情報のうちの少なくとも１つの情報タイプを含む。具体的に言うと、示された符号化方式を用いて、制御情報またはデータ情報が符号化される。制御情報は、さらに、システム情報、チャネル品質情報（Ｃｈａｎｎｅｌ  Ｑｕａｌｉｔｙ  Ｉｎｆｏｒｍａｔｉｏｎ／Ｉｎｄｉｃａｔｉｏｎ：ＣＱＩ）等を含んでよい。
【００７５】
基地局デバイスは、端末デバイスに、基地局デバイスと端末デバイスとの間での通信中に通常送信される特定のシグナリングまたは信号である、より上位層の制御シグナリング、物理層制御シグナリング、または同期信号を送信する。この実施形態においては、より上位層の制御シグナリング、物理層制御シグナリングまたは同期信号は、符号化方式指示情報を保持し、符号化方式指示情報は、端末デバイスによって使用されるべき符号化方式を明確に示すべく、ビットの情報ブロックの符号化方式を示すために用いられる。
【００７６】
随意に、より上位層の制御シグナリングは、無線リソース制御（Ｒａｄｉｏ  Ｒｅｓｏｕｒｃｅ  Ｃｏｎｔｒｏｌ：ＲＲＣ）シグナリングであってよい。図４中の無線リソース制御シグナリングを用いることにより実行される例示的な符号化方式判定の概略相互作用図に示される通り、ＲＲＣシグナリングは、符号化方式指示情報を保持し、符号化方式指示情報は、符号化方式を示すために用いられる。端末デバイスと、基地局デバイスとの間で、ビットの情報ブロックが送信されるとき、端末デバイスおよび／または基地局デバイスは、示された符号化方式を用いて、ビットの情報ブロックを符号化する。
【００７７】
随意に、物理層制御シグナリングは、ダウンリンク制御情報（Ｄｏｗｎｌｉｎｋ  Ｃｏｎｔｒｏｌ  Ｉｎｆｏｒｍａｔｉｏｎ：ＤＣＩ）およびアップリンク制御情報（Ｕｐｌｉｎｋ  Ｃｏｎｔｒｏｌ  Ｉｎｆｏｒｍａｔｉｏｎ：ＵＣＩ）を含む。図５中のダウンリンク制御情報／アップリンク制御情報を用いることにより実行される例示的な符号化方式判定の概略相互作用図に示される通り、ＤＣＩ／ＵＣＩは、符号化方式指示情報を保持し、符号化方式指示情報は、符号化方式を示すために用いられる。端末デバイスと、基地局デバイスとの間で、ビットの情報ブロックが送信されるとき、端末デバイスおよび／または基地局デバイスは、示された符号化方式を用いて、ビットの情報ブロックを符号化する。
【００７８】
図６は、同期信号を用いることにより実行される例示的な符号化方式判定の概略相互作用図である。同期信号は、プライマリ同期信号（Ｐｒｉｍａｒｙ  Ｓｙｎｃｈｒｏｎｉｚａｔｉｏｎ  Ｓｉｇｎａｌ：ＰＳＳ）、セカンダリ同期信号（Ｓｅｃｏｎｄａｒｙ  Ｓｙｎｃｈｒｏｎｉｚａｔｉｏｎ  Ｓｉｇｎａｌ：ＳＳＳ）等であってよい。同期信号は、符号化方式指示情報を保持し、符号化方式指示情報は、符号化方式を示すために用いられる。端末デバイスと、基地局デバイスとの間で、ビットの情報ブロックが送信されるとき、端末デバイスおよび／または基地局デバイスは、示された符号化方式を用いて、ビットの情報ブロックを符号化する。
【００７９】
本発明のこの実施形態で提供される符号化方式判定方法によると、基地局デバイスは、ビットの情報ブロックの符号化方式を示すべく、端末デバイスに、符号化方式指示情報を保持する、より上位層の制御シグナリング、物理層制御シグナリングまたは同期信号を送信する。端末デバイスおよび／または基地局デバイスは、示された符号化方式に基づき、ビットの情報ブロックを符号化し、その結果、基地局デバイスは、符号化方式を明確且つ柔軟に示してよく、これにより、符号化方式を別々に示すことによって生じるシグナリングオーバーヘッドを低減させる。
【００８０】
図７は、本発明の第２実施形態による符号化方式判定方法の概略相互作用図である。上記方法は、以下の段階を含む。
【００８１】
Ｓ２０１：端末デバイスは、基地局デバイスの能力ネゴシエーション要求メッセージを受信する。
【００８２】
Ｓ２０２：端末デバイスは、能力情報報告メッセージを基地局デバイスに送信し、能力情報報告メッセージは、符号化方式指示情報を含み、符号化方式指示情報は、ビットの情報ブロックの符号化方式を示すために用いられる。
【００８３】
この実施形態においては、符号化方式は、Ｐｏｌａｒ符号、ターボ符号、ＬＤＰＣ符号、畳み込み符号、ブロック符号および反復符号のうちの少なくとも１つの符号化タイプを含む。ビットの情報ブロックは、制御情報およびデータ情報のうちの少なくとも１つの情報タイプを含む。制御情報は、さらに、システム情報、チャネル品質情報（ＣＱＩ）等を含んでよい。
【００８４】
端末デバイスが、基地局デバイスにアクセスすると、基地局デバイスは、端末デバイスの能力を認識する。これは、必要なプロセスのうちの１つである。具体的には、端末デバイスは、基地局デバイスの能力ネゴシエーション要求（ＵＥ  Ｃａｐａｂｉｌｉｔｙ  Ｅｎｑｕｉｒｙ）メッセージを受信し、端末デバイスは、能力情報（ＵＥ  Ｃａｐａｂｉｌｉｔｙ  Ｉｎｆｏｒｍａｔｉｏｎ）報告メッセージを、基地局デバイスに送信する。この実施形態においては、能力情報報告メッセージは、符号化方式指示情報を含み、符号化方式指示情報は、符号化方式を示すために用いられ、その結果、基地局デバイスによって用いられるべき符号化方式は、明確に示されてよく、符号化方式を示すべく、別のシグナリングが用いられる必要がなく、これにより、シグナリングオーバーヘッドを低減させる。
【００８５】
本発明のこの実施形態で提供される符号化方式判定方法によると、端末デバイスは、符号化方式を示すべく、符号化方式指示情報を保持する能力情報報告メッセージを、基地局デバイスに返す。基地局デバイスおよび／または端末デバイスは、示された符号化方式に基づき、ビットの情報ブロックを符号化し、その結果、端末デバイスは、符号化方式を明確且つ柔軟に示してよく、これにより、符号化方式を別々に示すことによって生じるシグナリングオーバーヘッドを低減させる。
【００８６】
図８は、本発明の第３実施形態による、符号化方式判定方法の概略フローチャートである。方法は、以下の段階を含む。
【００８７】
Ｓ３０１：プリセットされた第１の指定値Ｘ以上である少なくとも１つのＩＢＳを判定し、Ｘは、対応するシナリオ、情報タイプ、および／またはサービスタイプに基づいて設定されており、各シナリオ、情報タイプ、および／またはサービスタイプは、少なくとも１つのＩＢＳに対応する。
【００８８】
図１の例示的なＬＤＰＣ符号化方式の概略図に示される通り、１２個のＩＢＳが提供されている。また、ターボ符号に対しては、１８８のＩＢＳが提供されており、Ｐｏｌａｒ符号、畳み込み符号、ブロック符号および反復符号等のその他については、複数のＩＢＳが含まれる。この実施形態においては、シナリオ、情報タイプおよび／またはサービスタイプに基づき、好適な符号化方式が、判定される必要がある。各符号化方式は、１つのＩＢＳに対応する。もちろん、随意に、１つのＩＢＳは、複数の符号化方式に対応してもよい。このような多数のＩＢＳにおいて、１つのＩＢＳを判定すべく、ＩＢＳ選択のためのより低い閾値、すなわち、第１の指定値Ｘが、まず設定される。Ｘは、対応するシナリオ、情報タイプおよび／またはサービスタイプに基づいて設定される。これは、シナリオ、情報タイプおよび／またはサービスタイプに基づき、好適な符号化方式を判定するための第１の段階である。すなわち、Ｘ以上である１または複数のＩＢＳが判定される。判定された１または複数のＩＢＳは予め、シナリオ、情報タイプおよび／またはサービスタイプに対応している。換言すると、各シナリオ、情報タイプおよび／またはサービスタイプは、１または複数のＩＢＳに対応している。
【００８９】
Ｓ３０２：ビットの情報ブロックまたは上記ビットの情報ブロックのコードブロックを符号化すべく、少なくとも１つのＩＢＳから、ＩＢＳを選択し、選択されたＩＢＳは、ビットの情報ブロックのサイズ以上であり、ＩＢＳは、ビットの情報ブロックのサイズとの最も小さい差異を有し、または、選択されたＩＢＳは、コードブロックのコードブロックサイズ（ＣＢＳ）以上であり、ＩＢＳは、ＣＢＳとの最も小さい差異を有する。
【００９０】
この実施形態においては、符号化方式は、シナリオ、情報タイプ、および／またはサービスタイプによって判定され、符号化方式は、Ｐｏｌａｒ符号、ターボ符号、ＬＤＰＣ符号、畳み込み符号、ブロック符号および反復符号のうちの少なくとも１つの符号化タイプを含む。
【００９１】
シナリオ、情報タイプ、および／またはサービスタイプに基づき、好適な符号化方式を判定するための第２の段階において、ＩＢＳが判定された１または複数のＩＢＳから選択される。１または複数のＩＢＳから、ＩＢＳを選択することは、以下の２つの条件の両方を満たす必要がある。すなわち、（１）選択されたＩＢＳは、ビットの情報ブロックのサイズ以上であること、および（２）ＩＢＳは、ビットの情報ブロックのサイズに最も近似している、すなわち、ＩＢＳは、ビットの情報ブロックのサイズとの最も小さい差異を有すること、または、（１）'選択されたＩＢＳは、コードブロックのコードブロックサイズ以上であること、および（２）'ＩＢＳは、ＣＢＳに最も近似している、すなわち、ＩＢＳは、ＣＢＳとの最も小さい差異を有すること、である。本明細書では、コードブロックは、ビットの情報ブロックをセグメント化した後に取得される。ビットの情報ブロックのサイズが、比較的大きい場合、ビットの情報ブロックは、一般にセグメント化される必要がある。情報ブロックサイズとは、ビットの情報ブロックまたはコードブロックを符号化するために用いられる、情報ブロックのサイズである。
【００９２】
Ｓ３０１およびＳ３０２により取得されたＩＢＳは、シナリオ、情報タイプ、および／またはサービスタイプに基づき、判定および選択される。また、ＩＢＳは、ビットの情報ブロックのサイズ、またはビットの情報ブロックのコードブロックのコードブロックサイズに最も近似しており、従って、好適なＩＢＳである。この情報ブロックサイズは符号化に用いられ、従って、また、その符号化方式も、シナリオ、情報タイプおよび／またはサービスタイプに対応している。本明細書では、シナリオは、例えば、ｅＭＢＢ、ｍＭＴＣまたはＵＲＬＬＣといったサービスアプリケーションシナリオであり、情報タイプは、制御情報およびデータ情報を含み、サービスタイプは、音声、３Ｄビデオ、自動運転車等を含む。
【００９３】
随意に、各符号化タイプは、１つのＩＢＳセットに対応していてよく、各ＩＢＳセットは、少なくとも１つのＩＢＳを含み、各ＩＢＳは、１つの符号化方式に対応している。図９の（ａ）のシナリオ、情報タイプおよび／またはサービスタイプのケースにおける様々な符号化タイプに対応する例示的なＩＢＳセットの概略図に示される通り、畳み込み符号のためのＩＢＳセットは｛２０，３０，３１，...｝であり、ターボ符号のためのＩＢＳセットは｛４０，４８，６４，...｝であり、Ｐｏｌａｒ符号のためのＩＢＳセットは｛１２８，２５６，...｝であり、ＬＤＰＣ符号のためのＩＢＳセットは｛３２４，４３２，...１６２０...｝であると仮定する。符号化方式は、この実施形態を用いることにより判定される。例えば、現在のシナリオはｅＭＢＢであり、サービスタイプは３Ｄビデオであり、送信されるべきデータ量は比較的大量であり、ＣＢＳは３２３に等しいと仮定する。従って、Ｘは４０に設定され、４０以上のＩＢＳを持つセットは、ターボ符号、Ｐｏｌａｒ符号およびＬＤＰＣ符号に対応するＩＢＳセットを含む。ＣＢＳは３２３に等しいので、選択される必要のあるＩＢＳは３２３以上であり、ＩＢＳは、ＣＢＳに最も近似する。従って、３２４に等しいＩＢＳが最終的に選択され、符号化タイプはＬＤＰＣである。ＩＢＳを符号化タイプによって、セットに分類する態様においては、ＩＢＳおよび符号化方式を判定することが、より簡便である。さらに、図９の異なるシナリオ、情報タイプおよび／またはサービスタイプのケースにおける様々な符号化タイプに対応する例示的なＩＢＳセットの概略図に示される通り、同一のシナリオ、情報タイプおよび／またはサービスタイプについては、各符号化タイプは、１つのＩＢＳセットに対応し、各符号化タイプに対応するＩＢＳセットは、重複するＩＢＳを有していない。しかしながら、異なるシナリオ、情報タイプおよび／またはサービスタイプについては、符号化タイプに対応するＩＢＳセットは、重複するＩＢＳを有してよい。図９に示される通り、図の（ａ）は，シナリオ、情報タイプおよび／またはサービスタイプにおけるケースの様々な符号化タイプに対応するＩＢＳセットの概略図であり、図の（ｂ）は、別のシナリオ、情報タイプ、および／またはサービスタイプにおけるケースの様々な符号化タイプに対応するＩＢＳセットの概略図である。図の（ａ）および図の（ｂ）中、ＬＤＰＣ符号のＩＢＳセットは、１６２０に等しい同一のＩＢＳを有し、Ｐｏｌａｒ符号のためのＩＢＳセットは、２５６に等しい同一のＩＢＳを有する等である。また、図（ａ）中のＬＤＰＣ符号のＩＢＳセットおよび図（ｂ）中のＰｏｌａｒ符号のＩＢＳセットは、４３２に等しい同一のＩＢＳセットを有する等である。上述内容は、例示を用いて、本発明のこの実施形態における様々な符号化タイプに対応するＩＢＳセットを説明している。しかしながら、この実施形態は、上述の特定例に限定はされない。
【００９４】
図１０は、将来の国際モバイル通信（Ｉｎｔｅｒｎａｔｉｏｎａｌ  Ｍｏｂｉｌｅ  Ｔｅｌｅｃｏｍｍｕｎｉｃａｔｉｏｎ：ＩＭＴ）の例示的な予測される使用ソリューションの概略図である。この図には、ｅＭＢＢ、ｍＭＴＣおよびＵＲＬＬＣの３つの典型的なアプリケーションシナリオ、スマートシティ（Ｓｍａｒｔ  ｃｉｔｙ）、音声（Ｖｏｉｃｅ）、スマートホーム／ビル（Ｓｍａｒｔ  ｈｏｍｅ／ｂｕｉｌｄｉｎｇ）、１秒当たり数ギガバイト（Ｇｉｇａｂｙｔｅｓ  ｉｎ  ａ  ｓｅｃｏｎｄ）、３Ｄビデオ、ＵＨＤスクリーン（３Ｄ  ｖｉｄｅｏ，  ＵＨＤ  ｓｃｒｅｅｎｓ）、クラウドにおける仕事および遊び（Ｗｏｒｋ  ａｎｄ  ｐｌａｙ  ｉｎ  ｔｈｅ  ｃｌｏｕｄ）、拡張現実（Ａｕｇｍｅｎｔｅｄ  ｒｅａｌｉｔｙ）、産業オートメーション（Ｉｎｄｕｓｔｒｙ  ａｕｔｏｍａｔｉｏｎ）、ミッションクリティカルアプリケーション（Ｍｉｓｓｉｏｎ  ｃｒｉｔｉｃａｌ  ａｐｐｌｉｃａｔｉｏｎ）および自動運転車（Ｓｅｌｆ  ｄｒｉｖｉｎｇ  ｃａｒ）等の複数の使用ソリューションが含まれる。当該図から、一部の使用ソリューションは、複数のシナリオに適用可能であることが判明してよい。例えば、中でも、音声、スマートホーム／ビル、３Ｄビデオ、ＵＨＤスクリーン、クラウドにおける仕事および遊び並びに拡張現実等の使用ソリューションは、これらの３つのシナリオに適用可能である。しかしながら、いくつかの使用ソリューションは、特定のシナリオにより適用可能である。例えば、１秒当たり数ギガバイトの使用ソリューションは、ｅＭＢＢシナリオにより適用可能であり、スマートシティの使用ソリューションは、ｍＭＴＣシナリオにより適用可能であり、ミッションクリティカルアプリケーションおよび自動運転車の使用ソリューションは、ＵＲＬＬＣシナリオにより適用可能である。異なる使用ソリューションは、異なるサービスは、異なる性能要件に対応していること、または、異なるシナリオにおける同一サービスは、異なる性能要件に対応してこと、および選択されたチャネル符号化方式は異なること、を意味する。本発明のこの実施形態で提供される符号化方式判定方法は、好適なチャネル符号化方式を判定するために適用されて、最適な性能を達成してよい。
【００９５】
本発明のこの実施形態で提供される符号化方式判定方法によると、プリセットされた第１の指定値Ｘ以上である少なくとも１つのＩＢＳが判定され、ビットの情報ブロックまたはビットの情報ブロックのコードブロックを符号化すべく、当該少なくとも１つのＩＢＳから、ＩＢＳが選択される。Ｘおよび符号化方式は、シナリオ、情報タイプおよび／またはサービスタイプによって判定される。このように、シナリオ、情報タイプおよび／またはサービスタイプに基づき、好適な符号化方式が、判定されてよい。
【００９６】
図１１は、本発明の第４実施形態による符号化方式判定方法の概略フローチャートである。上記方法は、以下の段階を含む。
【００９７】
Ｓ４０１：プリセットされた第１の指定値Ｘ以上である少なくとも１つのＩＢＳを判定する。
【００９８】
この段階は、上述の実施形態における段階Ｓ３０１と同一であり、本明細書において詳細について、再度説明はしない。
【００９９】
Ｓ４０２：ビットの情報ブロックのサイズが、プリセットされた第２の指定値Ｙより大きいかを判定する。ビットの情報ブロックのサイズが、プリセットされた第２の指定値Ｙより大きい場合、段階Ｓ４０３に進む。あるいは、ビットの情報ブロックのサイズが、プリセットされた第２の指定値Ｙより大きくない場合、段階Ｓ４０５に進む。
【０１００】
この段階は、ビットの情報ブロックをセグメント化するかどうかの判定に用いられる。本明細書では、Ｙは、セグメント化の基準値であり、対応するシナリオ、情報タイプおよび／またはサービスタイプに基づき設定される。例えば、サービスタイプが３Ｄビデオであり、且つ、データ情報量が比較的大きい、具体的に言うと、ビットの情報ブロックのサイズが比較的大きい場合、一般に、セグメント化が行われる必要があり、Ｙを過度に小さい値に設定することは不適切である。
【０１０１】
Ｓ４０３：第２の指定値およびパディングされるビット量が最小であるという原理に基づき、ビットの情報ブロックをセグメント化して、同一サイズの複数のコードブロックを取得する。
【０１０２】
この実施形態においては、ビットの情報ブロックがセグメント化され、同一サイズの複数のコードブロックが取得される。例えば、ビットの情報ブロックのサイズが、３２００ビットであり、Ｙが１６００ビットに等しい場合、セグメント化により、同一サイズの２つのコードブロックが取得され、各コードブロックのサイズは、１６００ビットである。セグメント化により、同一のコードブロックが取得される場合、パディングされるビット量が最小であるという原理は、パディングされるビット量が最小になるように、ＣＢＳに最も近似するＩＢＳを選択することを意味する。
【０１０３】
Ｓ４０４：複数のコードブロックを符号化すべく、第１の情報ブロックサイズ（ＩＢＳ１）を選択する。
【０１０４】
セグメント化により取得された複数のコードブロックに対し、当該複数のコードブロックを符号化すべく、ＩＢＳ１が選択される。ＩＢＳ１は、コードブロックのコードブロックサイズ（ＣＢＳ）およびパディングされるビット量の和であり、パディングされるビット量は０以上の整数である。従って、ＩＢＳ１は、ＣＢＳ以上である。パディングされるビット量が最小である場合、ＩＢＳ１は、ＣＢＳに最も近似する。上述の例においては、各コードブロックのサイズは、１６００ビットであり、１６２０ビットに等しいＩＢＳ１が選択されてよく、各コードブロックに対し、２０ビットがパディングされる必要がある。
【０１０５】
ビットの情報ブロックは、同一サイズの複数のコードブロックにセグメント化され、セグメント化により取得された当該複数のコードブロックを符号化すべく、１つの情報ブロックサイズを用いる。セグメント化態様は単純であり、且つ、パディングされるビット量は最小であるので、ビットパディングオーバーデッドを低減させる。
【０１０６】
Ｓ４０５：ビットの情報ブロックを符号化すべく、第３の情報ブロックサイズ（ＩＢＳ３）を選択する。
【０１０７】
ビットの情報ブロックがセグメント化される必要がない場合、ビットの情報ブロックを符号化すべく、ＩＢＳ３が用いられる。同様に、ＩＢＳ３は、ビットの情報ブロックのサイズ以上であり、ＩＢＳ３は、ビットの情報ブロックのサイズに最も近似する。
【０１０８】
本発明のこの実施形態で提供される符号化方式判定方法により、第１の指定値Ｘ以上である少なくとも１つのＩＢＳが判定される。セグメント化される必要があるビットの情報ブロックが、同一サイズの複数のコードブロックにセグメント化される。ビットの情報ブロックのコードブロックを符号化すべく、当該少なくとも１つのＩＢＳからＩＢＳが選択される。ＩＢＳは、コードブロックのコードブロックサイズと、パディングされるビット量との和である。Ｘおよび符号化方式は、シナリオ、情報タイプおよび／またはサービスタイプによって判定される。このように、シナリオ、情報タイプおよび／またはサービスタイプに基づき、好適な符号化方式が、判定されてよい。また、ビットの情報ブロックは、同一サイズの複数のコードブロックにセグメント化され、セグメント化により取得された当該複数のコードブロックを符号化すべく、１つの情報ブロックサイズが用いられる。セグメント化態様は単純であり、且つ、パディングされるビット量は最小であるので、ビットパディングオーバーデッドを低減させる。
【０１０９】
図１３は、本発明の第５実施形態による符号化方式判定方法の概略フローチャートである。上記方法は、以下の段階を含む。
【０１１０】
Ｓ５０１：プリセットされた第１の指定値Ｘ以上である少なくとも１つのＩＢＳを判定する。
【０１１１】
この段階は、上述の実施形態における段階Ｓ３０１またはＳ４０１と同一であり、詳細について、本明細書において再度説明はしない。
【０１１２】
Ｓ５０２：ビットの情報ブロックのサイズが、プリセットされた第３の指定値Ｚより大きいかどうかを判定する。ビットの情報ブロックのサイズが、プリセットされた第３の指定値Ｚより大きい場合、段階Ｓ５０３に進む。または、ビットの情報ブロックのサイズが、プリセットされた第３の指定値Ｚより大きくない場合、段階Ｓ５０５に進む。
【０１１３】
この段階は、ビットの情報ブロックをセグメント化するかどうかの判定に用いられる。本明細書では、Ｚは、セグメント化の基準値であり、対応するシナリオ、情報タイプおよび／またはサービスタイプに基づき設定される。例えば、サービスタイプが３Ｄビデオであり、且つ、データ情報量が比較的大きい、具体的に言うと、ビットの情報ブロックのサイズが比較的大きい場合、一般に、セグメント化が行われる必要があり、Ｚを過度に小さい値に設定することは不適切である。
【０１１４】
Ｓ５０３：第３の指定値およびパディングされるビット量が最小であるという原理に基づき、ビットの情報ブロックをセグメント化して、異なるサイズの複数のコードブロックを取得する。
【０１１５】
しばしば、ビットの情報ブロックは、同一サイズの複数のコードブロックにきっかりセグメント化できない。あるいは、多様な符号化方式を考慮して、この段階において、異なるサイズの複数のコードブロックを取得すべく、ビットの情報ブロックは、セグメント化される。例えば、ビットの情報ブロックの情報タイプが、データ情報であり、且つ、トランスポートブロックのサイズが１５０００ビットである場合、パディングされるビット量が最小であるという原理に従い、トランスポートブロックは、１００８０ビットのサイズおよび４９２０の残りのビットのサイズを持つコードブロックにセグメント化される。
【０１１６】
Ｓ５０４：複数のコードブロックを符号化すべく、複数の第２の情報ブロックサイズ（ＩＢＳ２）を選択する。
【０１１７】
各コードブロックを符号化すべく、１つのＩＢＳ２が選択される。各ＩＢＳ２は、各コードブロックのコードブロックサイズ（ＣＢＳ）と、パディングされるビット量との和であり、パディングされるビット量は、０以上である。上述の例においては、１００８０ビットのコードブロックに対し、１００８０ビットに等しい１つのＩＢＳ２が存在するので、パディングされるビット量は０であり、１００８０ビットのＩＢＳ２が選択され、コードブロックが符号化される。４９２０ビットのコードブロックに対しては、５０４０ビットに等しいＩＢＳが当該コードブロックに最も近似し、６０ビットがパディングされ、５０４０ビットのＩＢＳ２が用いられて、当該コードブロックを符号化する。
【０１１８】
パディングされるビット量が最小であるという原理の１つの態様は、以下のようであってよい。すなわち、コードブロックは、セグメント化によりシーケンシャルに取得される。セグメント化により取得される第１のコードブロックは、最小のパディングされるビット量を有し、次は第２のコードブロックである。随意に、最も大きい情報ブロックサイズに等しいコードブロックサイズを持つコードブロックが、セグメント化により、まず取得される。その後、コードブロックは、セグメント化によりシーケンシャルに取得され、パディングされるビット量は、最小となる必要がある。例えば、トランスポートブロックが、１５０００ビットのサイズを有し、１００８０ビットのサイズを持つコードブロックおよび残り４９２０ビットのサイズを持つコードブロックにセグメント化される。１００８０ビットのサイズを持つコードブロックおよび５０４０ビットのサイズを持つコードブロックが符号化のために用いられるように、５０４０ビットのサイズが選択され、６０ビットがパディングされる。別の態様は、以下の通りである。すなわち、図１２中の例示的なリソースブロック上のパディングされるビット量が最小であるという原理の概略図に示される通り、すべてのサブキャリアおよびＲＢのＯＦＤＭシンボルで可及的多くの利用可能な送信ビットが用いられるように、比較的大きなコードブロックサイズが、まず判定される。残存する利用可能な送信ビットがまだ存在する場合、すべてのサブキャリアおよびＲＢのＯＦＤＭシンボルで可及的多くの残存する利用可能な送信ビットが用いられるように、前のサイズ以下の１つのコードブロックサイズが、さらに判定され、以下、同様である。
【０１１９】
随意に、比較的小さいコードブロックサイズ（ＣＢＳ）を持つコードブロック（ＣＢ）が、変調信号点において、高（低）信頼性を持つビットにマッピングされる。例えば、１６ＱＡＭ変調方式においては、１つの信号点は、４ビットを含む１つの１６ＱＡＭ変調シンボルに対応しており、当該４ビットは、異なる送信信頼性を有する。従って、本発明のこの実施形態においては、比較的高い信頼性を持つビットが用いられて、比較的小さいコードブロックサイズ（ＣＢＳ）を持つコードブロック（ＣＢ）を送信してよい。また、本発明のこの実施形態においては、代替的に、比較的低い信頼性を持つビットが用いられて、比較的小さいコードブロックサイズ（ＣＢＳ）を持つコードブロック（ＣＢ）を送信してよい。
【０１２０】
Ｓ５０５：ビットの情報ブロックを符号化すべく、第４の情報ブロックサイズ（ＩＢＳ４）を選択する。
【０１２１】
ビットの情報ブロックがセグメント化される必要がない場合、ビットの情報ブロックを符号化すべく、ＩＢＳ４が用いられる。同様に、ＩＢＳ４は、ビットの情報ブロックのサイズ以上であり、ＩＢＳ４は、ビットの情報ブロックのサイズに最も近似する。
【０１２２】
本発明のこの実施形態で提供される符号化方式判定方法によると、プリセットされた第１の指定値Ｘ以上である少なくとも１つのＩＢＳが判定される。異なるサイズの複数のコードブロックを取得すべく、ビットの情報ブロックが、セグメント化される。各コードブロックを符号化すべく、当該少なくとも１つのＩＢＳから１つのＩＢＳが選択される。選択されたＩＢＳは、コードブロックとパディングされるビット量との和である。Ｘおよび符号化方式は、シナリオ、情報タイプおよび／またはサービスタイプによって判定される。このように、シナリオ、情報タイプおよび／またはサービスタイプに基づき、好適な符号化方式が判定されてよい。また、ビットの情報ブロックは、異なるサイズの複数のコードブロックにセグメント化され、複数のコードブロックを符号化すべく、複数の情報ブロックサイズが用いられる。このように、符号化方式が多様であり、符号化は、柔軟に行われてよく、パディングされるビット量は、最小であるので、ビットパディングオーバーデッドを低減させる。
【０１２３】
図１４は、本発明の第６実施形態による符号化方式判定方法の概略フローチャートである。上記方法は、以下の段階を含む。
【０１２４】
Ｓ６０１：選択された低密度パリティチェック（ＬＤＰＣ）符号レートおよび選択されたＬＤＰＣ符号レートに対応するＬＤＰＣ符号の最大ＩＢＳを判定する。
【０１２５】
この実施形態においては、ＬＤＰＣ符号の符号化タイプが、既定で選択される。従って、Ｘ以上である少なくとも１つのＩＢＳが、判定される。例えば、ＬＤＰＣ符号の最小のＩＢＳは、３２４であり、従って、Ｘは３２４に設定されてよい。
【０１２６】
図１の例示的なＬＤＰＣ符号化方式の概略図に示される通り、ＬＤＰＣ符号は、４つの符号レート（１／２、２／３、３／４および５／６）を有し、１２個のＩＢＳが提供され、すなわち、１２個の符号化方式が提供される。ＩＢＳを選択すべく、ＬＤＰＣ符号レートが、まず判定される必要がある。当該符号レートが選択された後、当該符号レートに対応するＬＤＰＣ符号の最大ＩＢＳが、判定されてよい。図１に示される通り、符号レート１／２に対応する最大ＩＢＳは、９７２ビットに等しく、符号レート２／３に対応する最大ＩＢＳは、１２９６ビットに等しく、符号レート３／４に対応する最大ＩＢＳは、１４５８ビットに等しく、符号レート５／６に対応する最大ＩＢＳは、１６２０ビットに等しい。
【０１２７】
ＬＤＰＣ符号の２つのＩＢＳ、すなわち、符号レート１／２に対応する９７２ビットに等しい最大ＩＢＳ、および、符号レート３／４に対応する９７２ビットに等しい中間ＩＢＳは、同一である。符号レートを選択することにより、当該符号レートに対応する最大ＩＢＳが判定されてよく、符号化方式が判定されてよい。
【０１２８】
Ｓ６０２：ビットの情報ブロックのサイズが、最大ＩＢＳより大きいかどうかを判定する。ビットの情報ブロックのサイズが、最大ＩＢＳより大きい場合、段階Ｓ６０３に進む。または、ビットの情報ブロックのサイズが、最大ＩＢＳより大きくない場合、段階Ｓ６０５に進む。
【０１２９】
この段階は、セグメント化を実行するかどうかの判定に用いられてよい。本明細書において、セグメント化のための基準値は、最大ＩＢＳである。
【０１３０】
Ｓ６０３：最大ＩＢＳ、およびパディングされるビット量が最小であるという原理に基づき、ビットの情報ブロックをセグメント化して、同一サイズの複数のコードブロックを取得する。
【０１３１】
この実施形態においては、ビットの情報ブロックは、同一サイズのコードブロックにセグメント化され、このプロセスは、上述の実施形態における段階Ｓ４０３と同一である。詳細について、本明細書において再度説明はしない。もちろん、代替的に、ビットの情報ブロックは、異なるサイズのコードブロックにセグメント化されてよく、このプロセスは、上述の実施形態における段階Ｓ５０３と同一である。
【０１３２】
Ｓ４０４：複数のコードブロックを符号化すべく、第１の情報ブロックサイズ（ＩＢＳ１）を選択する。
【０１３３】
同一サイズの複数のコードブロックが、セグメント化により取得される場合、最大ＩＢＳが、セグメント化のための基準値として用いられるので、ＩＢＳ１は一般に最大ＩＢＳである。
【０１３４】
もちろん、代替的に、セグメント化のための基準値が、符号レートに対応する最小のＩＢＳに設定されてもよい。
【０１３５】
Ｓ４０５：ビットの情報ブロックを符号化すべく、第３の情報ブロックサイズ（ＩＢＳ３）を選択する。
【０１３６】
ビットの情報ブロックが、セグメント化される必要がない場合、ビットの情報ブロックを符号化すべく、ＩＢＳ３が用いられる。同様に、ＩＢＳ３は、ビットの情報ブロックのサイズ以上であり、ＩＢＳ３は、ビットの情報ブロックのサイズに最も近似する。
【０１３７】
本発明のこの実施形態で提供される符号化方式判定方法によると、ビットの情報ブロックまたはビットの情報ブロックのコードブロックを符号化すべく、ＬＤＰＣ符号の少なくとも１つのＩＢＳから、ＩＢＳが選択される。Ｘおよび符号化方式は、シナリオ、情報タイプおよび／またはサービスタイプによって判定される。このように、シナリオ、情報タイプおよび／またはサービスタイプに基づき、好適なＬＤＰＣ符号化方式が、判定されてよい。
【０１３８】
図１５は、本発明の第７実施形態による、基地局デバイスの概略構造図である。基地局デバイス１０００は、送信ユニット１１を含む。
【０１３９】
送信ユニット１１は、より上位層の制御シグナリング、物理層制御シグナリング、または同期信号を端末デバイスに送信するように構成され、より上位層の制御シグナリング、物理層制御シグナリング、または同期信号は、符号化方式指示情報を含み、符号化方式指示情報は、ビットの情報ブロックの符号化方式を示すために用いられる。
【０１４０】
この実施形態においては、符号化方式は、Ｐｏｌａｒ符号、ターボ符号、ＬＤＰＣ符号、畳み込み符号、ブロック符号および反復符号のうちの少なくとも１つの符号化タイプを含む。ビットの情報ブロックは、制御情報およびデータ情報のうちの少なくとも１つの情報タイプを含む。具体的に言うと、示された符号化方式を用いて、制御情報またはデータ情報が符号化される。制御情報は、さらに、システム情報、チャネル品質情報等を含んでよい。
【０１４１】
基地局デバイスは、端末デバイスに、基地局デバイスと端末デバイスとの間での通信中に通常送信される特定のシグナリングまたはいくつかの信号である、より上位層の制御シグナリング、物理層制御シグナリング、または同期信号を送信する。この実施形態においては、より上位層の制御シグナリング、物理層制御シグナリングまたは同期信号は、符号化方式指示情報を保持し、符号化方式指示情報は、端末デバイスによって使用されるべき符号化方式を明確に示すべく、ビットの情報ブロックの符号化方式を示すために用いられる。
【０１４２】
随意に、より上位層の制御シグナリングは、無線リソース制御シグナリングであってよい。図４中の無線リソース制御シグナリングを用いることにより実行される例示的な符号化方式判定の概略相互作用図に示される通り、ＲＲＣシグナリングは、符号化方式指示情報を保持し、符号化方式指示情報は、符号化方式を示すために用いられる。端末デバイスと、基地局デバイスとの間で、ビットの情報ブロックが送信されるとき、端末デバイスおよび／または基地局デバイスは、示された符号化方式を用いて、ビットの情報ブロックを符号化する。
【０１４３】
随意に、物理層制御シグナリングは、ダウンリンク制御情報およびアップリンク制御情報を含む。図５中のダウンリンク制御情報／アップリンク制御情報を用いることにより実行される例示的な符号化方式判定の概略相互作用図に示される通り、ＤＣＩ／ＵＣＩは、符号化方式指示情報を保持し、符号化方式指示情報は、符号化方式を示すために用いられる。端末デバイスと、基地局デバイスとの間で、ビットの情報ブロックが送信されるとき、端末デバイスおよび／または基地局デバイスは、示された符号化方式を用いて、ビットの情報ブロックを符号化する。
【０１４４】
図６は、同期信号を用いて実行される例示的な符号化方式判定の概略相互作用図である。同期信号は、プライマリ同期信号、セカンダリ同期信号等であってよい。同期信号は、符号化方式指示情報を保持し、符号化方式指示情報は、符号化方式を示すために用いられる。端末デバイスと、基地局デバイスとの間で、ビットの情報ブロックが送信されるとき、端末デバイスおよび／または基地局デバイスは、示された符号化方式を用いて、ビットの情報ブロックを符号化する。
【０１４５】
本発明のこの実施形態で提供される基地局デバイスによると、基地局デバイスは、ビットの情報ブロックの符号化方式を示すべく、端末デバイスに、符号化方式指示情報を保持する、より上位層の制御シグナリング、物理層制御シグナリング、または同期信号を送信する。端末デバイスおよび／または基地局デバイスは、示された符号化方式に基づき、ビットの情報ブロックを符号化し、その結果、基地局デバイスは、符号化方式を明確且つ柔軟に示してよく、これにより、符号化方式を別々に示すことによって生じるシグナリングオーバーヘッドを低減させる。
【０１４６】
図１６は、本発明の第８実施形態による、端末デバイスの概略構造図である。端末デバイス２０００は、受信ユニット２１および送信ユニット２２を含む。
【０１４７】
受信ユニット２１は、基地局デバイスの能力ネゴシエーション要求メッセージを受信するように構成されている。
【０１４８】
送信ユニット２２は、能力情報報告メッセージを基地局デバイスに送信するように構成され、能力情報報告メッセージは、符号化方式指示情報を含み、符号化方式指示情報は、ビットの情報ブロックの符号化方式を示すために用いられる。
【０１４９】
この実施形態においては、符号化方式は、Ｐｏｌａｒ符号、ターボ符号、ＬＤＰＣ符号、畳み込み符号、ブロック符号および反復符号のうちの少なくとも１つの符号化タイプを含む。ビットの情報ブロックは、制御情報およびデータ情報のうちの少なくとも１つの情報タイプを含む。制御情報は、さらに、システム情報、チャネル品質情報（ＣＱＩ）等を含んでよい。
【０１５０】
端末デバイスが、基地局デバイスにアクセスすると、基地局デバイスは、端末デバイスの能力を認識する。これは、必要なプロセスのうちの１つである。具体的には、端末デバイスは、基地局デバイスの能力ネゴシエーション要求メッセージを受信し、端末デバイスは、能力情報報告メッセージを、基地局デバイスに送信する。この実施形態においては、能力情報報告メッセージは、符号化方式指示情報を含み、符号化方式指示情報は、符号化方式を示すために用いられ、その結果、基地局デバイスによって用いられるべき符号化方式は、明確に示されてよく、符号化方式を示すべく、別のシグナリングが用いられる必要がなく、これにより、シグナリングオーバーヘッドを低減させる。
【０１５１】
本発明のこの実施形態で提供される端末デバイスによると、端末デバイスは、符号化方式を示すべく、符号化方式指示情報を保持する能力情報報告メッセージを、基地局デバイスに返す。基地局デバイスおよび／または端末デバイスは、示された符号化方式に基づき、ビットの情報ブロックを符号化し、その結果、端末デバイスは、符号化方式を明確且つ柔軟に示してよく、これにより、符号化方式を別々に示すことによって生じるシグナリングオーバーヘッドを低減させる。
【０１５２】
図１７は、本発明の第９実施形態による符号化方式判定装置の概略構造図である。装置３０００は、第１の判定ユニット３１および選択ユニット３２を含む。
【０１５３】
第１の判定ユニット３１は、プリセットされた第１の指定値Ｘ以上である少なくとも１つのＩＢＳを判定するように構成されており、Ｘは、対応するシナリオ、情報タイプ、および／またはサービスタイプに基づいて設定されており、各シナリオ、情報タイプ、および／またはサービスタイプは、少なくとも１つのＩＢＳに対応する。
【０１５４】
図１の例示的なＬＤＰＣ符号化方式の概略図に示される通り、１２個のＩＢＳが提供されている。また、ターボ符号に対しては、１８８のＩＢＳが提供されており、Ｐｏｌａｒ符号、畳み込み符号、ブロック符号および反復符号等のその他については、複数のＩＢＳが含まれる。この実施形態においては、シナリオ、情報タイプおよび／またはサービスタイプに基づき、好適な符号化方式が、判定される必要がある。各符号化方式は、１つのＩＢＳに対応する。もちろん、随意に、１つのＩＢＳは、複数の符号化方式に対応してもよい。このような多数のＩＢＳにおいて、１つのＩＢＳを判定すべく、ＩＢＳ選択のためのより低い閾値、すなわち、第１の指定値Ｘが、まず設定される。Ｘは、対応するシナリオ、情報タイプおよび／またはサービスタイプに基づいて設定される。これは、シナリオ、情報タイプおよび／またはサービスタイプに基づき、好適な符号化方式を判定するための第１の段階である。すなわち、Ｘ以上である１または複数のＩＢＳが判定される。判定された１または複数のＩＢＳは予め、シナリオ、情報タイプおよび／またはサービスタイプに対応している。換言すると、各シナリオ、情報タイプおよび／またはサービスタイプは、１または複数のＩＢＳに対応している。
【０１５５】
選択ユニット３２は、ビットの情報ブロックまたはビットの情報ブロックのコードブロックを符号化すべく、少なくとも１つのＩＢＳから、ＩＢＳを選択するように構成されており、選択されたＩＢＳは、ビットの情報ブロックのサイズ以上であり、ＩＢＳは、ビットの情報ブロックのサイズとの最も小さい差異を有し、または、選択されたＩＢＳは、コードブロックのコードブロックサイズ（ＣＢＳ）以上であり、ＩＢＳは、ＣＢＳとの最も小さい差異を有する。
【０１５６】
この実施形態においては、符号化方式は、シナリオ、情報タイプ、および／またはサービスタイプによって判定され、符号化方式は、Ｐｏｌａｒ符号、ターボ符号、ＬＤＰＣ符号、畳み込み符号、ブロック符号および反復符号のうちの少なくとも１つの符号化タイプを含む。
【０１５７】
シナリオ、情報タイプ、および／またはサービスタイプに基づき、好適な符号化方式を判定するための第２の段階において、ＩＢＳが判定された１または複数のＩＢＳから選択される。１または複数のＩＢＳからＩＢＳを選択することは、以下の２つの条件の両方を満たす必要がある。すなわち、（１）選択されたＩＢＳは、ビットの情報ブロックのサイズ以上であること、および（２）ＩＢＳは、ビットの情報ブロックのサイズに最も近似している、すなわち、ＩＢＳは、ビットの情報ブロックのサイズとの最も小さい差異を有すること、または、（１）'選択されたＩＢＳは、コードブロックのコードブロックサイズ以上であること、および（２）'ＩＢＳは、ＣＢＳに最も近似している、すなわち、ＩＢＳは、ＣＢＳとの最も小さい差異を有すること、である。本明細書では、コードブロックは、ビットの情報ブロックをセグメント化した後に取得される。ビットの情報ブロックのサイズが、比較的大きい場合、ビットの情報ブロックは、一般にセグメント化される必要がある。情報ブロックサイズとは、ビットの情報ブロックまたはコードブロックを符号化するために用いられる、情報ブロックのサイズである。
【０１５８】
この実施形態により取得されたＩＢＳは、シナリオ、情報タイプ、および／またはサービスタイプに基づき、判定および選択される。また、ＩＢＳは、ビットの情報ブロックのサイズ、またはビットの情報ブロックのコードブロックのコードブロックサイズに最も近似しており、従って、好適なＩＢＳである。この情報ブロックサイズは符号化に用いられ、従って、また、その符号化方式も、シナリオ、情報タイプおよび／またはサービスタイプに対応している。本明細書では、シナリオは、例えば、ｅＭＢＢ、ｍＭＴＣまたはＵＲＬＬＣといったサービスアプリケーションシナリオであり、情報タイプは、制御情報およびデータ情報を含み、サービスタイプは、音声、３Ｄビデオ、自動運転車等を含む。
【０１５９】
随意に、各符号化タイプは、１つのＩＢＳセットに対応していてよく、各ＩＢＳセットは、少なくとも１つのＩＢＳを含み、各ＩＢＳは、１つの符号化方式に対応している。図９の（ａ）のシナリオ、情報タイプおよび／またはサービスタイプのケースにおける様々な符号化タイプに対応する例示的なＩＢＳセットの概略図に示される通り、畳み込み符号のためのＩＢＳセットは｛２０，３０，３１，...｝であり、ターボ符号のためのＩＢＳセットは｛４０，４８，６４，...｝であり、Ｐｏｌａｒ符号のためのＩＢＳセットは｛１２８，２５６，...｝であり、ＬＤＰＣ符号のためのＩＢＳセットは｛３２４，４３２，...１６２０...｝であると仮定する。符号化方式は、この実施形態を用いることにより判定される。例えば、現在のシナリオはｅＭＢＢであり、サービスタイプは３Ｄビデオであり、送信されるべきデータ量は比較的大量であり、ＣＢＳは３２３に等しいと仮定する。従って、Ｘは４０に設定され、４０以上のＩＢＳを持つセットは、ターボ符号、Ｐｏｌａｒ符号およびＬＤＰＣ符号に対応するＩＢＳセットを含む。ＣＢＳは３２３に等しいので、選択される必要のあるＩＢＳは３２３以上であり、ＩＢＳは、ＣＢＳに最も近似する。従って、３２４に等しいＩＢＳが最終的に選択され、符号化タイプはＬＤＰＣである。ＩＢＳを符号化タイプによって、セットに分類する態様においては、ＩＢＳおよび符号化方式を判定することが、より簡便である。さらに、図９の異なるシナリオ、情報タイプおよび／またはサービスタイプのケースにおける様々な符号化タイプに対応する例示的なＩＢＳセットの概略図に示される通り、同一のシナリオ、情報タイプおよび／またはサービスタイプについては、各符号化タイプは、１つのＩＢＳセットに対応し、各符号化タイプに対応するＩＢＳセットは、重複するＩＢＳを有していない。しかしながら、異なるシナリオ、情報タイプおよび／またはサービスタイプについては、符号化タイプに対応するＩＢＳセットは、重複するＩＢＳを有してよい。図９に示される通り、図の（ａ）は，シナリオ、情報タイプおよび／またはサービスタイプにおけるケースの様々な符号化タイプに対応するＩＢＳセットの概略図であり、図の（ｂ）は、別のシナリオ、情報タイプ、および／またはサービスタイプのケースにおける様々な符号化タイプに対応するＩＢＳセットの概略図である。図の（ａ）および図の（ｂ）中、ＬＤＰＣ符号のＩＢＳセットは、１６２０に等しい同一のＩＢＳを有し、Ｐｏｌａｒ符号のＩＢＳセットは、２５６に等しい同一のＩＢＳを有する等である。また、図（ａ）中のＬＤＰＣ符号のＩＢＳセットおよび図（ｂ）中のＰｏｌａｒ符号のＩＢＳセットは、４３２に等しい同一のＩＢＳセットを有する等である。上述内容は、例示を用いて、本発明のこの実施形態における様々な符号化タイプに対応するＩＢＳセットを説明している。しかしながら、この実施形態は、上述の特定例に限定はされない。
【０１６０】
図１０は、将来の国際モバイル通信（Ｉｎｔｅｒｎａｔｉｏｎａｌ  Ｍｏｂｉｌｅ  Ｔｅｌｅｃｏｍｍｕｎｉｃａｔｉｏｎ：ＩＭＴ）の例示的な予測される使用ソリューションの概略図である。この図には、ｅＭＢＢ、ｍＭＴＣおよびＵＲＬＬＣの３つの典型的なアプリケーションシナリオ、スマートシティ（Ｓｍａｒｔ  ｃｉｔｙ）、ボイス（Ｖｏｉｃｅ）、スマートホーム／ビル（Ｓｍａｒｔ  ｈｏｍｅ／ｂｕｉｌｄｉｎｇ）、１秒当たり数ギガバイト（Ｇｉｇａｂｙｔｅｓ  ｉｎ  ａ  ｓｅｃｏｎｄ）、３Ｄビデオ、ＵＨＤスクリーン（３Ｄ  ｖｉｄｅｏ，  ＵＨＤ  ｓｃｒｅｅｎｓ）、クラウドにおける仕事および遊び（Ｗｏｒｋ  ａｎｄ  ｐｌａｙ  ｉｎ  ｔｈｅ  ｃｌｏｕｄ）、拡張現実（Ａｕｇｍｅｎｔｅｄ  ｒｅａｌｉｔｙ）、産業オートメーション（Ｉｎｄｕｓｔｒｙ  ａｕｔｏｍａｔｉｏｎ）、ミッションクリティカルアプリケーション（Ｍｉｓｓｉｏｎ  ｃｒｉｔｉｃａｌ  ａｐｐｌｉｃａｔｉｏｎ）および自動運転車（Ｓｅｌｆ  ｄｒｉｖｉｎｇ  ｃａｒ）等の複数の使用ソリューションが含まれる。当該図から、一部の使用ソリューションは、複数のシナリオに適用可能であることが判明してよい。例えば、中でも、音声、スマートホーム／ビル、３Ｄビデオ、ＵＨＤスクリーン、クラウドにおける仕事および遊び並びに拡張現実等の使用ソリューションは、これらの３つのシナリオに適用可能である。しかしながら、いくつかの使用ソリューションは、特定のシナリオにより適用可能である。例えば、１秒当たり数ギガバイトの使用ソリューションは、ｅＭＢＢシナリオにより適用可能であり、スマートシティの使用ソリューションは、ｍＭＴＣシナリオにより適用可能であり、ミッションクリティカルアプリケーションおよび自動運転車の使用ソリューションは、ＵＲＬＬＣシナリオにより適用可能である。異なる使用ソリューションは、異なるサービスは、異なる性能要件に対応していること、または、異なるシナリオにおける同一サービスは、異なる性能要件に対応してこと、および選択されたチャネル符号化方式は異なること、を意味する。本発明のこの実施形態で提供される符号化方式判定方法は、好適なチャネル符号化方式を判定するために適用されて、最適な性能を達成してよい。
【０１６１】
本発明のこの実施形態で提供される符号化方式判定装置によると、プリセットされた第１の指定値Ｘ以上である少なくとも１つのＩＢＳが判定され、ビットの情報ブロックまたはビットの情報ブロックのコードブロックを符号化すべく、当該少なくとも１つのＩＢＳから、ＩＢＳが選択される。Ｘおよび符号化方式は、シナリオ、情報タイプおよび／またはサービスタイプに基づいて判定される。このように、シナリオ、情報タイプおよび／またはサービスタイプに基づき、好適な符号化方式が判定されてよい。
【０１６２】
図１８は、本発明の第１０実施形態による符号化方式判定装置の概略構造図である。装置４０００は、第１の判定ユニット４１、第１のセグメント化ユニット４２および選択ユニット４３を含む。
【０１６３】
第１の判定ユニット４１は、プリセットされた第１の指定値Ｘ以上である少なくとも１つのＩＢＳを判定するように構成されている。
【０１６４】
第１の判定ユニット４１の機能は、上述の実施形態における第１の判定ユニット３１の機能と同一であり、詳細について、本明細書においてここで再び説明しない。
【０１６５】
第１のセグメント化ユニット４２は、ビットの情報ブロックのサイズが、プリセットされた第２の指定値Ｙより大きい場合、第２の指定値およびパディングされるビット量が最小であるという原理に基づき、同一サイズの複数のコードブロックを取得すべく、ビットの情報ブロックをセグメント化するように構成されており、Ｙは、対応するシナリオ、情報タイプおよび／またはサービスタイプに基づき設定される。
【０１６６】
第１のセグメント化ユニット４２は、ビットの情報ブロックをセグメント化するかどうかを、まず判定する。本明細書では、Ｙは、セグメント化の基準値であり、対応するシナリオ、情報タイプおよび／またはサービスタイプに基づき設定される。例えば、サービスタイプが３Ｄビデオであり、且つ、データ情報量が比較的大きい、具体的に言うと、ビットの情報ブロックのサイズが比較的大きい場合、一般に、セグメント化が行われる必要があり、Ｙを過度に小さい値に設定することは不適切である。
【０１６７】
次に、第１のセグメント化ユニット４２は、第２の指定値およびパディングされるビット量が最小であるという原理に基づき、ビットの情報ブロックをセグメント化して、同一サイズの複数のコードブロックを取得するように構成されている。この実施形態においては、ビットの情報ブロックがセグメント化され、同一サイズの複数のコードブロックが取得される。例えば、ビットの情報ブロックのサイズが、３２００ビットであり、Ｙが１６００ビットに等しい場合、セグメント化により、同一サイズの２つのコードブロックが取得され、各コードブロックのサイズは、１６００ビットである。セグメント化により、同一のコードブロックが取得される場合、パディングされるビット量が最小であるという原理は、パディングされるビット量が最小になるように、ＣＢＳに最も近似するＩＢＳを選択することを意味する。
【０１６８】
選択ユニット４３は、複数のコードブロックを符号化すべく、第１の情報ブロックサイズ（ＩＢＳ１）を選択するように構成されている。
【０１６９】
セグメント化により取得された複数のコードブロックに対し、当該複数のコードブロックを符号化すべく、ＩＢＳ１が選択される。ＩＢＳ１は、コードブロックのコードブロックサイズ（ＣＢＳ）およびパディングされるビット量の和であり、パディングされるビット量は０以上の整数である。従って、ＩＢＳ１は、ＣＢＳ以上である。パディングされるビット量が最小である場合、ＩＢＳ１は、ＣＢＳに最も近似する。上述の例においては、各コードブロックのサイズは、１６００ビットであり、１６２０ビットに等しいＩＢＳ１が選択されてよく、各コードブロックに対し、２０ビットがパディングされる必要がある。
【０１７０】
ビットの情報ブロックは、同一サイズの複数のコードブロックにセグメント化され、セグメント化により取得された当該複数のコードブロックを符号化すべく、１つの情報ブロックサイズを用いる。セグメント化態様は単純であり、且つ、パディングされるビット量は最小であるので、ビットパディングオーバーデッドを低減させる。
【０１７１】
選択ユニット４３は、さらに、ビットの情報ブロックのサイズが、プリセットされた第２の指定値Ｙ以下である場合、ビットの情報ブロックを符号化すべく、第３の情報ブロックサイズ（ＩＢＳ３）を選択するように構成されている。
【０１７２】
ビットの情報ブロックがセグメント化される必要がない場合、ビットの情報ブロックを符号化すべく、ＩＢＳ３が用いられる。同様に、ＩＢＳ３は、ビットの情報ブロックのサイズ以上であり、ＩＢＳ３は、ビットの情報ブロックのサイズに最も近似する。
【０１７３】
本発明のこの実施形態で提供される符号化方式判定装置により、プリセットされた第１の指定値Ｘ以上である少なくとも１つのＩＢＳが判定される。セグメント化される必要があるビットの情報ブロックが、同一サイズの複数のコードブロックにセグメント化される。ビットの情報ブロックのコードブロックを符号化すべく、当該少なくとも１つのＩＢＳからＩＢＳが選択される。ＩＢＳは、コードブロックのコードブロックサイズと、パディングされるビット量との和である。Ｘおよび符号化方式は、シナリオ、情報タイプおよび／またはサービスタイプによって判定される。このように、シナリオ、情報タイプおよび／またはサービスタイプに基づき、好適な符号化方式が、判定されてよい。また、ビットの情報ブロックは、同一サイズの複数のコードブロックにセグメント化され、セグメント化により取得された当該複数のコードブロックを符号化すべく、１つの情報ブロックサイズが用いられる。セグメント化態様は単純であり、且つ、パディングされるビット量は最小であるので、ビットパディングオーバーデッドを低減させる。
【０１７４】
図１９は、本発明の第１１実施形態による符号化方式判定装置の概略構造図である。装置５０００は、第１の判定ユニット５１、第２のセグメント化ユニット５２および選択ユニット５３を含む。
【０１７５】
第１の判定ユニット５１は、プリセットされた第１の指定値Ｘ以上である少なくとも１つのＩＢＳを判定するように構成されている。
【０１７６】
第１の判定ユニット５１の機能は、上述の実施形態における第１の判定ユニット３１または第１の判定ユニット４１の機能と同一であり、詳細について、本明細書においてここで再び説明しない。
【０１７７】
第２のセグメント化ユニット５２は、ビットの情報ブロックのサイズが、プリセットされた第３の指定値Ｚより大きい場合、第３の指定値およびパディングされるビット量が最小であるという原理に基づき、異なるサイズの複数のコードブロックを取得すべく、ビットの情報ブロックをセグメント化するように構成されており、Ｚは、対応するシナリオ、情報タイプおよび／またはサービスタイプに基づき設定される。
【０１７８】
第２のセグメント化ユニット５２は、ビットの情報ブロックをセグメント化するかどうかを、まず判定する。本明細書では、Ｚは、セグメント化の基準値であり、対応するシナリオ、情報タイプおよび／またはサービスタイプに基づき設定される。例えば、サービスタイプが３Ｄビデオであり、且つ、データ情報量が比較的大きい、具体的に言うと、ビットの情報ブロックのサイズが比較的大きい場合、一般に、セグメント化が行われる必要があり、Ｚを過度に小さい値に設定することは不適切である。
【０１７９】
次に、第２のセグメント化ユニット５２は、第３の指定値およびパディングされるビット量が最小であるという原理に基づき、ビットの情報ブロックをセグメント化して、異なるサイズの複数のコードブロックを取得する。
【０１８０】
しばしば、ビットの情報ブロックは、同一サイズの複数のコードブロックにきっかりセグメント化できない。あるいは、多様な符号化方式を考慮して、この実施形態においては、異なるサイズの複数のコードブロックを取得すべく、ビットの情報ブロックは、セグメント化される。例えば、ビットの情報ブロックの情報タイプが、データ情報であり、且つ、トランスポートブロックのサイズが１５０００ビットである場合、パディングされるビット量が最小であるという原理に従い、トランスポートブロックは、１００８０ビットのサイズを持つコードブロックおよび４９２０の残りのビットのサイズを持つコードブロックにセグメント化される。
【０１８１】
選択ユニット５３は、複数のコードブロックを符号化すべく、複数の第２の情報ブロックサイズ（ＩＢＳ２）を選択するように構成されている。
【０１８２】
各コードブロックを符号化すべく、１つのＩＢＳ２が選択される。各ＩＢＳ２は、各コードブロックのコードブロックサイズ（ＣＢＳ）と、パディングされるビット量との和であり、パディングされるビット量は、０以上である。上述の例においては、１００８０ビットのコードブロックに対し、１００８０ビットに等しい１つのＩＢＳ２が存在するので、パディングされるビット量は０であり、１００８０ビットのＩＢＳ２が選択され、コードブロックが符号化される。４９２０ビットのコードブロックに対しては、５０４０ビットに等しいＩＢＳが当該コードブロックに最も近似し、６０ビットがパディングされ、５０４０ビットのＩＢＳ２が用いられて、当該コードブロックを符号化する。
【０１８３】
パディングされるビット量が最小であるという原理の１つの態様は、以下のようであってよい。すなわち、コードブロックは、セグメント化によりシーケンシャルに取得される。セグメント化により取得される第１のコードブロックは、最小のパディングされるビット量を有し、次は第２のコードブロックである。随意に、最も大きい情報ブロックサイズに等しいコードブロックサイズを持つコードブロックが、セグメント化により、まず取得される。その後、コードブロックは、セグメント化によりシーケンシャルに取得され、パディングされるビット量は、最小となる必要がある。例えば、トランスポートブロックが、１５０００ビットのサイズを有し、１００８０ビットのサイズを持つコードブロックおよび残り４９２０ビットを持つコードブロックにセグメント化される。１００８０ビットのサイズを持つコードブロックおよび５０４０ビットのサイズを持つコードブロックが符号化のために用いられるように、５０４０ビットのサイズが選択され、６０ビットがパディングされる。別の態様は、以下の通りである。すなわち、図１２中の例示的なリソースブロック上のパディングされるビット量が最小であるという原理の概略図に示される通り、すべてのサブキャリアおよびＲＢのＯＦＤＭシンボルで可及的多くの利用可能な送信ビットが用いられるように、比較的大きなコードブロックサイズが、まず判定される。残存する利用可能な送信ビットがまだ存在する場合、すべてのサブキャリアおよびＲＢのＯＦＤＭシンボルで可及的多くの残存する利用可能な送信ビットが用いられるように、前のサイズ以下の１つのコードブロックサイズが、さらに判定され、以下、同様である。
【０１８４】
随意に、比較的小さいコードブロックサイズ（ＣＢＳ）を持つコードブロック（ＣＢ）が、変調信号点において、高（低）信頼性を持つビットにマッピングされる。例えば、１６ＱＡＭ変調方式においては、１つの信号点は、４ビットを含む１つの１６ＱＡＭ変調シンボルに対応しており、当該４ビットは、異なる送信信頼性を有する。従って、本発明のこの実施形態においては、比較的高い信頼性を持つビットが用いられて、比較的小さいコードブロックサイズ（ＣＢＳ）を持つコードブロック（ＣＢ）を送信してよい。また、本発明のこの実施形態においては、代替的に、比較的低い信頼性を持つビットが用いられて、比較的小さいコードブロックサイズ（ＣＢＳ）を持つコードブロック（ＣＢ）を送信してよい。
【０１８５】
選択ユニット５３は、さらに、ビットの情報ブロックのサイズが、プリセットされた第３の指定値Ｚより大きい場合、ビットの情報ブロックを符号化すべく、第４の情報ブロックサイズ（ＩＢＳ４）を選択するように構成されている。
【０１８６】
ビットの情報ブロックがセグメント化される必要がない場合、ビットの情報ブロックを符号化すべく、ＩＢＳ４が用いられる。同様に、ＩＢＳ４は、ビットの情報ブロックのサイズ以上であり、ＩＢＳ４は、ビットの情報ブロックのサイズに最も近似する。
【０１８７】
本発明のこの実施形態で提供される符号化方式判定装置により、プリセットされた第１の指定値Ｘ以上である少なくとも１つのＩＢＳが判定される。異なるサイズの複数のコードブロックを取得すべく、ビットの情報ブロックが、セグメント化される。各コードブロックを符号化すべく、当該少なくとも１つのＩＢＳから１つのＩＢＳが選択される。選択されたＩＢＳは、コードブロックとパディングされるビット量との和である。Ｘおよび符号化方式は、シナリオ、情報タイプおよび／またはサービスタイプによって判定される。このように、シナリオ、情報タイプおよび／またはサービスタイプに基づき、好適な符号化方式が、判定されてよい。また、ビットの情報ブロックは、異なるサイズの複数のコードブロックにセグメント化され、複数のコードブロックを符号化すべく、複数の情報ブロックサイズが用いられる。このように、符号化方式が多様であり、符号化は、柔軟に行われてよく、パディングされるビット量は、最小であるので、ビットパディングオーバーデッドを低減させる。
【０１８８】
図２０は、本発明の第１２実施形態による符号化方式判定装置の概略構造図である。装置６０００は、第２の判定ユニット６１、第１のセグメント化ユニット６２および選択ユニット６３を含む。
【０１８９】
第２の判定ユニット６１は、選択された低密度パリティチェック（ＬＤＰＣ）符号レートおよび選択されたＬＤＰＣ符号レートに対応するＬＤＰＣ符号の最大ＩＢＳを判定するように構成されている。
【０１９０】
この実施形態においては、ＬＤＰＣ符号の符号化タイプが、既定で選択される。従って、Ｘ以上である少なくとも１つのＩＢＳが、判定される。例えば、ＬＤＰＣ符号の最小のＩＢＳは、３２４であり、従って、Ｘは３２４に設定されてよい。
【０１９１】
図１の例示的なＬＤＰＣ符号化方式の概略図に示される通り、ＬＤＰＣ符号は、４つの符号レート（１／２、２／３、３／４および５／６）を有し、１２個のＩＢＳが提供され、すなわち、１２個の符号化方式が提供される。ＩＢＳを選択すべく、ＬＤＰＣ符号レートが、まず判定される必要がある。当該符号レートが選択された後、当該符号レートに対応するＬＤＰＣ符号の最大ＩＢＳが、判定されてよい。図１に示される通り、符号レート１／２に対応する最大ＩＢＳは、９７２ビットに等しく、符号レート２／３に対応する最大ＩＢＳは、１２９６ビットに等しく、符号レート３／４に対応する最大ＩＢＳは、１４５８ビットに等しく、符号レート５／６に対応する最大ＩＢＳは、１６２０ビットに等しい。
【０１９２】
ＬＤＰＣ符号の２つのＩＢＳ、すなわち、符号レート１／２に対応する９７２ビットに等しい最大ＩＢＳ、および、符号レート３／４に対応する９７２ビットに等しい中間ＩＢＳは、同一である。符号レートを選択することにより、当該符号レートに対応する最大ＩＢＳが判定されてよく、符号化方式が判定されてよい。
【０１９３】
第１のセグメント化ユニット６２は、ビットの情報ブロックのサイズが最大ＩＢＳより大きい場合、最大ＩＢＳおよびパディングされるビット量が最小であるという原理に基づき、ビットの情報ブロックをセグメント化して、同一サイズの複数のコードブロックを取得するように構成されている。
【０１９４】
第１のセグメント化ユニット６２は、まず、セグメント化を実行するかどうかを判定する。本明細書において、セグメント化のための基準値は、最大ＩＢＳである。  次に、第１のセグメント化ユニット６２は、最大ＩＢＳおよびパディングされるビット量が最小であるという原理に基づき、ビットの情報ブロックをセグメント化して、同一サイズの複数のコードブロックを取得する。
【０１９５】
この実施形態におけるビットの情報ブロックを、同一サイズのコードブロックにセグメント化する機能は、上述の実施形態における第１のセグメント化ユニット４２の機能と同一であり、詳細について、本明細書においてここで再び説明しない。もちろん、代替的に、ビットの情報ブロックは、異なるサイズのコードブロックにセグメント化されてよい。
【０１９６】
選択ユニット６３は、複数のコードブロックを符号化すべく、第１の情報ブロックサイズ（ＩＢＳ１）を選択するように構成されている。
【０１９７】
同一サイズの複数のコードブロックが、セグメント化により取得される場合、最大ＩＢＳが、セグメント化のための基準値として用いられるので、ＩＢＳ１は一般に最大ＩＢＳである。
【０１９８】
もちろん、代替的に、セグメント化のための基準値が、符号レートに対応する最小のＩＢＳに設定されてもよい。
【０１９９】
選択ユニット６３は、さらに、ビットの情報ブロックのサイズが、最大ＩＢＳ以下である場合、ビットの情報ブロックを符号化すべく、第３の情報ブロックサイズ（ＩＢＳ３）を選択するように構成されている。
【０２００】
ビットの情報ブロックがセグメント化される必要がない場合、ビットの情報ブロックを符号化すべく、ＩＢＳ３が用いられる。同様に、ＩＢＳ３は、ビットの情報ブロックのサイズ以上であり、ＩＢＳ３は、ビットの情報ブロックのサイズに最も近似する。
【０２０１】
本発明のこの実施形態で提供される符号化方式判定装置によると、ビットの情報ブロックまたはビットの情報ブロックのコードブロックを符号化すべく、ＬＤＰＣ符号の少なくとも１つのＩＢＳから、ＩＢＳが選択される。Ｘおよび符号化方式は、シナリオ、情報タイプおよび／またはサービスタイプによって判定される。このように、シナリオ、情報タイプおよび／またはサービスタイプに基づき、好適なＬＤＰＣ符号化方式が、判定されてよい。
【０２０２】
図２１は、本発明の第１３実施形態による基地局デバイスの概略構造図である。基地局デバイスは、上述の符号化方式判定機能を実装するように構成されている。図２１に示される通り、基地局デバイス７０００は、送信機７１を含む。
【０２０３】
送信機７１は、より上位層の制御シグナリング、物理層制御シグナリングまたは同期信号を端末デバイスに送信するように構成されており、より上位層の制御シグナリング、物理層制御シグナリングまたは同期信号は、符号化方式指示情報を含み、符号化方式指示情報は、ビットの情報ブロックの符号化方式を示すために用いられ、符号化方式は、Ｐｏｌａｒ符号、ターボ符号、低密度パリティチェック（ＬＤＰＣ）符号、畳み込み符号、ブロック符号および反復符号のうちの少なくとも１つの符号化タイプを含む。
【０２０４】
一実装として、より上位層の制御シグナリングは、無線リソース制御（ＲＲＣ）シグナリングを含み、物理層制御シグナリングは、ダウンリンク制御情報（ＤＣＩ）およびアップリンク制御情報（ＵＣＩ）を含む。
【０２０５】
別の実装として、ビットの情報ブロックは、制御情報およびデータ情報のうち少なくとも１つの情報タイプを含む。
【０２０６】
本発明のこの実施形態で提供される基地局デバイスによると、基地局デバイスは、ビットの情報ブロックの符号化方式を示すべく、端末デバイスに、符号化方式指示情報を保持する、より上位層の制御シグナリング、物理層制御シグナリング、または同期信号を送信する。端末デバイスおよび／または基地局デバイスは、示された符号化方式に基づき、ビットの情報ブロックを符号化し、その結果、基地局デバイスは、符号化方式を明確且つ柔軟に示してよく、これにより、符号化方式を別々に示すことによって生じるシグナリングオーバーヘッドを低減させる。
【０２０７】
図２２は、本発明の第１４実施形態による端末デバイスの概略構造図である。端末デバイスは、上述の符号化方式判定機能を実装するように構成されている。図２２に示される通り、端末デバイス８０００は、受信機８１および送信機８２を含む。
【０２０８】
受信機８１は、基地局デバイスの能力ネゴシエーション要求メッセージを受信するように構成されている。
【０２０９】
送信機８２は、能力情報報告メッセージを基地局デバイスに送信するように構成されており、能力情報報告メッセージは、符号化方式指示情報を含み、符号化方式指示情報は、ビットの情報ブロックの符号化方式を示すために用いられ、符号化方式は、Ｐｏｌａｒ符号、ターボ符号、低密度パリティチェック（ＬＤＰＣ）符号、畳み込み符号、ブロック符号および反復符号のうちの少なくとも１つの符号化タイプを含む。
【０２１０】
一実装において、ビットの情報ブロックは、制御情報およびデータ情報のうちの少なくとも１つの情報タイプを含む。
【０２１１】
本発明のこの実施形態で提供される端末デバイスによると、端末デバイスは、符号化方式を示すべく、符号化方式指示情報を保持する能力情報報告メッセージを、基地局デバイスに返す。基地局デバイスおよび／または端末デバイスは、示された符号化方式に基づき、ビットの情報ブロックを符号化し、その結果、端末デバイスは、符号化方式を明確且つ柔軟に示してよく、これにより、符号化方式を別々に示すことによって生じるシグナリングオーバーヘッドを低減させる。
【０２１２】
図２３は、本発明の第１５実施形態による符号化方式判定デバイスの概略構造図である。符号化方式判定デバイスは、上述の符号化方式判定機能を実装するように構成されている。図２３に示される通り、デバイス９０００は、プロセッサ９１、メモリ９２、入力デバイス９３、出力デバイス９４、およびバスシステム９５を含む。
【０２１３】
プロセッサ９１は、符号化方式判定デバイス９０００の動作を制御し、プロセッサ９１は、中央処理装置（Ｃｅｎｔｒａｌ  Ｐｒｏｃｅｓｓｉｎｇ  Ｕｎｉｔ：ＣＰＵ）とも称されてよい。プロセッサ９１は、集積回路チップであってよく、信号処理能力を有する。プロセッサ９１は、汎用プロセッサ、デジタル信号プロセッサ（Ｄｉｇｉｔａｌ  Ｓｉｇｎａｌ  Ｐｒｏｃｅｓｓｉｎｇ：ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）、フィールドプログラマブルゲートアレイ（Ｆｉｅｌｄ−Ｐｒｏｇｒａｍｍａｂｌｅ  Ｇａｔｅ  Ａｒｒａｙ：ＦＰＧＡ）または別のプログラマブルロジックコンポーネント、ディスクリートゲートまたはトランジスタロジックコンポーネント、またはディスクリートハードウェアコンポーネントであってよい。汎用プロセッサは、マイクロプロセッサであってよく、プロセッサは、任意の従来のプロセッサ等であってよい。
【０２１４】
メモリ９２は、リードオンリメモリおよびランダムアクセスメモリを含んでよく、命令およびデータを、プロセッサ９１に提供してよい。メモリ９２の一部は、さらに、不揮発性ランダムアクセスメモリ（ＮＶＲＡＭ）を含んでよい。
【０２１５】
符号化方式判定デバイス９０００の様々なコンポーネントは、バスシステム９５を用いることで連結され、バスは、業界標準アーキテクチャ（Ｉｎｄｕｓｔｒｙ  Ｓｔａｎｄａｒｄ  Ａｒｃｈｉｔｅｃｔｕｒｅ：ＩＳＡ）バス、ペリフェラルコンポーネントインターコネクト（Ｐｅｒｉｐｈｅｒａｌ  Ｃｏｍｐｏｎｅｎｔ  Ｉｎｔｅｒｃｏｎｎｅｃｔ：ＰＣＩ）バス、拡張業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ：ＥＩＳＡ）バス等であってよい。バスは、１または複数の物理的な回線であってよく、バスが複数の回線である場合、バスは、アドレスバス、データバス、制御バス等に分類されてよい。本発明のいくつかの他の実装において、プロセッサ９１、メモリ９２、入力デバイス９３、および出力デバイス９４は、また、通信回線を用いることで、直接接続されてもよい。
【０２１６】
入力デバイス９３は、具体的に、マウス、キーボード、マイク等として実装されてよい。出力デバイス９４は、具体的に、ディスプレイ、オーディオデバイスまたはビデオデバイスとして実装されてよい。もちろん、入力デバイス９３および出力デバイス９４の機能は、また、入力／出力デバイスを用いることで実装されてもよく、例えば、入力デバイス９３および出力デバイス９４は、タッチスクリーンとして実装される。
【０２１７】
プロセッサ９１は、メモリ９２内のコンピュータプログラムを読み取って、
プリセットされた第１の指定値Ｘ以上である少なくとも１つの情報ブロックサイズ（ＩＢＳ）を判定するステップであって、Ｘは、対応するシナリオ、情報タイプおよび／またはサービスタイプに基づき設定されており、各シナリオ、情報タイプおよび／またはサービスタイプは、少なくとも１つのＩＢＳに対応している、ステップと、
ビットの情報ブロックまたはビットの情報ブロックのコードブロックを符号化すべく、少なくとも１つのＩＢＳから、ＩＢＳを選択するステップであって、選択されたＩＢＳは、ビットの情報ブロックのサイズ以上であり、ＩＢＳは、ビットの情報ブロックのサイズとの最も小さい差異を有し、または、選択されたＩＢＳは、コードブロックのコードブロックサイズ（ＣＢＳ）以上であり、ＩＢＳは、上記ＣＢＳとの最も小さい差異を有し、
符号化方式は、シナリオ、情報タイプおよび／またはサービスタイプによって判定され、符号化方式は、Ｐｏｌａｒ符号、ターボ符号、低密度パリティチェック（ＬＤＰＣ）符号、畳み込み符号、ブロック符号および反復符号のうちの少なくとも１つの符号化タイプを含む、ステップと、を実行する。
【０２１８】
一実装において、各符号化タイプは、１つのＩＢＳセットに対応しており、各ＩＢＳセットは、少なくとも１つのＩＢＳを含み、各ＩＢＳは、１つの符号化方式に対応する。
【０２１９】
別の実装において、プロセッサ９１は、さらに、
ビットの情報ブロックのサイズが、プリセットされた第２の指定値Ｙより大きい場合、第２の指定値、およびパディングされるビット量が最小であるという原理に基づき、ビットの情報ブロックをセグメント化して、同一サイズの複数のコードブロックを取得するステップであって、Ｙは、対応するシナリオ、情報タイプおよび／またはサービスタイプに基づき設定されている、ステップを実行するように構成されており、
ビットの情報ブロックのコードブロックを符号化すべく、少なくとも１つのＩＢＳから、ＩＢＳを選択する、プロセッサ９１により実行されるステップは、
複数のコードブロックを符号化すべく、第１の情報ブロックサイズ（ＩＢＳ１）を選択するステップであって、ＩＢＳ１は、コードブロックのコードブロックサイズ（ＣＢＳ）と、パディングされるビット量との和であり、パディングされるビット量は、０以上の整数である、ステップ、を含む。
【０２２０】
さらなる別の実装において、プロセッサ９１は、さらに、
ビットの情報ブロックのサイズが、プリセットされた第３の指定値Ｚより大きい場合、第３の指定値およびパディングされるビット量が最小であるという原理に基づき、ビットの情報ブロックをセグメント化して、異なるサイズの複数のコードブロックを取得するステップであって、Ｚは、対応するシナリオ、情報タイプおよび／またはサービスタイプに基づき設定されている、ステップを実行するように構成されており、
ビットの情報ブロックのコードブロックを符号化すべく、少なくとも１つのＩＢＳから、ＩＢＳを選択する、プロセッサ９１により実行されるステップは、
複数のコードブロックを符号化すべく、複数の第２の情報ブロックサイズ（ＩＢＳ２）を選択するステップであって、各ＩＢＳ２は、各コードブロックのコードブロックサイズ（ＣＢＳ）と、パディングされるビット量との和であり、パディングされるビット量は、０以上の整数である、ステップ、を含む。
【０２２１】
さらなる別の実装において、プロセッサ９１は、さらに
選択されたＬＤＰＣ符号レートおよび選択されたＬＤＰＣ符号レートに対応するＬＤＰＣ符号の最大ＩＢＳを判定するステップであって、第２の指定値または第３の指定値は、選択されたＬＤＰＣ符号レートに対応するＬＤＰＣ符号の最大ＩＢＳであり、符号化方式に対応する符号化タイプは、ＬＤＰＣ符号である、ステップを実行するように構成されている。
【０２２２】
さらなる別の実装においては、ビットの情報ブロックは、制御情報およびデータ情報のうち少なくとも１つの情報タイプを含む。
【０２２３】
本発明のこの実施形態で提供される符号化方式判定デバイスによると、プリセットされた第１の指定値Ｘ以上である少なくとも１つのＩＢＳが判定され、ビットの情報ブロックまたはビットの情報ブロックのコードブロックを符号化すべく、少なくとも１つのＩＢＳから、ＩＢＳが選択される。Ｘおよび符号化方式は、シナリオ、情報タイプおよび／またはサービスタイプによって判定される。このように、シナリオ、情報タイプおよび／またはサービスタイプに基づき、好適な符号化方式が、判定されてよい。ビットの情報ブロックは、同一サイズの複数のコードブロックにさらにセグメント化されてよく、セグメント化により取得された複数のコードブロックを符号化すべく、１つの情報ブロックサイズが用いられる。セグメント化態様は単純であり、且つ、パディングされるビット量は最小であるので、ビットパディングオーバーデッドを低減させる。代替的に、ビットの情報ブロックは、異なるサイズの複数のコードブロックにセグメント化されてよく、複数のコードブロックを符号化すべく、複数の情報ブロックサイズが用いられる。このように、符号化方式が多様であり、符号化は、柔軟に行われてよく、パディングされるビット量は、最小であるので、ビットパディングオーバーデッドを低減させる。
【０２２４】
本発明の明細書、特許請求の範囲および添付図面において、「第１」、「第２」、「第３」、「第４」等の用語は、異なるオブジェクト間を区別することを意図しており、特定の順序を示してはいない。また、「含む（ｉｎｃｌｕｄｉｎｇ）」および「有する（ｈａｖｉｎｇ）」といった用語およびこれらの任意の他の派生語は、非排他的包含に及ぶことが意図されている。例えば、一連のステップまたはユニットを含むプロセス、方法、システム、製品またはデバイスは、列挙されたステップまたはユニットに限定されず、随意で、さらに、列挙されていないステップまたはユニットを含み、または、随意に、さらに、当該プロセス、当該方法、当該システム、当該製品または当該デバイスに係る別の内在的なステップまたはユニットを含む。
【０２２５】
当業者は、実施形態における方法のプロセスの全部または一部は、関連するハードウェアに命令するコンピュータプログラムによって実装されてよいことを理解し得る。プログラムは、コンピュータ可読記憶媒体に格納されてよい。プログラムが実行されると、実施形態における方法のプロセスが実行される。上述の記憶媒体は、磁気ディスク、光ディスク、リードオンリメモリ（Ｒｅａｄ−Ｏｎｌｙ  Ｍｅｍｏｒｙ：ＲＯＭ）またはランダムアクセスメモリ（Ｒａｎｄｏｍ  Ａｃｃｅｓｓ  Ｍｅｍｏｒｙ：ＲＡＭ）を含んでよい。
【０２２６】
上記開示内容は、本発明の例示的実施形態に過ぎず、本発明の保護範囲を限定する意図はまったくない。従って、本発明に係る特許請求の範囲によりなされた均等な変形例は、本発明の範囲内に属するものとする。
（項目１）
基地局デバイスによって、より上位層の制御シグナリング、物理層制御シグナリングまたは同期信号を、端末デバイスに送信する段階を備え、前記より上位層の制御シグナリング、前記物理層制御シグナリングまたは前記同期信号は、符号化方式指示情報を含み、前記符号化方式指示情報は、ビットの情報ブロックの符号化方式を示すために用いられ、前記符号化方式は、Ｐｏｌａｒ符号、ターボ符号、低密度パリティチェックＬＤＰＣ符号、畳み込み符号、ブロック符号および反復符号のうちの少なくとも１つの符号化タイプを含む、符号化方法。
（項目２）
前記より上位層の制御シグナリングは、無線リソース制御ＲＲＣシグナリングを含み、前記物理層制御シグナリングは、ダウンリンク制御情報ＤＣＩおよびアップリンク制御情報ＵＣＩを含む、項目１に記載の符号化方法。
（項目３）
前記ビットの情報ブロックは、制御情報およびデータ情報のうちの少なくとも１つの情報タイプを含む、項目１または２の符号化方法。
（項目４）
端末デバイスによって、基地局デバイスの能力ネゴシエーション要求メッセージを受信する段階と、
前記端末デバイスによって、能力情報報告メッセージを、前記基地局デバイスに送信する段階であって、前記能力情報報告メッセージは、符号化方式指示情報を含み、前記符号化方式指示情報は、ビットの情報ブロックの符号化方式を示すために用いられ、前記符号化方式は、Ｐｏｌａｒ符号、ターボ符号、低密度パリティチェックＬＤＰＣ符号、畳み込み符号、ブロック符号および反復符号のうちの少なくとも１つの符号化タイプを含む、段階と、を備える、符号化方法。
（項目５）
前記ビットの情報ブロックは、制御情報およびデータ情報のうちの少なくとも１つの情報タイプを含む、項目４に記載の符号化方法。
（項目６）
プリセットされた第１の指定値Ｘ以上である少なくとも１つの情報ブロックサイズＩＢＳを判定する段階であって、Ｘは、対応するシナリオ、情報タイプおよび／またはサービスタイプに基づき設定されており、各シナリオ、情報タイプおよび／またはサービスタイプは、少なくとも１つのＩＢＳに対応している、段階と、
ビットの情報ブロックまたは前記ビットの情報ブロックのコードブロックを符号化すべく、前記少なくとも１つのＩＢＳから、ＩＢＳを選択する段階であって、前記選択されたＩＢＳは、前記ビットの情報ブロックのサイズ以上であり、前記ＩＢＳは、前記ビットの情報ブロックの前記サイズとの最も小さい差異を有し、または、前記選択されたＩＢＳは、前記コードブロックのコードブロックサイズＣＢＳ以上であり、前記ＩＢＳは、前記ＣＢＳとの最も小さい差異を有する、段階と、を備え、
符号化方式は、前記シナリオ、情報タイプおよび／またはサービスタイプによって判定され、前記符号化方式は、Ｐｏｌａｒ符号、ターボ符号、低密度パリティチェックＬＤＰＣ符号、畳み込み符号、ブロック符号および反復符号のうちの少なくとも１つの符号化タイプを含む、符号化方法。
（項目７）
各符号化タイプは、１つのＩＢＳセットに対応しており、各ＩＢＳセットは、少なくとも１つのＩＢＳを含み、各ＩＢＳは、１つの符号化方式に対応している、項目６に記載の符号化方法。
（項目８）
前記符号化方法は、さらに、
前記ビットの情報ブロックの前記サイズが、プリセットされた第２の指定値Ｙより大きい場合、前記第２の指定値およびパディングされるビット量が最小であるという原理に基づき、前記ビットの情報ブロックをセグメント化して、同一サイズの複数のコードブロックを取得する段階であって、Ｙは、対応するシナリオ、情報タイプおよび／またはサービスタイプに基づき設定されている、段階を備え、
前記ビットの情報ブロックのコードブロックを符号化すべく、前記少なくとも１つのＩＢＳから、ＩＢＳを前記選択する段階は、
前記複数のコードブロックを符号化すべく、第１の情報ブロックサイズＩＢＳ１を選択する段階であって、前記ＩＢＳ１は、前記コードブロックのコードブロックサイズＣＢＳと、前記パディングされるビット量との和であり、前記パディングされるビット量は、０以上の整数である、段階、を含む、項目６または７に記載の符号化方法。
（項目９）
前記符号化方法は、さらに、
前記ビットの情報ブロックの前記サイズが、プリセットされた第３の指定値Ｚより大きい場合、前記第３の指定値およびパディングされるビット量が最小であるという原理に基づき、前記ビットの情報ブロックをセグメント化して、異なるサイズの複数のコードブロックを取得する段階であって、Ｚは対応するシナリオ、情報タイプおよび／またはサービスタイプに基づき設定されている、段階を備え、
前記ビットの情報ブロックのコードブロックを符号化すべく、前記少なくとも１つのＩＢＳから、ＩＢＳを前記選択する段階は、
前記複数のコードブロックを符号化すべく、複数の第２の情報ブロックサイズＩＢＳ２を選択する段階であって、各ＩＢＳ２は、各コードブロックのコードブロックサイズＣＢＳと、前記パディングされるビット量との和であり、前記パディングされるビット量は、０以上の整数である、段階、を含む、項目６または７に記載の符号化方法。
（項目１０）
前記符号化方法は、さらに、
選択されたＬＤＰＣ符号レートおよび前記選択されたＬＤＰＣ符号レートに対応するＬＤＰＣ符号の最大ＩＢＳを判定する段階であって、前記第２の指定値または前記第３の指定値は、前記選択されたＬＤＰＣ符号レートに対応する前記ＬＤＰＣ符号の前記最大ＩＢＳであり、前記符号化方式に対応する符号化タイプは、ＬＤＰＣ符号である、段階、を備える、項目８または９に記載の符号化方法。
（項目１１）
前記ビットの情報ブロックは、制御情報およびデータ情報のうちの少なくとも１つの情報タイプを含む、項目６から１０のいずれか一項に記載の符号化方法。
（項目１２）
より上位層の制御シグナリング、物理層制御シグナリング、または同期信号を端末デバイスに送信するように構成された送信ユニットを備え、前記より上位層の制御シグナリング、前記物理層制御シグナリング、または前記同期信号は、符号化方式指示情報を含み、前記符号化方式指示情報は、ビットの情報ブロックの符号化方式を示すために用いられ、前記符号化方式は、Ｐｏｌａｒ符号、ターボ符号、低密度パリティチェックＬＤＰＣ符号、畳み込み符号、ブロック符号、および反復符号のうちの少なくとも１つの符号化タイプを含む、基地局デバイス。
（項目１３）
前記より上位層の制御シグナリングは、無線リソース制御ＲＲＣシグナリングを含み、前記物理層制御シグナリングは、ダウンリンク制御情報ＤＣＩおよびアップリンク制御情報ＵＣＩを含む、項目１２に記載の基地局デバイス。
（項目１４）
前記ビットの情報ブロックは、制御情報およびデータ情報のうちの少なくとも１つの情報タイプを含む、項目１２または１３に記載の基地局デバイス。
（項目１５）
基地局デバイスの能力ネゴシエーション要求メッセージを受信するように構成された受信ユニットと、
能力情報報告メッセージを、前記基地局デバイスに送信するように構成された送信ユニットであって、前記能力情報報告メッセージは、符号化方式指示情報を含み、前記符号化方式指示情報は、ビットの情報ブロックの符号化方式を示すために用いられ、前記符号化方式は、Ｐｏｌａｒ符号、ターボ符号、低密度パリティチェックＬＤＰＣ符号、畳み込み符号、ブロック符号および反復符号のうちの少なくとも１つの符号化タイプを含む、送信ユニットと、を備える、端末デバイス。
（項目１６）
前記ビットの情報ブロックは、制御情報およびデータ情報のうちの少なくとも１つの情報タイプを含む、項目１５に記載の端末デバイス。
（項目１７）
プリセットされた第１の指定値Ｘ以上である少なくとも１つの情報ブロックサイズＩＢＳを判定するように構成された第１の判定ユニットであって、Ｘは、対応するシナリオ、情報タイプおよび／またはサービスタイプに基づき設定されており、各シナリオ、情報タイプおよび／またはサービスタイプは、少なくとも１つのＩＢＳに対応している、第１の判定ユニットと、
ビットの情報ブロックまたは前記ビットの情報ブロックのコードブロックを符号化すべく、前記少なくとも１つのＩＢＳから、ＩＢＳを選択するように構成された選択ユニットであって、前記選択されたＩＢＳは、前記ビットの情報ブロックのサイズ以上であり、前記ＩＢＳは、前記ビットの情報ブロックの前記サイズとの最も小さい差異を有し、または、前記選択されたＩＢＳは、前記コードブロックのコードブロックサイズＣＢＳ以上であり、前記ＩＢＳは、前記ＣＢＳとの最も小さい差異を有する、選択ユニットと、を備え、
符号化方式は、前記シナリオ、情報タイプおよび／またはサービスタイプによって判定され、前記符号化方式は、Ｐｏｌａｒ符号、ターボ符号、低密度パリティチェックＬＤＰＣ符号、畳み込み符号、ブロック符号および反復符号のうちの少なくとも１つの符号化タイプを含む、符号化装置。
（項目１８）
各符号化タイプは、１つのＩＢＳセットに対応しており、各ＩＢＳセットは、少なくとも１つのＩＢＳを含み、各ＩＢＳは、１つの符号化方式に対応している、項目１７に記載の符号化装置。
（項目１９）
前記符号化装置は、さらに、第１のセグメント化ユニットを備え、前記第１のセグメント化ユニットは、前記ビットの情報ブロックの前記サイズが、プリセットされた第２の指定値Ｙより大きい場合、前記第２の指定値およびパディングされるビット量が最小であるという原理に基づき、前記ビットの情報ブロックをセグメント化して、同一サイズの複数のコードブロックを取得するように構成されており、Ｙは、対応するシナリオ、情報タイプおよび／またはサービスタイプに基づき設定されており、
前記選択ユニットは、特に、前記複数のコードブロックを符号化すべく、第１の情報ブロックサイズＩＢＳ１を選択するように構成されており、前記ＩＢＳ１は、前記コードブロックのコードブロックサイズＣＢＳと、前記パディングされるビット量との和であり、前記パディングされるビット量は、０以上の整数である、項目１７または１８に記載の符号化装置。
（項目２０）
前記符号化装置は、さらに、第２のセグメント化ユニットを備え、前記第２のセグメント化ユニットは、前記ビットの情報ブロックの前記サイズが、プリセットされた第３の指定値Ｚより大きい場合、前記第３の指定値およびパディングされるビット量が最小であるという原理に基づき、前記ビットの情報ブロックをセグメント化して、異なるサイズの複数のコードブロックを取得するように構成されており、Ｚは、対応するシナリオ、情報タイプおよび／またはサービスタイプに基づき設定されており、
前記選択ユニットは、特に、前記複数のコードブロックを符号化すべく、複数の第２の情報ブロックサイズＩＢＳ２を選択するように構成されており、各ＩＢＳ２は、各コードブロックのコードブロックサイズＣＢＳと、前記パディングされるビット量との和であり、前記パディングされるビット量は、０以上の整数である、項目１７または１８に記載の符号化装置。
（項目２１）
前記符号化装置は、さらに、第２の判定ユニットを備え、前記第２の判定ユニットは、選択されたＬＤＰＣ符号レートおよび前記選択されたＬＤＰＣ符号レートに対応するＬＤＰＣ符号の最大ＩＢＳを判定するように構成されており、
前記第２の指定値または前記第３の指定値は、前記選択されたＬＤＰＣ符号レートに対応する前記ＬＤＰＣ符号の前記最大ＩＢＳであり、前記符号化方式に対応する符号化タイプは、ＬＤＰＣ符号である、項目１９または２０に記載の符号化装置。
（項目２２）
前記ビットの情報ブロックは、制御情報およびデータ情報のうちの少なくとも１つの情報タイプを含む、項目１７から２１のいずれか一項に記載の符号化装置。
（項目２３）
より上位層の制御シグナリング、物理層制御シグナリング、または同期信号を端末デバイスに送信するように構成された送信機を備え、前記より上位層の制御シグナリング、前記物理層制御シグナリング、または前記同期信号は、符号化方式指示情報を含み、前記符号化方式指示情報は、ビットの情報ブロックの符号化方式を示すために用いられ、前記符号化方式は、Ｐｏｌａｒ符号、ターボ符号、低密度パリティチェックＬＤＰＣ符号、畳み込み符号、ブロック符号、および反復符号のうちの少なくとも１つの符号化タイプを含む、基地局デバイス。
（項目２４）
前記より上位層の制御シグナリングは、無線リソース制御ＲＲＣシグナリングを含み、前記物理層制御シグナリングは、ダウンリンク制御情報ＤＣＩおよびアップリンク制御情報ＵＣＩを含む、項目２３に記載の基地局デバイス。
（項目２５）
前記ビットの情報ブロックは、制御情報およびデータ情報のうちの少なくとも１つの情報タイプを含む、項目２３または２４に記載の基地局デバイス。
（項目２６）
受信機と送信機とを備える、端末デバイスであって、
前記受信機は、基地局デバイスの能力ネゴシエーション要求メッセージを受信するように構成されており、
前記送信機は、能力情報報告メッセージを、前記基地局デバイスに送信するように構成されており、前記能力情報報告メッセージは、符号化方式指示情報を含み、前記符号化方式指示情報は、ビットの情報ブロックの符号化方式を示すために用いられ、前記符号化方式は、Ｐｏｌａｒ符号、ターボ符号、低密度パリティチェックＬＤＰＣ符号、畳み込み符号、ブロック符号および反復符号のうちの少なくとも１つの符号化タイプを含む、端末デバイス。
（項目２７）
前記ビットの情報ブロックは、制御情報およびデータ情報のうちの少なくとも１つの情報タイプを含む、項目２６に記載の端末デバイス。
（項目２８）
入力装置、出力装置、メモリおよびプロセッサを備える符号化デバイスであって、
前記メモリは、プログラムコード群を格納し、前記プロセッサは、前記メモリ内に格納された前記プログラムコードを呼び出して、
プリセットされた第１の指定値Ｘ以上である少なくとも１つの情報ブロックサイズＩＢＳを判定する処理であって、Ｘは、対応するシナリオ、情報タイプおよび／またはサービスタイプに基づき設定されており、各シナリオ、情報タイプおよび／またはサービスタイプは、少なくとも１つのＩＢＳに対応している、処理と、
ビットの情報ブロックまたは前記ビットの情報ブロックのコードブロックを符号化すべく、少なくとも１つのＩＢＳから、ＩＢＳを選択する処理であって、前記選択されたＩＢＳは、前記ビットの情報ブロックのサイズ以上であり、前記ＩＢＳは、前記ビットの情報ブロックの前記サイズとの最も小さい差異を有し、または、前記選択されたＩＢＳは、前記コードブロックのコードブロックサイズＣＢＳ以上であり、前記ＩＢＳは、前記ＣＢＳとの最も小さい差異を有する、処理と、を実行するように構成されており、
符号化方式は、前記シナリオ、情報タイプおよび／またはサービスタイプによって判定され、前記符号化方式は、Ｐｏｌａｒ符号、ターボ符号、低密度パリティチェックＬＤＰＣ符号、畳み込み符号、ブロック符号および反復符号のうちの少なくとも１つの符号化タイプを含む、符号化デバイス。
（項目２９）
各符号化タイプは、１つのＩＢＳセットに対応しており、各ＩＢＳセットは、少なくとも１つのＩＢＳを含み、各ＩＢＳは、１つの符号化方式に対応している、項目２８に記載の符号化デバイス。
（項目３０）
前記プロセッサは、さらに、
前記ビットの情報ブロックの前記サイズが、プリセットされた第２の指定値Ｙより大きい場合、前記第２の指定値およびパディングされるビット量が最小であるという原理に基づき、前記ビットの情報ブロックをセグメント化して、同一サイズの複数のコードブロックを取得する処理であって、Ｙは、対応するシナリオ、情報タイプおよび／またはサービスタイプに基づき設定されている、処理を実行するように構成されており、
前記ビットの情報ブロックのコードブロックを符号化すべく、前記少なくとも１つのＩＢＳから、ＩＢＳを選択する、前記プロセッサにより実行される前記処理は、
前記複数のコードブロックを符号化すべく、第１の情報ブロックサイズＩＢＳ１を選択する処理であって、前記ＩＢＳ１は、前記コードブロックのコードブロックサイズＣＢＳと、前記パディングされるビット量との和であり、前記パディングされるビット量は、０以上の整数である、処理を含む、項目２８または２９に記載の符号化デバイス。
（項目３１）
前記プロセッサは、さらに、
前記ビットの情報ブロックの前記サイズが、プリセットされた第３の指定値Ｚより大きい場合、前記第３の指定値およびパディングされるビット量が最小であるという原理に基づき、前記ビットの情報ブロックをセグメント化して、異なるサイズの複数のコードブロックを取得する処理であって、Ｚは、対応するシナリオ、情報タイプおよび／またはサービスタイプに基づき設定されている、処理を実行するように構成されており、
前記ビットの情報ブロックのコードブロックを符号化すべく、前記少なくとも１つのＩＢＳから、ＩＢＳを選択する、前記プロセッサにより実行される前記処理は、
前記複数のコードブロックを符号化すべく、複数の第２の情報ブロックサイズＩＢＳ２を選択する処理であって、各ＩＢＳ２は、各コードブロックのコードブロックサイズＣＢＳと、前記パディングされるビット量との和であり、前記パディングされるビット量は、０以上の整数である、処理を含む、項目２８または２９に記載の符号化デバイス。
（項目３２）
前記プロセッサは、さらに、
選択されたＬＤＰＣ符号レートおよび前記選択されたＬＤＰＣ符号レートに対応するＬＤＰＣ符号の最大ＩＢＳを判定する処理であって、前記第２の指定値または前記第３の指定値は、前記選択されたＬＤＰＣ符号レートに対応する前記ＬＤＰＣ符号の前記最大ＩＢＳであり、前記符号化方式に対応する符号化タイプは、ＬＤＰＣ符号である、処理を実行するように構成されている、項目３０または３１に記載の符号化デバイス。
（項目３３）
前記ビットの情報ブロックは、制御情報およびデータ情報のうち少なくとも１つの情報タイプを含む、項目２８から３２のいずれか一項に記載の符号化デバイス。
（項目３４）
プログラムを格納するコンピュータ可読記憶媒体であって、前記プログラムは、基地局デバイスが、項目１から３、および６から１１のいずれか一項に記載の方法を実行することを可能にする、コンピュータ可読記憶媒体。
（項目３５）
プログラムを格納するコンピュータ可読記憶媒体であって、前記プログラムは、端末デバイスが、項目４から１１のいずれか一項に記載の方法を実行することを可能にする、コンピュータ可読記憶媒体。
【国際調査報告】
2019537379.tif 000026
2019537379.tif 000027
2019537379.tif 000028
2019537379.tif 000029
2019537379.tif 000030
2019537379.tif 000031